(57)【特許請求の範囲】
【請求項１】
可変表示を行い、遊技者にとって有利な有利状態に制御可能な遊技機であって、
未だ開始されていない可変表示に対応する保留表示を行う保留表示手段と、
保留表示の表示態様を変化させる変化演出を実行可能な演出実行手段と、を備え、
可変表示が開始されてから表示結果が導出表示されるまでの可変表示時間が短縮されるときと短縮されないときとがあり、
前記演出実行手段は、
保留表示の表示態様を、第１態様と、該第１態様よりも前記有利状態に制御される期待度が高い第２態様と、に変化させることが可能であり、
前記変化演出の対象となる保留表示に対応する可変表示よりも前に実行される一の可変表示において、前記変化演出を実行可能であり、
前記一の可変表示の可変表示時間が短縮されない場合、該一の可変表示の可変表示時間が短縮される場合よりも、保留表示の表示態様が変化し得る最大回数が多く、
前記一の可変表示の可変表示が短縮されないときと短縮されるときとで、保留表示の表示態様が変化する回数が同じ回数になる場合があり、
前記一の可変表示の可変表示時間が短縮されない場合、該一の可変表示の可変表示時間が短縮される場合よりも、保留表示の表示態様が変化する回数が多くなる割合が高く、
前記演出実行手段は、前記一の可変表示の可変表示時間が短縮される場合、保留表示の表示態様を前記第２態様に変化させることを制限する、
ことを特徴とする遊技機。
【請求項２】
実行中の可変表示に対応する対応表示を行う対応表示手段、を備え、
前記対応表示の表示態様を変化させる特定演出を実行可能である、
ことを特徴とする請求項１に記載の遊技機。
【発明の詳細な説明】
【技術分野】
【０００１】
本発明は、パチンコ遊技機等の遊技機に係り、詳しくは、可変表示を行い、遊技者にとって有利な有利状態に制御可能な遊技機に関する。
【背景技術】
【０００２】
遊技機として、遊技球などの遊技媒体を発射装置によって遊技領域に発射し、遊技領域に設けられている入賞口などの入賞領域に遊技媒体が入賞して始動条件が成立すると、複数種類の識別情報（以下、表示図柄）を可変表示装置にて変動可能に表示（可変表示）し、その表示結果により所定の遊技価値を付与するか否かを決定する、いわゆる可変表示ゲームによって遊技興趣を高めたパチンコ遊技機がある。こうしたパチンコ遊技機では、可変表示ゲームにおける表示図柄の可変表示が完全に停止した際の停止図柄態様が特定表示態様となったときに、遊技者にとって有利な有利状態（特定遊技状態、大当り遊技状態）となる。
【０００３】
このような遊技機として、保留表示の表示態様を変化させる変化演出を実行可能であり、可変表示の可変表示期間に応じて、演出期間が異なる複数種類の変化演出パターンのいずれかで変化演出を実行するものがある（例えば特許文献１）。
【先行技術文献】
【特許文献】
【０００４】
【特許文献１】特開２０１５−３９４９６号公報
【発明の概要】
【発明が解決しようとする課題】
【０００５】
特許文献１に記載された技術では、変化演出となる１回の演出により保留表示の表示態様を１回変化させるだけになり、演出の多様性に欠けてしまう。そのため、遊技興趣を向上させることが困難になるおそれがあった。
【０００６】
この発明は、上記実状に鑑みてなされたものであり、遊技興趣を向上させる遊技機の提供を目的とする。
【課題を解決するための手段】
【０００７】
（１）上記目的を達成するため、本願発明に係る遊技機は、可変表示を行い、遊技者にとって有利な有利状態（例えば大当り遊技状態など）に制御可能な遊技機（例えばパチンコ遊技機１など）であって、未だ開始されていない可変表示に対応する保留表示を行う保留表示手段（例えば画像表示装置５における第１保留表示部５ＨＲおよび第２保留表示部５ＨＬなど）と、保留表示の表示態様を変化させる変化演出（例えば保留表示変化演出など）を実行可能な演出実行手段（例えば図２５に示す可変表示中演出処理のステップＳ３４３を実行する演出制御用ＣＰＵ１２０など）と、を備え、可変表示が開始されてから表示結果が導出表示されるまでの可変表示時間が短縮されるときと短縮されないときとがあり、前記演出実行手段は、保留表示の表示態様を、第１態様と、該第１態様よりも前記有利状態に制御される期待度が高い第２態様と、に変化させることが可能であり、前記変化演出の対象となる保留表示に対応する可変表示よりも前に実行される一の可変表示の可変表示において、前記変化演出を実行可能であり、前記一の可変表示の可変表示時間が短縮されない場合、該一の可変表示の可変表示時間が短縮される場合よりも、保留表示の表示態様が変化し得る最大回数が多く、前記一の可変表示の可変表示が短縮されないときと短縮されるときとで、保留表示の表示態様が変化する回数が同じ回数になる場合があり、前記一の可変表示の可変表示時間が短縮されない場合、該一の可変表示の可変表示時間が短縮される場合よりも、保留表示の表示態様が変化する回数が多くなる割合が高く（例えば図１８に示す変化演出設定処理のステップＳ５０５、Ｓ５０６および図１９、図２０などを参照）、前記演出実行手段は、前記一の可変表示の可変表示時間が短縮される場合、保留表示の表示態様を前記第２態様に変化させることを制限する、ことを特徴とする。このような構成によれば、演出の多様性を高めて遊技興趣を向上させることができる。
【０００８】
（２）上記（１）の遊技機において、実行中の可変表示に対応する対応表示を行う対応表示手段（例えば画像表示装置５におけるアクティブ表示部ＡＨＡなど）を備え、前記対応表示の表示態様を変化させる特定演出（例えばアクティブ表示変化演出など）を実行可能であってもよい（例えば図２８などを参照）。
なお、前記変化演出が実行された後に表示される前記保留表示の表示態様は、前記特定演出が実行された後に表示される前記対応表示の表示態様として表示されない第１特殊態様（例えば保留表示画像ＨＧＢ、ＨＧＧ、ＨＧＲのいずれかによる表示色の変化など）を含んでもよい。
あるいは、前記特定演出が実行された後に表示される前記対応表示の表示態様は、前記変化演出が実行された後に表示される前記保留表示の表示態様として表示されない第２特殊態様（例えば「？」、「チャンス」、「激熱」のメッセージを報知するアイコンの表示など）を含んでもよい。
このような構成によれば、変化演出と特定演出とを実行可能にして遊技興趣を向上させることができる。
【０００９】
（３）上記（１）または（２）の遊技機において、前記変化演出は、保留表示の表示態様を１回変化させる第１演出態様、および保留表示の表示態様を複数回変化させる第２演出態様を含み、前記第１演出態様および前記第２演出態様は、少なくとも一部が共通の演出態様を含んでもよい（例えば図２６（Ｂ）、図２７（Ａ２）などを参照）。
このような構成によれば、変化演出に対する注目を高めて遊技興趣を向上させることができる。
【００１０】
（４）上記（１）から（３）のいずれかの遊技機において、実行中の可変表示に対応する対応表示を行う対応表示手段（例えば画像表示装置５におけるアクティブ表示部ＡＨＡなど）を備え、前記対応表示の表示態様を変化させる特定演出（例えばアクティブ表示変化演出など）を実行可能であり（例えば図２８などを参照）、前記特定演出は、１回の演出により前記対応表示の表示態様を複数回変化させる演出態様（例えばアクティブ変化演出パターンＹＡＰ２−１〜ＹＡＰ２−３、ＹＡＰ３−１のいずれか）によって実行可能であってもよい。
このような構成によれば、適切な演出により遊技興趣を向上させることができる。
【図面の簡単な説明】
【００１１】
【図１】この実施の形態におけるパチンコ遊技機の正面図である。
【図２】パチンコ遊技機に搭載された各種の制御基板などを示す構成図である。
【図３】特別図柄プロセス処理の一例を示すフローチャートである。
【図４】始動入賞判定処理の一例を示すフローチャートである。
【図５】入賞時乱数値判定処理の一例を示すフローチャートである。
【図６】ハズレ時変動パターンの判定例を示す図である。
【図７】各種コマンドの設定例を示す図である。
【図８】特別図柄通常処理の一例を示すフローチャートである。
【図９】変動パターン設定処理の一例を示すフローチャートなどである。
【図１０】変動パターンの決定例を示す説明図である。
【図１１】演出制御プロセス処理の一例を示すフローチャートである。
【図１２】保留表示データ記憶部の構成例を示す説明図である。
【図１３】保留表示設定処理の一例を示すフローチャートである。
【図１４】保留表示変化演出の有無決定例を示す説明図である。
【図１５】変化演出用カウンタの初期値決定例を示す説明図である。
【図１６】保留表示画像決定例を示す説明図である。
【図１７】可変表示開始設定処理の一例を示すフローチャートである。
【図１８】変化演出設定処理の一例を示すフローチャートなどである。
【図１９】保留変化演出パターンを示す説明図である。
【図２０】保留変化演出パターン決定例を示す説明図である。
【図２１】保留変化演出パターン決定例を示す説明図である。
【図２２】アクティブ表示変化演出の有無決定例を示す説明図である。
【図２３】アクティブ変化演出パターンを示す説明図である。
【図２４】アクティブ変化演出パターン決定例を示す説明図である。
【図２５】可変表示中演出処理の一例を示すフローチャートである。
【図２６】保留表示変化演出の実行例を示す図である。
【図２７】保留表示変化演出の実行例を示す図である。
【図２８】アクティブ表示変化演出の実行例を示す図である。
【図２９】保留表示変化演出の具体的な実行例を示す図である。
【発明を実施するための形態】
【００１２】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１３】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）あるいは小型の液晶表示装置（ＬＣＤ）といった、発光部材または表示部材を用いて構成されていればよい。第１特別図柄表示装置４Ａと第２特別図柄表示装置４Ｂは、可変表示を実行可能な表示器として用いられる。第１特別図柄表示装置４Ａや第２特別図柄表示装置４Ｂによる可変表示の一例となる特図ゲームでは、各々を識別可能な複数種類の識別情報（特別識別情報）である特別図柄（「特図」ともいう）が変動可能に表示される。第１特別図柄表示装置４Ａと第２特別図柄表示装置４Ｂはそれぞれ、例えば「０」〜「９」を示す数字や「−」を示す記号、あるいは数字や記号に限定されない各セグメントの点灯パターン等から構成される複数種類の特別図柄を可変表示する。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００１４】
第１特別図柄表示装置４Ａや第２特別図柄表示装置４Ｂにより可変表示される複数種類の特別図柄には、それぞれを識別するための図柄番号が付されていればよい。一例として、「−」の記号を示す特別図柄には図柄番号として「０」が付されている他、複数種類の点灯パターンに対する図柄番号として「１」〜「９」が付されていればよい。
【００１５】
なお、特別図柄は、複数種類の識別情報として可変表示されるものに限定されない。例えば第１特別図柄表示装置４Ａや第２特別図柄表示装置４Ｂは、複数のＬＥＤを用いて構成され、特別図柄の可変表示中には、複数のＬＥＤのうちで特定（単一）のＬＥＤのみが点灯と消灯とを繰り返し、他のＬＥＤは消灯された状態を維持する。そして、可変表示結果が「ハズレ」となる場合には、点灯と消灯とを繰り返したＬＥＤが所定の発光色で発光（点灯）した状態を維持すること、あるいは消灯した状態を維持することで、特別図柄を停止表示する。このとき、他のＬＥＤは消灯された状態を維持する。これに対し、可変表示結果が「大当り」となる場合には、複数のＬＥＤのうちで一部または全部のＬＥＤが点灯する所定の点灯パターンとなることで、特別図柄を停止表示する。このように、特別図柄の可変表示中には、特定（単一）の図柄が表示と非表示とに切り替えられる一方、他の図柄は非表示の状態が維持されるようにしてもよい。そして、特別図柄の可変表示結果となる最終停止図柄（確定特別図柄）として、複数種類の図柄のいずれかが導出表示（停止表示）されるものであってもよい。また、例えば第１特別図柄表示装置４Ａや第２特別図柄表示装置４Ｂは、７セグメントＬＥＤを用いて構成され、特別図柄の可変表示中には、「−」を示す記号の表示（点灯）と非表示（消灯）とを繰り返し、他の数字や記号は表示されないようにしてもよい。そして、特別図柄の可変表示結果としては、「−」を示す記号が停止表示されることはなく、「１」〜「９」を示す数字や、その他の記号などを含む所定の点灯パターンとなることで、特別図柄を停止表示してもよい。
【００１６】
遊技盤２における遊技領域の中央付近には、画像表示装置５が設けられている。画像表示装置５は、例えば液晶表示装置（ＬＣＤ）といった、表示部材を用いて構成され、各種の演出画像を表示する表示領域を形成している。画像表示装置５は、第１特別図柄表示装置４Ａや第２特別図柄表示装置４Ｂとともに、可変表示を実行可能な表示器として用いられる。画像表示装置５による可変表示の一例として、各々を識別可能な複数種類の識別情報（装飾識別情報）である飾り図柄が変動可能に表示される。第１特別図柄表示装置４Ａによる特図ゲームにおける第１特図の可変表示や第２特別図柄表示装置４Ｂによる特図ゲームにおける第２特図の可変表示が実行されるときには、画像表示装置５の画面上に設けられた複数（例えば３つ）の可変表示部となる飾り図柄表示エリアにて、飾り図柄の可変表示が行われるようにすればよい。
【００１７】
この実施の形態では、複数の可変表示部となる飾り図柄表示エリアとして、図１に示すような「左」、「中」、「右」の飾り図柄表示エリア５Ｌ、５Ｃ、５Ｒが、画像表示装置５の画面上に配置されている。「左」、「中」、「右」の飾り図柄表示エリア５Ｌ、５Ｃ、５Ｒでは、第１特別図柄表示装置４Ａによる特図ゲームにおける第１特図の変動または第２特別図柄表示装置４Ｂによる特図ゲームにおける第２特図の変動が開始されることに対応して、飾り図柄の変動（例えば上下方向のスクロール表示）が開始される。これらの特図ゲームにおける可変表示結果として確定特別図柄が停止表示されるときには、「左」、「中」、「右」の各飾り図柄表示エリア５Ｌ、５Ｃ、５Ｒのそれぞれにて、飾り図柄の可変表示結果を構成する確定飾り図柄（最終停止図柄）が停止表示される。
【００１８】
このように、画像表示装置５の画面上では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００１９】
なお、飾り図柄は、複数種類の識別情報として可変表示されるものに限定されず、特図ゲームにおける特別図柄の変動と対応して、画像表示装置５の画面上に任意の演出画像を表示可能としたものであればよい。例えば画像表示装置５の画面上では、ストーリー性をもつ演出画像の表示により、特別図柄の可変表示結果などに応じたストーリーの結果を表示するような演出を実行可能にしてもよい。演出画像の表示による演出として、例えばプロレスやサッカーの試合や敵味方のキャラクタが戦うバトル演出が行われてもよい。そして、可変表示結果が「ハズレ」となる場合には、試合やバトルに敗北する演出を行う。これに対し、可変表示結果が「大当り」となる場合には、試合やバトルに勝利する演出を行う。あるいは、例えば画像表示装置５の画面上では、特定の表示部位における表示色の変更表示と停止表示とを繰り返す。そして、可変表示結果が「ハズレ」となる場合には、所定の表示色（例えば白色）で停止表示した状態を維持すること、あるいは所定の表示色を非表示とした状態で維持することで、飾り図柄を導出表示する。これに対し、可変表示結果が「大当り」となる場合には、所定の表示色とは異なる表示色（例えば赤色）で停止表示した状態を維持することで、飾り図柄を導出表示する。こうして、飾り図柄の可変表示中には、所定（単一）の図柄が表示と非表示とに切り替えられる一方、他の図柄は非表示の状態が維持されるようにしてもよい。そして、飾り図柄の可変表示結果となる最終停止図柄（確定飾り図柄）として、複数種類の図柄のいずれかが導出表示（最終停止表示）されるものであってもよい。また、飾り図柄の可変表示中には、所定の図柄を示す演出画像の表示と非表示とを繰り返し、他の演出画像は表示されないようにしてもよい。そして、飾り図柄の可変表示結果としては、可変表示に用いられた所定の図柄を示す演出画像が停止表示されることはなく、所定の図柄とは異なる特定の数字や記号などを示す演出画像が表示されることで、飾り図柄を導出表示してもよい。
【００２０】
画像表示装置５の画面上には、飾り図柄表示エリアの他にも、第１保留表示部５ＨＲと、第２保留表示部５ＨＬと、アクティブ表示部ＡＨＡとが配置されている。第１保留表示部５ＨＲは、第１特図保留記憶数を特定可能に表示する。第１特図保留記憶数は、第１特別図柄表示装置４Ａにおける第１特図を用いた特図ゲームに対応する可変表示の保留数である。第２保留表示部５ＨＬは、第２特図保留記憶数を特定可能に表示する。第２特図保留記憶数は、第２特別図柄表示装置４Ｂにおける第２特図を用いた特図ゲームに対応する可変表示の保留数である。特図ゲームに対応した可変表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００２１】
例えば、第１始動入賞口を遊技球が通過（進入）する第１始動入賞の発生により、第１特別図柄表示装置４Ａによる第１特図を用いた特図ゲームの始動条件（第１始動条件）が成立したときに、当該第１始動条件の成立に基づく第１特図を用いた特図ゲームを開始するための第１開始条件が成立しなければ、第１特図保留記憶数が１加算（インクリメント）され、第１特図を用いた特図ゲームの実行が保留される。また、第２始動入賞口を遊技球が通過（進入）する第２始動入賞の発生により、第２特別図柄表示装置４Ｂによる第２特図を用いた特図ゲームの始動条件（第２始動条件）が成立したときに、当該第２始動条件の成立に基づく第２特図を用いた特図ゲームを開始するための第２開始条件が成立しなければ、第２特図保留記憶数が１加算（インクリメント）され、第２特図を用いた特図ゲームの実行が保留される。これに対して、第１特図を用いた特図ゲームの実行が開始されるときには、第１特図保留記憶数が１減算（デクリメント）され、第２特図を用いた特図ゲームの実行が開始されるときには、第２特図保留記憶数が１減算（デクリメント）される。なお、第１始動入賞が発生したときに、第１特図保留記憶数が所定の上限値（例えば「４」）に達していれば、第１始動条件は成立せず、その始動入賞に基づく特図ゲームは無効とされ、賞球の払出しのみが行われてもよい。また、第２始動入賞が発生したときに、第２特図保留記憶数が所定の上限値（例えば「４」）に達していれば、第２始動条件は成立せず、その始動入賞に基づく特図ゲームは無効とされ、賞球の払出しのみが行われてもよい。
【００２２】
第１保留表示部５ＨＲでは、第１特図を用いた特図ゲームの保留数に対応する保留表示が行われる。第２保留表示部５ＨＬでは、第２特図を用いた特図ゲームの保留数に対応する保留表示が行われる。第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２３】
第１保留表示部５ＨＲは、例えば左詰めで第１保留表示が行われるように構成されていればよい。第１保留表示部５ＨＲには、第１特図保留記憶数の上限値である「４」にあわせた４つの表示部位が設けられ、左端から順に保留番号「１」、「２」、「３」、「４」と対応付けられていればよい。第１始動条件の成立により第１特図を用いた特図ゲームの保留数が増加したときには、第１保留表示部５ＨＲに他の第１保留表示がなければ、第１保留表示部５ＨＲにおいて保留番号「１」に対応した左端の表示部位にて、増加分の第１特図保留記憶数に対応する保留表示として、新たな第１保留表示を追加する。第１保留表示部５ＨＲに他の第１保留表示があれば、新たな第１保留表示を、他の第１保留表示が行われている表示部位の右隣にて非表示となっている表示部位（保留番号「２」〜「４」のいずれかに対応）に追加する。第１保留表示部５ＨＲに複数の第１保留表示がある場合に、新たな第１開始条件の成立により第１特図を用いた特図ゲームが開始されるときには、第１保留表示部５ＨＲにおいて保留番号「１」に対応した左端の表示部位における第１保留表示を消去（消化）するとともに、他の保留番号「２」〜「４」に対応した表示部位における第１保留表示のそれぞれを、消去した表示部位の方向（左側）に移動（シフト）させる。このように、第１保留表示部５ＨＲでは、第１特図を用いた特図ゲームのうちで未だ開始されていない特図ゲームに対応する保留表示として、第１保留表示が行われる。
【００２４】
第２保留表示部５ＨＬは、例えば右詰めで第２保留表示が行われるように構成されていればよい。第２保留表示部５ＨＬには、第２特図保留記憶数の上限値である「４」にあわせた４つの表示部位が設けられ、右端から順に保留番号「１」、「２」、「３」、「４」と対応付けられていればよい。第２始動条件の成立により第２特図を用いた特図ゲームの保留数が増加したときには、第２保留表示部５ＨＬに他の第２保留表示がなければ、第２保留表示部５ＨＬにおいて保留番号「１」に対応した右端の表示部位にて、増加分の第２特図保留記憶数に対応する保留表示として、新たな第２保留表示を追加する。第２保留表示部５ＨＬに他の第２保留表示があれば、新たな第２保留表示を、他の第２保留表示が行われている表示部位の左隣にて非表示となっている表示部位（保留番号「２」〜「４」のいずれかに対応）に追加する。第２保留表示部５ＨＬに複数の第２保留表示がある場合に、新たな第２開始条件の成立により第２特図を用いた特図ゲームが開始されるときには、第２保留表示部５ＨＬにおいて保留番号「１」に対応した右端の表示部位における第２保留表示を消去（消化）するとともに、他の保留番号「２」〜「４」に対応した表示部位における第２保留表示のそれぞれを、消去した表示部位の方向（右側）に移動（シフト）させる。このように、第２保留表示部５ＨＬでは、第２特図を用いた特図ゲームのうちで未だ開始されていない特図ゲームに対応する保留表示として、第２保留表示が行われる。
【００２５】
アクティブ表示部ＡＨＡは、実行中の可変表示に対応して、保留表示と同一の演出画像または異なる演出画像を表示する。アクティブ表示部ＡＨＡにおける表示は、アクティブ表示（可変表示対応表示、消化時表示あるいは今回表示などともいう）と称する。アクティブ表示部ＡＨＡでは、例えば第１開始条件の成立により第１特図を用いた特図ゲームが開始されることに対応して、第１保留表示部５ＨＲにて消去（消化）された第１保留表示に応じたアクティブ表示が行われる。また、アクティブ表示部ＡＨＡでは、例えば第２開始条件の成立により第２特図を用いた特図ゲームが開始されることに対応して、第２保留表示部５ＨＬにて消去（消化）された第２保留表示に応じたアクティブ表示が行われる。なお、第１保留表示や第２保留表示とアクティブ表示とでは、色彩や模様が共通するものであればよく、例えばアクティブ表示は第１保留表示や第２保留表示よりも大きく表示されるものであってもよい。ただし、この実施の形態におけるアクティブ表示の表示態様は、アクティブ表示変化演出が実行されることにより、第１保留表示や第２保留表示の表示態様とは異なる表示態様に変化する場合がある。
【００２６】
図１に示された画像表示装置５の画面上には、第１保留表示部５ＨＲと第２保留表示部５ＨＬとの間にアクティブ表示部ＡＨＡが配置されている。これに対し、アクティブ表示部ＡＨＡは、第１保留表示部５ＨＲと第２保留表示部５ＨＬとの間に配置されるものに限定されず、画像表示装置５の画面上における任意の位置に配置されていればよい。また、第１保留表示部５ＨＲや第２保留表示部５ＨＬの配置も任意に変更可能であり、例えば第１保留表示部５ＨＲと第２保留表示部５ＨＬとを入れ替えて配置したものでもよい。
【００２７】
第１保留表示部５ＨＲや第２保留表示部５ＨＬとともに、あるいは第１保留表示部５ＨＲや第２保留表示部５ＨＬに代えて、特図保留記憶数を表示可能な表示器を設けるようにしてもよい。図１に示す例では、第１保留表示部５ＨＲや第２保留表示部５ＨＬとともに、第１特別図柄表示装置４Ａおよび第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１保留表示器２５Ａと第２保留表示器２５Ｂはそれぞれ、例えば第１特図保留記憶数と第２特図保留記憶数のそれぞれにおける上限値（例えば「４」）に対応した個数（例えば４個）のＬＥＤを含んで構成されている。
【００２８】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用のソレノイド８１によって垂直位置となる閉鎖状態と傾動位置となる開放状態とに変化する一対の可動翼片を有する電動チューリップ型役物（普通電動役物）を備え、第２始動入賞口を形成する。
【００２９】
一例として、普通可変入賞球装置６Ｂでは、普通電動役物用のソレノイド８１がオフ状態であるときに可動翼片が垂直位置となることにより、第２始動入賞口を遊技球が通過（進入）しない閉鎖状態にする。その一方で、普通可変入賞球装置６Ｂでは、普通電動役物用のソレノイド８１がオン状態であるときに可動翼片が傾動位置となることにより、第２始動入賞口を遊技球が通過（進入）できる開放状態にする。なお、普通可変入賞球装置６Ｂは、ソレノイド８１がオフ状態であるときに通常開放状態となり、第２始動入賞口を遊技球が進入（通過）できる一方、ソレノイド８１がオン状態であるときの拡大開放状態よりも遊技球が進入（通過）しにくいように構成してもよい。このように、普通可変入賞球装置６Ｂは、第２始動入賞口を遊技球が通過（進入）可能な開放状態または拡大開放状態といった第１可変状態と、遊技球が通過（進入）不可能な閉鎖状態または通過（進入）困難な通常開放状態といった第２可変状態とに、変化できるように構成されている。
【００３０】
普通入賞球装置６Ａに形成された第１始動入賞口に進入した遊技球は、例えば図２に示す第１始動口スイッチ２２Ａによって検出される。普通可変入賞球装置６Ｂに形成された第２始動入賞口に進入した遊技球は、例えば図２に示す第２始動口スイッチ２２Ｂによって検出される。第１始動口スイッチ２２Ａによって遊技球が検出されたことに基づき、所定個数（例えば３個）の遊技球が賞球（景品遊技媒体）として払い出され、第１保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２保留記憶数が所定の上限値以下であれば、第２始動条件が成立する。
【００３１】
なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。パチンコ遊技機１は、賞球となる遊技球を直接に払い出すものであってもよいし、賞球となる遊技球の個数に対応した得点を付与するものであってもよい。
【００３２】
普通入賞球装置６Ａと普通可変入賞球装置６Ｂの下方には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００３３】
一例として、特別可変入賞球装置７では、大入賞口扉用のソレノイド８２がオフ状態であるときに大入賞口扉が大入賞口を閉鎖状態として、遊技球が大入賞口を通過（進入）できなくなる。その一方で、特別可変入賞球装置７では、大入賞口扉用のソレノイド８２がオン状態であるときに大入賞口扉が大入賞口を開放状態として、遊技球が大入賞口を通過（進入）しやすくなる。このように、特定領域としての大入賞口は、遊技球が通過（進入）しやすく遊技者にとって有利な開放状態と、遊技球が通過（進入）できず遊技者にとって不利な閉鎖状態とに変化する。なお、遊技球が大入賞口を通過（進入）できない閉鎖状態に代えて、あるいは閉鎖状態の他に、遊技球が大入賞口を通過（進入）しにくい一部開放状態を設けてもよい。
【００３４】
大入賞口を通過（進入）した遊技球は、例えば図２に示すカウントスイッチ２３によって検出される。カウントスイッチ２３によって遊技球が検出されたことに基づき、所定個数（例えば１４個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３５】
遊技盤２の所定位置（図１に示す例では、遊技領域の左側方）には、普通図柄表示器２０が設けられている。普通図柄表示器２０は、例えば７セグメントやドットマトリクスのＬＥＤあるいは小型の液晶表示装置といった、第１特別図柄表示装置４Ａや第２特別図柄表示装置４Ｂと同様の発光部材または表示部材を用いて構成されていればよい。普通図柄表示器２０は、普通図柄の可変表示を実行可能な表示器である。普通図柄の可変表示では、特別図柄とは異なる複数種類あるいは単一種類の識別情報である普通図柄（「普図」あるいは「普通図」ともいう）が変動可能に表示される。このような普通図柄の可変表示は、普図ゲーム（あるいは「普通図ゲーム」）とも称される。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３６】
遊技盤２の表面には、上記の構成以外にも、遊技球の流下方向や速度を変化させる風車及び多数の障害釘が設けられている。また、第１始動入賞口、第２始動入賞口および大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００３７】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。
【００３８】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００３９】
下皿を形成する部材には、例えば下皿本体の上面における手前側の所定位置（例えば下皿の中央部分）などに、遊技者が把持して傾倒操作が可能なスティックコントローラ３１Ａが取り付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検知するトリガセンサが内蔵されていればよい。トリガセンサは、スティックコントローラ３１Ａのトリガボタンに対する押引操作といった、遊技者による動作を検出したか否かに応じて、第１動作検出信号の出力状態（オフ状態とオン状態）を変化させることができる。
【００４０】
スティックコントローラ３１Ａの下部における下皿の本体内部などには、操作桿に対する傾倒操作を検知する傾倒方向センサユニットを含むコントローラセンサユニット３５Ａが設けられていればよい。例えば、傾倒方向センサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組み合わせた４つの透過形フォトセンサを含んで構成されていればよい。コントローラセンサユニット３５Ａは、スティックコントローラ３１Ａの操作桿に対する傾倒操作といった、遊技者による動作を検出したか否かに応じて、第２動作検出信号の出力状態（オフ状態とオン状態、傾動方向に応じた出力値など）を変化させることができる。
【００４１】
上皿を形成する部材には、例えば上皿本体の上面における手前側の所定位置（例えばスティックコントローラ３１Ａの上方）などに、遊技者が押下操作などにより所定の指示操作を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサ３５Ｂが設けられていればよい。プッシュセンサ３５Ｂは、プッシュボタン３１Ｂに対する押下操作といった、遊技者による動作を検出したか否かに応じて、第３動作検出信号の出力状態（オフ状態とオン状態）を変化させることができる。
【００４２】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤などの背面には、例えば払出制御基板、情報端子基板、発射制御基板、インタフェース基板、タッチセンサ基板などといった、各種の基板が配置されている。
【００４３】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯制御と消灯制御とを行って第１特図や第２特図の可変表示を制御することや、普通図柄表示器２０の点灯制御と消灯制御あるいは発色制御などを行って普通図柄表示器２０による普通図柄の可変表示を制御することといった、所定の表示図柄の可変表示を制御する機能も備えている。
【００４４】
主基板１１には、例えば遊技制御用マイクロコンピュータ１００やスイッチ回路１１０、ソレノイド回路１１１などが搭載されている。スイッチ回路１１０は、遊技球検出用の各種スイッチからの検出信号を取り込んで遊技制御用マイクロコンピュータ１００に伝送する。ソレノイド回路１１１は、遊技制御用マイクロコンピュータ１００からのソレノイド駆動信号を、普通電動役物用のソレノイド８１や大入賞口扉用のソレノイド８２に伝送する。
【００４５】
演出制御基板１２は、主基板１１とは独立したサブ側の制御基板であり、中継基板１５を介して主基板１１から伝送された制御信号を受信して、画像表示装置５、スピーカ８Ｌ、８Ｒおよび遊技効果ランプ９や他の装飾用ＬＥＤといった演出用の電気部品による演出動作を制御するための各種回路が搭載されている。すなわち、演出制御基板１２は、画像表示装置５における表示状態や、スピーカ８Ｌ、８Ｒからの音声出力状態の全部または一部、遊技効果ランプ９や装飾用ＬＥＤなどにおける点灯状態や消灯状態の全部または一部、その他の演出用可動部材における動作状態といった、演出用の電気部品における動作状態の制御内容を決定する機能を備えている。
【００４６】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９や他の装飾用ＬＥＤなどに駆動電流を供給するランプドライバ回路などが搭載されている。
【００４７】
図２に示すように、主基板１１には、ゲートスイッチ２１、始動口スイッチ（第１始動口スイッチ２２Ａおよび第２始動口スイッチ２２Ｂ）、カウントスイッチ２３といった、各種スイッチからの検出信号を伝送する配線が接続されている。なお、各種スイッチは、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００４８】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンド、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。これらの演出制御コマンドはいずれも、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」となり、ＥＸＴデータの先頭ビットは「０」となるように、予め設定されていればよい。
【００４９】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。ＲＯＭ１０１は、書込あるいは書換などが不能な不揮発性で読出専用の半導体メモリとして構成されたものであればよい。あるいは、ＲＯＭ１０１は、例えばＥＥＰＲＯＭ（Electronically Erasable and Programmable ROM）あるいはＮＡＮＤ型フラッシュＲＯＭといった、電気的に消去や書込あるいは書換などが可能な不揮発性で読出専用の半導体メモリとして構成されたものであってもよい。
【００５０】
遊技制御用マイクロコンピュータ１００では、ＣＰＵ１０３がＲＯＭ１０１から読み出した遊技制御用のプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。乱数回路１０４は、遊技の進行を制御するために用いられる各種の乱数値の一部または全部を示す数値データをカウントするものであればよい。
【００５１】
なお、遊技制御用マイクロコンピュータ１００を構成する１チップのマイクロコンピュータは、少なくともＣＰＵ１０３の他にＲＡＭ１０２が内蔵されていればよく、ＲＯＭ１０１や乱数回路１０４、Ｉ／Ｏ１０５などは外付けされてもよい。
【００５２】
遊技制御用マイクロコンピュータ１００では、例えば乱数回路１０４などにより、遊技の進行を制御するために用いられる各種の乱数値を示す数値データが更新可能にカウントされる。遊技の進行を制御するために用いられる乱数は、遊技用乱数ともいう。遊技用乱数は、乱数回路１０４などのハードウェアによって一部または全部が更新されるものであってもよいし、遊技制御用マイクロコンピュータ１００のＣＰＵ１０３が所定のコンピュータプログラムを実行することでソフトウェアによって一部または全部が更新されるものであってもよい。例えば、遊技制御用マイクロコンピュータ１００におけるＲＡＭ１０２の所定領域（遊技制御カウンタ設定部など）に設けられたランダムカウンタや、ＲＡＭ１０２とは別個の内部レジスタに設けられたランダムカウンタに、所定の乱数値を示す数値データを格納し、ＣＰＵ１０３が定期的または不定期的に格納値を更新することで、乱数値の更新が行われるようにしてもよい。
【００５３】
遊技制御用マイクロコンピュータ１００が備えるＲＯＭ１０１には、遊技制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、複数種類の変動パターンを格納する変動パターンテーブルを構成するテーブルデータなどが、記憶されている。遊技制御用マイクロコンピュータ１００が備えるＲＡＭ１０２には、パチンコ遊技機１における遊技の進行などを制御するために用いられる各種データが書換可能に一時記憶される。
【００５４】
演出制御基板１２には、演出制御用のプログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００５５】
演出制御基板１２では、演出制御用ＣＰＵ１２０がＲＯＭ１２１から読み出した演出制御用のプログラムを実行することにより、演出用の電気部品における動作状態などを制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００５６】
演出制御用ＣＰＵ１２０、ＲＯＭ１２１、ＲＡＭ１２２は、演出制御基板１２に搭載された１チップの演出制御用マイクロコンピュータに含まれてもよい。演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。さらに、演出制御基板１２には、スティックコントローラ３１Ａに対する遊技者の操作行為を検出したことを示す情報信号としての操作検出信号を、コントローラセンサユニット３５Ａから伝送するための配線や、プッシュボタン３１Ｂに対する遊技者の操作行為を検出したことを示す情報信号としての操作検出信号を、プッシュセンサ３５Ｂから伝送するための配線も接続されている。
【００５７】
演出制御基板１２では、例えば乱数回路１２４やＲＡＭ１２２の所定領域に設けられた演出用ランダムカウンタなどにより、演出動作を制御するために用いられる各種の乱数値を示す数値データが更新可能にカウントされる。こうした演出動作を制御するために用いられる乱数は、演出用乱数ともいう。一例として、演出制御基板１２の側では、飾り図柄の可変表示における停止図柄決定用の乱数値や、予告演出決定用の乱数値といった、各種の演出決定用の乱数値を示す数値データがカウント可能に制御される。
【００５８】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。演出制御パターンは、例えば演出制御プロセスタイマ判定値と対応付けられた演出制御実行データ（表示制御データ、音声制御データ、ランプ制御データ、操作検出制御データなど）や終了コードなどを含んだプロセスデータから構成されている。演出制御基板１２に搭載されたＲＡＭ１２２には、演出動作を制御するために用いられる各種データが記憶される。
【００５９】
演出制御基板１２に搭載された表示制御部１２３は、演出制御用ＣＰＵ１２０からの表示制御指令などに基づき、画像表示装置５における表示動作の制御内容を決定する。例えば、表示制御部１２３は、画像表示装置５の表示画面内に表示させる演出画像の切換タイミングを決定することなどにより、飾り図柄の可変表示や各種の演出表示を実行させるための制御を行う。一例として、表示制御部１２３には、ＶＤＰ（Video Display Processor）、ＣＧＲＯＭ（Character Generator ROM）、ＶＲＡＭ（Video RAM）、ＬＣＤ駆動回路などが搭載されていればよい。なお、ＶＤＰは、ＧＰＵ（Graphics Processing Unit）、ＧＣＬ（Graphics Controller LSI）、あるいは、より一般的にＤＳＰ（Digital Signal Processor）と称される画像処理用のマイクロプロセッサであってもよい。ＣＧＲＯＭは、例えば書換不能な半導体メモリであってもよいし、フラッシュメモリなどの書換可能な半導体メモリであってもよく、あるいは、磁気メモリ、光学メモリといった、不揮発性記録媒体のいずれかを用いて構成されたものであればよい。
【００６０】
演出制御基板１２に搭載されたＩ／Ｏ１２５は、例えば主基板１１などから伝送された演出制御コマンドを取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される指令（効果音信号）、ランプ制御基板１４へと伝送される指令（電飾信号）などが出力される。
【００６１】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作（例えば回転操作）されたことに基づいて、所定の打球発射装置が備える発射モータなどにより、遊技媒体としての遊技球が遊技領域に向けて発射される。遊技領域を流下した遊技球が、普通入賞球装置６Ａに形成された第１始動入賞口（第１始動領域）を通過（進入）すると、図２に示す第１始動口スイッチ２２Ａによって遊技球が検出されたことなどにより第１始動条件が成立する。その後、例えば前回の特図ゲームや大当り遊技状態が終了したことなどにより第１開始条件が成立したことに基づいて、第１特別図柄表示装置４Ａによる第１特図を用いた特図ゲームが開始される。
【００６２】
また、遊技球が普通可変入賞球装置６Ｂに形成された第２始動入賞口（第２始動領域）を通過（進入）すると、図２に示す第２始動口スイッチ２２Ｂによって遊技球が検出されたことなどにより第２始動条件が成立する。その後、例えば前回の特図ゲームや大当り遊技状態が終了したことなどにより第２開始条件が成立したことに基づいて、第２特別図柄表示装置４Ｂによる第２特図を用いた特図ゲームが開始される。ただし、普通可変入賞球装置６Ｂが第２可変状態としての通常開放状態や閉鎖状態であるときには、第２始動入賞口を遊技球が通過困難または通過不可能である。
【００６３】
通過ゲート４１を通過した遊技球が図２に示すゲートスイッチ２１によって検出されたことに基づいて、普通図柄表示器２０にて普通図柄の可変表示を実行するための普図始動条件が成立する。その後、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後、所定時間が経過すると、普通図柄の可変表示結果となる確定普通図柄を停止表示（導出表示）する。このとき、確定普通図柄として特定の普通図柄（普図当り図柄）が停止表示されれば、普通図柄の可変表示結果が「普図当り」となる。その一方、確定普通図柄として普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる開放制御や拡大開放制御が行われ、所定時間が経過すると垂直位置に戻る閉鎖制御や通常開放制御が行われる。
【００６４】
第１特別図柄表示装置４Ａによる第１特図を用いた特図ゲームが開始されるときや、第２特別図柄表示装置４Ｂによる第２特図を用いた特図ゲームが開始されるときには、特別図柄の可変表示結果を、予め定められた特定表示結果としての「大当り」にするか否かが、その可変表示結果を導出表示する以前に決定（事前決定）される。そして、可変表示結果の決定に基づく所定割合で、変動パターンの決定などが行われ、可変表示結果や変動パターンを指定する演出制御コマンドが、図２に示す主基板１１の遊技制御用マイクロコンピュータ１００から演出制御基板１２に向けて伝送される。
【００６５】
こうした可変表示結果や変動パターンの決定に基づいて特図ゲームが開始された後、例えば変動パターンに対応して予め定められた可変表示時間が経過したときには、可変表示結果となる確定特別図柄が導出表示される。第１特別図柄表示装置４Ａや第２特別図柄表示装置４Ｂによる特別図柄の可変表示に対応して、画像表示装置５の画面上に配置された「左」、「中」、「右」の飾り図柄表示エリア５Ｌ、５Ｃ、５Ｒでは、特別図柄とは異なる飾り図柄（演出図柄）の可変表示が行われる。「左」、「中」、「右」の飾り図柄表示エリア５Ｌ、５Ｃ、５Ｒで可変表示される飾り図柄は、それぞれ左図柄、中図柄、右図柄ともいう。第１特別図柄表示装置４Ａによる第１特図を用いた特図ゲームや、第２特別図柄表示装置４Ｂによる第２特図を用いた特図ゲームにおいて、特別図柄の可変表示結果となる確定特別図柄が導出表示されるときには、画像表示装置５において飾り図柄の可変表示結果となる確定飾り図柄が導出表示される。
【００６６】
特別図柄の可変表示結果として予め定められた大当り図柄が導出表示されたときには、可変表示結果（特図表示結果）が「大当り」（特定表示結果）となり、遊技者にとって有利な有利状態のうちで特定遊技状態としての大当り遊技状態に制御される。すなわち、大当り遊技状態に制御されるか否かは、可変表示結果が「大当り」となるか否かに対応している。可変表示結果は特図ゲームが開始されるときに決定（事前決定）されるので、大当り遊技状態に制御されるか否かについても、可変表示結果を導出表示する以前に決定（事前決定）される。特別図柄の可変表示結果として、大当り図柄が導出表示されず、ハズレ図柄が導出表示されたときには、可変表示結果（特図表示結果）が「ハズレ」（非特定表示結果）となる。
【００６７】
第１特別図柄表示装置４Ａまたは第２特別図柄表示装置４Ｂに大当り図柄が停止表示（導出）されて可変表示結果が「大当り」となる場合には、画像表示装置５の表示領域において、予め定められた大当り組合せとなる確定飾り図柄が導出表示される。一例として、「左」、「中」、「右」の飾り図柄表示エリア５Ｌ、５Ｃ、５Ｒにおける所定の有効ライン上に同一の飾り図柄が揃って停止表示されることにより、大当り組合せとなる確定飾り図柄が導出表示されればよい。
【００６８】
大当り遊技状態では、大入賞口が開放状態となって特別可変入賞球装置７が遊技者にとって有利な第１状態となる。そして、所定の開放上限時間（例えば２９．５秒間または０．１秒間）が経過するまでの期間、あるいは所定個数（例えば９個）の遊技球が大入賞口に進入して入賞球が発生するまでの期間にて、大入賞口を継続して開放状態とするラウンド遊技（単に「ラウンド」ともいう）が実行される。こうしたラウンド遊技の実行期間以外の期間では、大入賞口が閉鎖状態となり、入賞球が発生困難または発生不可能となる。大入賞口に遊技球が進入したときには、カウントスイッチ２３により入賞球が検出され、その検出ごとに所定個数（例えば１５個）の遊技球が賞球として払い出される。大当り遊技状態におけるラウンド遊技は、所定の上限回数（例えば「２」または「１５」など）に達するまで繰返し実行される。
【００６９】
可変表示結果が「大当り」となる場合には、大当り種別が「非確変」、「確変」、「突確」のいずれかとなる場合が含まれていればよい。大当り種別が「非確変」または「確変」となった場合には、大当り遊技状態ににおけるラウンド遊技として、特別可変入賞球装置７を遊技者にとって有利な第１状態（大入賞口を開放状態）とする上限時間が比較的に長い時間（例えば２９．５秒間など）となる通常開放ラウンドが実行される。一方、大当り種別が「突確」となった場合には、大当り遊技状態におけるラウンド遊技として、特別可変入賞球装置７を第１状態（大入賞口を開放状態）とする上限時間が比較的に短い時間（例えば０．１秒間など）となる短期開放ラウンドが実行される。通常開放ラウンドが実行される大当り遊技状態は、第１特定遊技状態ともいう。短期開放ラウンドが実行される大当り遊技状態は、第２特定遊技状態ともいう。
【００７０】
大当り種別が「突確」である場合の大当り遊技状態では、短期開放ラウンドにて特別可変入賞球装置７を遊技者にとって有利な第１状態に変化させる上限時間（大入賞口扉により大入賞口を開放状態とする期間の上限）が、通常開放ラウンドにおける第１期間よりも短い第２期間（例えば０．１秒間）となる。なお、短期開放ラウンドにて大入賞口の開放期間が第２期間となるように制御される以外は、通常開放ラウンドが実行される場合と同様の制御が行われるようにしてもよい。あるいは、短期開放ラウンドが実行される場合には、ラウンド遊技の実行回数が、通常開放ラウンドの実行回数である第１ラウンド数（例えば「１５」）よりも少ない第２ラウンド数（例えば「２」）となるようにしていもよい。すなわち、短期開放ラウンドが実行される大当り遊技状態は、通常開放ラウンドが実行される大当り遊技状態に比べて、各ラウンド遊技にて大入賞口を遊技球が通過（進入）しやすい第１状態に変化させる期間が第１期間よりも短い第２期間となることと、ラウンド遊技の実行回数が第１ラウンド数よりも少ない第２ラウンド数となることのうち、少なくともいずれか一方となるものであればよい。
【００７１】
このような短期開放ラウンドが実行される場合には、大入賞口に遊技球が入賞すれば所定個数（例えば１５個）の出玉（賞球）が得られる。しかし、大入賞口の開放期間が第２期間（０．１秒間など）であることなどにより、実質的には出玉（賞球）が得られない大当り遊技状態となる。したがって、大当り種別が「突確」となったことに基づく大当り遊技状態（第２特定遊技状態）は、大当り種別が「非確変」または「確変」となったことに基づく大当り遊技状態（第１特定遊技状態）よりも、遊技者にとって不利な遊技状態となる。こうして、大当り種別が「非確変」または「確変」となったことに基づいて、通常開放ラウンドが実行される大当り遊技状態となった場合には、大入賞口を遊技球が通過しやすい第１変化態様で、特別可変入賞球装置７を第１状態（開放状態）と第２状態（閉鎖状態）とに変化させる制御が行われる。一方、大当り種別が「突確」となったことに基づいて、短期開放ラウンドが実行される大当り遊技状態となった場合には、大入賞口を遊技球が通過しにくい第２変化態様で、特別可変入賞球装置７を第１状態（開放状態）と第２状態（閉鎖状態）とに変化させる制御が行われる。
【００７２】
大当り遊技状態が終了した後には、予め定められた確変制御条件が成立したことに基づいて、通常状態よりも遊技者にとって有利な有利状態のうちで特別遊技状態に含まれる確変状態に制御されることがある。確変状態のときに可変表示結果が「大当り」となる確率（大当り確率）は、通常状態のときよりも高くなる。確変状態は、通常状態よりも大当り遊技状態に制御される確率が高くなることから、高確率状態とも称される。確変状態との対比において、通常状態などは低確率状態に含まれる。確変状態は、所定回数（例えば２００回）の可変表示が実行されること、または可変表示の実行回数が所定回数に達する以前に大当り遊技状態が開始されることなど、予め定められた確変終了条件が成立するまで継続するように制御される。なお、確変終了条件は、可変表示の実行回数にかかわらず、次回の大当り遊技状態が開始されるときに成立するようにしてもよい。大当り遊技状態が終了した後には、特別遊技状態に含まれて確変状態とは異なる時短状態に制御されることがある。時短状態のときには、平均的な可変表示時間が通常状態よりも短くなる。時短状態は、所定回数（例えば１００回）の可変表示が実行されたこと、または可変表示の実行回数が所定回数に達する以前に大当り遊技状態が開始されることなど、予め定められた時短終了条件が成立するまで継続するように制御される。一例として、大当り種別が「非確変」である場合に大当り遊技状態が終了した後には、遊技状態が時短状態となる。一方、大当り種別が「確変」または「突確」である場合に大当り遊技状態が終了した後には、遊技状態が確変状態となる。
【００７３】
確変状態や時短状態では、通常状態よりも第２始動入賞口を遊技球が通過（進入）しやすい有利変化態様で、普通可変入賞球装置６Ｂを第１可変状態（開放状態または拡大開放状態）と第２可変状態（閉鎖状態または通常開放状態）とに変化させる。例えば、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御により、普通可変入賞球装置６Ｂを有利変化態様で第１可変状態と第２可変状態とに変化させればよい。なお、これらの制御のいずれか１つが行われるようにしてもよいし、複数の制御が組み合わせられて行われるようにしてもよい。このように、普通可変入賞球装置６Ｂを有利変化態様で第１可変状態と第２可変状態とに変化させる制御は、高開放制御（「高ベース制御」ともいう）と称される。高開放制御が行われる遊技状態は、高開放状態（あるいは有利開放状態）とも称される。高開放状態との対比において、通常状態などは低開放状態（あるいは通常開放状態）とも称される。確変状態や時短状態に制御されることにより、次に可変表示結果が「大当り」となるまでの所要時間が短縮され、通常状態よりも遊技者にとって有利な特別遊技状態となる。なお、確変状態にて確変制御が行われるときでも、高開放制御が行われない場合があってもよい。
【００７４】
画像表示装置５において、最終停止図柄（例えば左図柄、中図柄、右図柄のうちの中図柄）となる図柄以外の飾り図柄が、所定時間継続して大当り組合せと一致している状態で停止、揺動、拡大縮小もしくは変形している状態、または、複数の飾り図柄が同一図柄で同期して変動したり、表示位置が入れ替わっていたりして、最終結果が表示される前で大当り発生の可能性が継続している状態（以下、これらの状態をリーチ状態という。）において行われる演出を、リーチ演出という。リーチ演出として、画像表示装置５の画面上に飾り図柄とは異なるキャラクタ画像（人物等を模した演出画像）を表示させることや、背景画像の表示態様を変化させること、飾り図柄とは異なる動画像を再生表示させることといった、飾り図柄の変動態様を変化させることとは異なる演出動作が実行されてもよい。画像表示装置５における表示動作のみならず、スピーカ８Ｌ、８Ｒによる音声出力動作や、遊技効果ランプ９などの発光体における点灯動作（点滅動作）などを、リーチ態様となる以前の動作態様とは異なる動作態様とすることが、リーチ演出に含まれていてもよい。リーチ状態やその様子をリーチ態様という。さらに、リーチ演出を含む可変表示をリーチ可変表示という。そして、画像表示装置５の画面上で変動表示される図柄の表示結果が大当り組合せでない場合には「ハズレ」となり、変動表示状態は終了する。
【００７５】
リーチ演出における演出動作としては、互いに動作態様（演出態様）が異なる複数種類の演出パターン（リーチパターンともいう）が、予め用意されていればよい。そして、それぞれのリーチ演出における演出態様に応じて、「大当り」となる可能性（信頼度、あるいは大当り信頼度ともいう）が異なる。すなわち、複数種類のリーチ演出のいずれが実行されるかに応じて、可変表示結果が「大当り」となる可能性を異ならせることができる。この実施の形態では、一例として、ノーマルのリーチ演出（ノーマルリーチ）とスーパーのリーチ演出（スーパーリーチ）が予め設定されている。そして、スーパーリーチにおけるリーチ演出が実行された場合には、ノーマルリーチにおけるリーチ演出が実行された場合に比べて、可変表示結果が「大当り」となる可能性（大当り期待度）が高くなる。なお、スーパーリーチとなるリーチ演出には、他のスーパーリーチに比べて大当り期待度が高くなる特定のリーチ演出を実行するスーパーリーチを含む複数種類のリーチ演出があってもよい。
【００７６】
飾り図柄の可変表示中には、リーチ演出とは異なり、飾り図柄の可変表示状態がリーチ状態となる可能性があることや、可変表示結果が「大当り」となる可能性があることなどを、飾り図柄の可変表示態様などにより遊技者に報知するための可変表示演出が実行されることがある。一例として、飾り図柄の可変表示中には「擬似連」の可変表示演出が実行可能であればよい。「擬似連」の可変表示演出は、主基板１１の側で変動パターンが決定されることなどに対応して実行するか否かが決定されればよい。
【００７７】
「擬似連」の可変表示演出では、特図ゲームの開始条件が１回成立したことに対応して、飾り図柄の可変表示が開始されてから可変表示結果となる確定飾り図柄（最終停止図柄）が導出表示されるまでに一旦仮停止させた後、再び変動（擬似連変動）させる演出表示を、所定回（例えば最大３回）まで行うことができる。擬似連変動の回数は、飾り図柄の可変表示が開始されてから全部の飾り図柄が最初に一旦仮停止するまでの初回変動を除く、「左」、「中」、「右」の飾り図柄表示エリア５Ｌ、５Ｃ、５Ｒにおける全部にて飾り図柄が再変動する回数であればよい。
【００７８】
こうした飾り図柄の可変表示動作を利用した可変表示演出としては、「擬似連」の他にも、例えば「滑り」や「発展チャンス目」、「発展チャンス目終了」、「チャンス目停止後滑り」といった、各種の演出動作が実行されてもよい。ここで、「滑り」の可変表示演出では、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて飾り図柄を変動させてから、単一または複数の飾り図柄表示エリア（例えば「左」及び「右」の飾り図柄表示エリア５Ｌ、５Ｒなど）にて飾り図柄を仮停止表示させた後、その仮停止表示した飾り図柄表示エリアのうち所定数（例えば「１」または「２」）の飾り図柄表示エリア（例えば「左」の飾り図柄表示エリア５Ｌと「右」の飾り図柄表示エリア５Ｒのいずれか一方または双方）にて飾り図柄を再び変動させた後に停止表示させることで、停止表示する飾り図柄を変更させる演出表示が行われる。
【００７９】
「発展チャンス目」の可変表示演出では、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて、予め定められた特殊組合せに含まれる発展チャンス目を構成する飾り図柄を仮停止表示させた後、飾り図柄の可変表示状態をリーチ状態として所定のリーチ演出が開始される。一方、「発展チャンス目終了」の可変表示演出では、飾り図柄の可変表示が開始された後に、「左」、「中」、「右」の飾り図柄表示エリア５Ｌ、５Ｃ、５Ｒにおける全部にて、発展チャンス目として予め定められた組合せの飾り図柄を、確定飾り図柄として導出表示させる演出表示が行われる。「チャンス目停止後滑り」の可変表示演出では、「擬似連」の可変表示演出と同様に、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて擬似連チャンス目となるハズレ組合せ（特殊組合せ）の飾り図柄を一旦仮停止表示させた後、飾り図柄表示エリア５Ｌ、５Ｃ、５Ｒの全部にて飾り図柄を再び変動させる「擬似連」の可変表示演出とは異なり、飾り図柄表示エリア５Ｌ、５Ｃ、５Ｒの一部にて飾り図柄を再び変動させることで、停止表示する飾り図柄を変更させる演出表示が行われる。
【００８０】
飾り図柄の可変表示中には、リーチ演出あるいは「擬似連」などの可変表示演出とは異なり、例えば所定の演出画像を表示することや、メッセージとなる画像表示や音声出力などのように、飾り図柄の可変表示動作とは異なる演出動作により、飾り図柄の可変表示状態がリーチ状態となる可能性があることや、スーパーリーチによるリーチ演出が実行される可能性があること、可変表示結果が「大当り」となる可能性があることなどを、遊技者に予め告知するための予告演出が実行されることがある。
【００８１】
予告演出となる演出動作は、「左」、「中」、「右」の飾り図柄表示エリア５Ｌ、５Ｃ、５Ｒの全部にて飾り図柄の可変表示が開始されてから、飾り図柄の可変表示態様がリーチ態様となるより前（「左」及び「右」の飾り図柄表示エリア５Ｌ、５Ｒにて飾り図柄が仮停止表示されるより前）に実行（開始）されるものであればよい。また、可変表示結果が「大当り」となる可能性があることを報知する予告演出には、飾り図柄の可変表示態様がリーチ態様となった後に実行されるものが含まれていてもよい。このように、予告演出は、特別図柄や飾り図柄の可変表示が開始されてから可変表示結果となる確定特別図柄や確定飾り図柄が導出されるまでの所定タイミングにて、大当り遊技状態となる可能性を予告できるものであればよい。こうした予告演出を実行する場合における演出動作の内容（演出態様）に対応して、複数の予告パターンが予め用意されている。
【００８２】
予告演出のうちには、先読み予告演出（先読み演出ともいう）となるものが含まれている。先読み予告演出は、可変表示結果が「大当り」となる可能性などが予告される対象（予告対象）となる可変表示が実行されるより前に、演出態様に応じて可変表示結果が「大当り」となる可能性を予告可能な予告演出である。特に、複数回の特図ゲームに対応して複数回実行される飾り図柄の可変表示にわたり連続して予告する先読み予告演出は、連続予告演出ともいう。先読み予告演出では、予告対象となる可変表示が開始されるより前に、例えば始動入賞の発生による特図ゲームの保留記憶などに基づいて可変表示結果が「大当り」となる可能性などを予告するための演出動作が開始される。先読み予告演出との対比において、予告対象となる可変表示が開始された後に実行が開始される予告演出は、単独予告演出（単独予告、当該変動予告、あるいは可変表示中予告演出ともいう）と称される。
【００８３】
始動入賞の発生に基づいて実行される先読み予告演出は、始動入賞が発生した後に、先読み予告演出による予告内容が実現されるか否かを遊技者が判別できるよりも前に実行（開始）されるものであればよい。例えば、ある始動入賞の発生によりリーチ状態となる可能性があることを予告する先読み予告演出は、少なくとも始動入賞の発生に基づく飾り図柄の可変表示状態がリーチ状態（または非リーチ状態）となるより前に実行（開始）されるものであればよい。また、ある始動入賞の発生により可変表示結果が「大当り」となる可能性があることを予告する先読み予告演出は、少なくとも始動入賞の発生に基づく可変表示において確定飾り図柄が停止表示されるよりも前に実行（開始）されるものであればよい。
【００８４】
この実施の形態では、先読み予告演出の一例として、「保留表示変化」の予告演出が実行される。「保留表示変化」の予告演出は、第１保留表示部５ＨＲにおける第１保留表示や第２保留表示部５ＨＬにおける第２保留表示のうちで少なくとも１つの保留表示を、通常時における表示態様とは異なる表示態様に変化させることにより、その保留表示に対応する可変表示において所定割合で「大当り」となり大当り遊技状態に制御されることを予告する。「保留表示変化」の予告演出により、未だ開始されていない可変表示に対応する保留表示の表示色を、通常時における所定色（例えば白色）とは異なる特定色（例えば赤色、緑色、青色のいずれかなど）へと変化させることで、保留表示の表示態様における変化を認識可能にして、所定割合で可変表示結果が「大当り」となることを示唆できればよい。また、保留表示における表示柄を通常時とは異なる特定柄（例えばサクラ柄など）へと変化させることで、可変表示結果が「大当り」となる割合が通常よりも高いことを示唆できるようにしてもよい。あるいは、第１保留表示や第２保留表示として所定のメッセージ（例えば「秘」など）を示す表示態様とすることにより、表示色が特定色に変化する割合が通常よりも高いことを示唆できるようにしてもよい。こうした表示態様が特定態様に変化する割合が高いことを示唆する保留表示は、示唆保留表示とも称する。「保留表示変化」の予告演出は、保留表示変化演出とも称する。
【００８５】
保留表示変化演出が実行されるときには、保留表示の表示態様を変化させる場合と、保留表示の表示態様を変化させない場合とがある。保留表示変化演出のうち、保留表示の表示態様を変化させる演出は、保留表示変化成功演出とも称する。保留表示変化演出のうち、保留表示の表示態様を変化させない演出は、保留表示変化失敗演出とも称する。その他、保留表示変化演出には、保留表示変化共通演出が含まれている。保留表示変化演出が実行されるときには、まず、保留表示の表示態様を変化させる場合でも変化させない場合でも共通の演出態様で保留表示変化共通演出が実行される。保留表示変化共通演出では、例えば所定のキャラクタを示す演出画像が画像表示装置５の画面上に表示され、予告対象となる可変表示に対応する保留表示に作用を及ぼすような作用演出が実行される。保留表示変化共通演出に含まれる作用演出は、第１保留表示部５ＨＲにおける第１保留表示や第２保留表示部５ＨＬにおける第２保留表示のいずれかに作用を及ぼすことにより、所定割合で保留表示の表示態様が変化することを示唆する表示演出であればよい。このような表示演出に伴い、スピーカ８Ｌ、８Ｒから所定の効果音を出力させたり、遊技効果ランプ９や装飾用ＬＥＤといった発光部材の一部または全部を所定の点灯態様で点灯させたり、演出用可動部材を所定の動作態様で動作させたりしてもよい。
【００８６】
保留表示変化共通演出が実行された後、保留表示変化成功演出を実行したときには、作用演出により作用を及ぼした保留表示の表示態様を変化させる。このように、保留表示変化共通演出における作用演出が実行された後、作用を及ぼした保留表示の表示態様が変化する保留表示変化成功演出は、第１成功演出としての保留変化演出ともいう。一方、保留表示変化共通演出が実行された後、保留表示変化失敗演出を実行したときには、作用演出により作用を及ぼした保留表示の表示態様を変化させない。このように、保留表示変化共通演出における作用演出が実行されたものの、作用を及ぼした保留表示の表示態様が変化しない保留表示変化失敗演出は、第１失敗演出としての保留変化ガセ演出とも称する。
【００８７】
保留表示変化演出が実行されて保留表示の表示態様を変化させるときには、１回の演出として、保留表示の表示態様を１回変化させる場合と、保留表示の表示態様を複数回変化させる場合とがある。ここで、保留表示変化演出となる１回の演出は、予め定められた演出開始タイミングから演出終了タイミングまでの連続する演出実行期間において実行可能な演出であればよい。保留表示変化演出のうち、１回の演出において保留表示の表示態様を１回変化させる演出は、保留表示単一変化演出とも称する。保留表示変化演出のうち、１回の演出において保留表示の表示態様を複数回変化させる演出は、保留表示複数変化演出とも称する。保留表示変化演出を実行可能な演出実行期間は、１回の可変表示が開始されてから表示結果が導出表示されるまでの可変表示期間に含まれる期間であればよい。この場合には、保留表示変化演出が実行されることにより、１回の可変表示において、保留表示の表示態様を１回変化させるときもあれば、保留表示の表示態様を複数回変化させるときもある。
【００８８】
この実施の形態では、単独予告演出の一例として、「アクティブ表示変化」の予告演出が実行される。「アクティブ表示変化」の予告演出は、アクティブ表示部ＡＨＡにおけるアクティブ表示を、通常時における表示態様とは異なる表示態様に変化させることにより、開始条件が成立して実行中の可変表示において所定割合で「大当り」となり大当り遊技状態に制御されることを予告する。「アクティブ表示変化」の予告演出により、実行中の可変表示に対応するアクティブ表示の演出画像を、通常時における丸型無地を示す演出画像とは異なる特定アイコンを示す演出画像へと変化させることで、例えば「？」、「チャンス」、「激熱」などのメッセージを報知して、所定割合で可変表示結果が「大当り」となることを示唆できればよい。その他、アクティブ表示部ＡＨＡに表示されるアイコンには、例えば「ＮＥＸＴ」などのメッセージを報知して、「擬似連」の可変表示演出における擬似連変動が実行されることを報知するアイコンがあってもよい。「アクティブ表示変化」の予告演出は、アクティブ表示変化演出とも称する。
【００８９】
アクティブ表示変化演出が実行されるときには、アクティブ表示の表示態様が変化する場合と変化しない場合とがある。アクティブ表示変化演出のうち、アクティブ表示の表示態様を変化させる演出は、アクティブ表示変化成功演出とも称する。アクティブ表示変化演出のうち、アクティブ表示の表示態様を変化させない演出は、アクティブ表示変化失敗演出とも称する。その他、アクティブ表示変化演出には、アクティブ表示変化共通演出が含まれている。アクティブ表示変化演出が実行されるときには、まず、アクティブ表示の表示態様を変化させる場合でも変化させない場合でも共通の演出態様でアクティブ表示変化共通演出が実行される。アクティブ表示変化共通演出では、保留表示変化共通演出と同様に、例えば所定のキャラクタを示す演出画像が画像表示装置５の画面上に表示され、アクティブ表示に作用を及ぼすような作用演出を含んでいればよい。アクティブ表示変化共通演出に含まれる作用演出は、アクティブ表示部ＡＨＡにおけるアクティブ表示に作用を及ぼすことにより、所定割合でアクティブ表示の表示態様が変化することを示唆する表示演出であればよい。このような表示演出に伴い、スピーカ８Ｌ、８Ｒから所定の効果音を出力させたり、遊技効果ランプ９や装飾用ＬＥＤといった発光体の一部または全部を所定の点灯態様で点灯させたり、演出用の可動部材を所定の動作態様で動作させたりしてもよい。
【００９０】
アクティブ表示変化共通演出が実行された後、アクティブ表示変化成功演出を実行したときには、作用演出により作用を及ぼしたアクティブ表示の表示態様を変化させる。このように、アクティブ表示変化共通演出における作用演出が実行された後、作用を及ぼしたアクティブ表示の表示態様が変化するアクティブ表示変化成功演出は、第２成功演出としてのアクティブ変化演出ともいう。一方、アクティブ表示変化共通演出が実行された後、アクティブ表示変化失敗演出を実行したときには、作用演出により作用を及ぼしたアクティブ表示の表示態様を変化させない。このように、アクティブ表示変化共通演出における作用演出が実行されたものの、作用を及ぼしたアクティブ表示の表示態様が変化しないアクティブ表示変化失敗演出は、第２失敗演出としてのアクティブ変化ガセ演出とも称する。
【００９１】
保留表示の表示態様を変化させる演出のうち、保留表示の表示色を変化させる演出は表示色変化演出とも称し、所定のメッセージ（例えば「秘」など）を示す表示態様に変化させる演出は特殊表示変化演出とも称する。アクティブ表示の表示態様を変化させる演出として、通常時の丸型無地とは異なる特定アイコンに変化させる演出は、アイコン表示変化演出とも称する。
【００９２】
第１特別図柄表示装置４Ａまたは第２特別図柄表示装置４Ｂにハズレ図柄が停止表示（導出）されて可変表示結果が「ハズレ」となる場合には、可変表示態様が「非リーチ」（「通常ハズレ」ともいう）となる場合と、可変表示態様が「リーチ」（「リーチハズレ」ともいう）となる場合とが含まれている。可変表示態様が「非リーチ」となる場合には、飾り図柄の可変表示が開始されてから、飾り図柄の可変表示状態がリーチ状態とならずに、リーチにならない所定の飾り図柄の組合せ（非リーチ組合せ）が停止表示（導出）される。可変表示態様が「リーチ」となる場合には、飾り図柄の可変表示が開始されてから、飾り図柄の可変表示状態がリーチ状態となった後にリーチ演出が実行され、最終的に大当り組合せとはならない所定の飾り図柄の組合せ（リーチ組合せ）が停止表示（導出）される。非リーチ組合せやリーチ組合せを構成する飾り図柄は、ハズレ図柄となる特別図柄とともに、非特定表示結果に含まれればよい。
【００９３】
次に、本実施例におけるパチンコ遊技機１の動作（作用）を説明する。
【００９４】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０２がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【００９５】
このような遊技制御メイン処理を実行したＣＰＵ１０３は、ＣＴＣからの割込み要求信号を受信して割込み要求を受け付けると、割込み禁止状態に設定して、所定の遊技制御用タイマ割込み処理を実行する。遊技制御用タイマ割込処理には、例えばスイッチ処理やメイン側エラー処理、情報出力処理、遊技用乱数更新処理、特別図柄プロセス処理、普通図柄プロセス処理、コマンド制御処理といった、パチンコ遊技機１における遊技の進行などを制御するための処理が含まれている。
【００９６】
スイッチ処理は、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する処理である。メイン側エラー処理は、パチンコ遊技機１の異常診断を行い、その診断結果に応じて必要ならば警告を発生可能とする処理である。情報出力処理は、例えばパチンコ遊技機１の外部に設置されたホール管理用コンピュータに供給される大当り情報、始動情報、確率変動情報などのデータを出力する処理である。遊技用乱数更新処理は、主基板１１の側で用いられる複数種類の遊技用乱数のうち、少なくとも一部をソフトウェアにより更新するための処理である。
【００９７】
一例として、主基板１１の側で用いられる遊技用乱数には、特図表示結果決定用の乱数値ＭＲ１と、大当り種別決定用の乱数値ＭＲ２と、変動パターン決定用の乱数値ＭＲ３と、普図表示結果決定用の乱数値ＭＲ５とが含まれていればよい。特図表示結果決定用の乱数値ＭＲ１は、特図ゲームにおける特別図柄などの可変表示結果を「大当り」として大当り遊技状態に制御するか否かの決定に用いられる乱数値である。大当り種別決定用の乱数値ＭＲ２は、可変表示結果を「大当り」とする場合に、大当り種別を「非確変」、「確変」、「突確」のいずれかといった、複数種別のいずれかに決定するために用いられる乱数値である。変動パターン決定用の乱数値ＭＲ３は、特別図柄や飾り図柄の可変表示における変動パターンを、予め用意された複数パターンのいずれかに決定するために用いられる乱数値である。普図表示結果決定用の乱数値ＭＲ５は、普図ゲームにおける普通図柄の可変表示結果を「普図当り」として普通可変入賞球装置６Ｂに形成された第２始動入賞口を閉鎖状態（通常開放状態）よりも高い頻度で遊技球が通過（進入）しやすい開放状態（拡大開放状態）に制御するか否かの決定に用いられる乱数値である。
【００９８】
遊技制御用タイマ割込処理に含まれる特別図柄プロセス処理では、ＲＡＭ１０２に設けられた特図プロセスフラグの値をパチンコ遊技機１における遊技の進行状況に応じて更新し、特別図柄表示装置４における表示動作の制御や、特別可変入賞球装置７における大入賞口の開閉動作設定などを、所定の手順で行うために、各種の処理が選択されて実行される。普通図柄プロセス処理は、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする処理である。普通図柄プロセス処理では、時短制御に伴う高開放制御として、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御の一部または全部が行われる。
【００９９】
コマンド制御処理は、主基板１１から演出制御基板１２などのサブ側の制御基板に対して制御コマンドを伝送させる処理である。一例として、コマンド制御処理では、ＲＡＭ１０２に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【０１００】
図３は、特別図柄プロセス処理の一例を示すフローチャートである。この特別図柄プロセス処理において、ＣＰＵ１０３は、まず、始動入賞判定処理を実行する（ステップＳ１０１）。始動入賞判定処理を実行した後、ＣＰＵ１０３は、ＲＡＭ１０２の所定領域（遊技制御フラグ設定部など）に設けられた特図プロセスフラグの値に応じて、ステップＳ１１０〜Ｓ１１７の処理のいずれかを選択して実行する。
【０１０１】
図４は、始動入賞判定処理として、図３のステップＳ１０１にて実行される処理の一例を示すフローチャートである。図４に示す始動入賞判定処理を開始すると、ＣＰＵ１０３は、まず、普通入賞球装置６Ａが形成する第１始動入賞口に対応して設けられた第１始動口スイッチ２２Ａからの検出信号に基づき、第１始動口スイッチ２２Ａがオンであるか否かを判定する（ステップＳ２０１）。このとき、第１始動口スイッチ２２Ａがオンであれば（ステップＳ２０１；Ｙｅｓ）、第１特図を用いた特図ゲームの保留記憶数である第１特図保留記憶数が、所定の上限値（例えば「４」）となっているか否かを判定する（ステップＳ２０２）。このとき、ＣＰＵ１０３は、ＲＡＭ１０２の所定領域（遊技制御カウンタ設定部など）に設けられた第１保留記憶数カウンタの格納値である第１保留記憶数カウント値を読み取ることにより、第１特図保留記憶数を特定できればよい。ステップＳ２０２にて第１特図保留記憶数が上限値ではないときには（ステップＳ２０２；Ｎｏ）、ＲＡＭ１０２の所定領域（遊技制御バッファ設定部など）に設けられた始動口バッファの格納値である始動口バッファ値を、「１」に設定する（ステップＳ２０３）。
【０１０２】
ステップＳ２０１にて第１始動口スイッチ２２Ａがオフであるときや（ステップＳ２０１；Ｎｏ）、ステップＳ２０２にて第１特図保留記憶数が上限値に達しているときには（ステップＳ２０２；Ｙｅｓ）、普通可変入賞球装置６Ｂが形成する第２始動入賞口に対応して設けられた第２始動口スイッチ２２Ｂからの検出信号に基づき、第２始動口スイッチ２２Ｂがオンであるか否かを判定する（ステップＳ２０４）。このとき、第２始動口スイッチ２２Ｂがオンであれば（ステップＳ２０４；Ｙｅｓ）、第２特図を用いた特図ゲームの保留記憶数である第２特図保留記憶数が、所定の上限値（例えば「４」）となっているか否かを判定する（ステップＳ２０５）。このとき、ＣＰＵ１０３は、ＲＡＭ１０２の所定領域（遊技制御カウンタ設定部など）に設けられた第２保留記憶数カウンタの格納値である第２保留記憶数カウント値を読み取ることにより、第２特図保留記憶数を特定できればよい。ステップＳ２０５にて第２特図保留記憶数が上限値ではないときには（ステップＳ２０５；Ｎｏ）、始動口バッファ値を「２」に設定する（ステップＳ２０６）。
【０１０３】
ステップＳ２０３、Ｓ２０６のいずれかを実行した後には、始動口バッファ値に応じた保留記憶数カウント値を１加算するように更新する（ステップＳ２０７）。例えば、始動口バッファ値が「１」であるときには第１保留記憶数カウント値を１加算する一方で、始動口バッファ値が「２」であるときには第２保留記憶数カウント値を１加算する。こうして、第１保留記憶数カウント値は、第１始動入賞口を遊技球が通過（進入）して第１特図を用いた特図ゲームに対応した第１始動条件が成立したときに、１増加（インクリメント）するように更新される。また、第２保留記憶数カウント値は、第２始動入賞口を遊技球が通過（進入）して第２特図を用いた特図ゲームに対応した第２始動条件が成立したときに、１増加（インクリメント）するように更新される。こうして、第１始動条件が成立したときには第１特図保留記憶数が１増加するように更新され、第２始動条件が成立したときには第２特図保留記憶数が１増加するように更新される。このときには、ＲＡＭ１０２の所定領域（遊技制御カウンタ設定部など）に設けられた合計保留記憶数カウンタの格納値である合計保留記憶数カウント値を、１加算するように更新する（ステップＳ２０８）。
【０１０４】
ステップＳ２０８の後に、ＣＰＵ１０３は、始動入賞の発生時に対応した所定の遊技用乱数を抽出する（ステップＳ２０９）。一例として、ステップＳ２０９では、乱数回路１０４やＲＡＭ１０２の所定領域（遊技制御カウンタ設定部など）に設けられたランダムカウンタ等によって更新される数値データのうちから、特図表示結果決定用の乱数値ＭＲ１や大当り種別決定用の乱数値ＭＲ２、変動パターン決定用の乱数値ＭＲ３を示す数値データが抽出される。こうして抽出された各乱数値を示す数値データが保留データとして、始動口バッファ値に応じた特図保留記憶部における空きエントリの先頭にセットされることで記憶される（ステップＳ２１０）。
【０１０５】
ステップＳ２１０では、例えば始動口バッファ値が「１」であるときに、保留データが第１特図保留記憶部にセットされる一方、始動口バッファ値が「２」であるときに、保留データが第２特図保留記憶部にセットされる。第１特図保留記憶部は、普通入賞球装置６Ａが形成する第１始動入賞口を遊技球が通過（進入）して第１始動入賞が発生したものの、未だ開始されていない特図ゲーム（第１特別図柄表示装置４Ａにおける第１特図を用いた特図ゲーム）の保留情報を記憶できる。第２特図保留記憶部は、普通可変入賞球装置６Ｂが形成する第２始動入賞口を遊技球が通過（進入）して第２始動入賞が発生したものの、未だ開始されていない特図ゲーム（第２特別図柄表示装置４Ｂにおける第２特図を用いた特図ゲーム）の保留情報を記憶できる。
【０１０６】
第１特図保留記憶部は、例えば第１始動入賞口への入賞順（遊技球の検出順）に保留番号と関連付けて、その遊技球の通過（進入）による第１始動条件の成立に基づいてＣＰＵ１０３が乱数回路１０４等から抽出した特図表示結果決定用の乱数値ＭＲ１や大当り種別決定用の乱数値ＭＲ２、変動パターン決定用の乱数値ＭＲ３を示す数値データなどを保留データとして、その記憶数が所定の上限値（例えば「４」）に達するまで記憶する。こうして第１特図保留記憶部に記憶された保留データは、第１特図を用いた特図ゲームの実行が保留されていることを示し、各種の判定や決定を可能にする保留情報となる。
【０１０７】
第２特図保留記憶部は、例えば第２始動入賞口への入賞順（遊技球の検出順）に保留番号と関連付けて、その遊技球の通過（進入）による第２始動条件の成立に基づいてＣＰＵ１０３が乱数回路１０４等から抽出した特図表示結果決定用の乱数値ＭＲ１や大当り種別決定用の乱数値ＭＲ２、変動パターン決定用の乱数値ＭＲ３を示す数値データなどを保留データとして、その記憶数が所定の上限値（例えば「４」）に達するまで記憶する。こうして第２特図保留記憶部に記憶された保留データは、第２特図を用いた特図ゲームの実行が保留されていることを示し、各種の判定や決定を可能にする保留情報となる。
【０１０８】
例えば保留情報に示される乱数値ＭＲ１を用いて、特図ゲームにおける可変表示結果（特図表示結果）に基づき大当り遊技状態に制御するか否かの決定や判定が可能になる。また、保留情報に示される乱数値ＭＲ２を用いて、可変表示結果が「大当り」となり大当り遊技状態に制御される場合の大当り種別を決定または判定することができる。さらに、保留情報に示される乱数値ＭＲ３を用いて、飾り図柄の可変表示態様が特定態様（例えばスーパーリーチのリーチ演出など）となるか否かの決定や判定が可能になる。
【０１０９】
ステップＳ２１０に続いて、予め用意された始動口入賞指定コマンドを演出制御基板１２に対して送信するための設定を行う（ステップＳ２１１）。続いて、入賞時乱数値判定処理を実行する（ステップＳ２１２）。その後、予め用意された保留記憶数通知コマンドを演出制御基板１２に対して送信するための設定を行う（ステップＳ２１３）。さらに、始動口バッファ値が「１」であるか「２」であるかを判定する（ステップＳ２１４）。このとき、始動口バッファ値が「２」であれば（ステップＳ２１４；「２」）、始動口バッファをクリアして、その格納値を「０」に初期化してから（ステップＳ２１５）、始動入賞判定処理を終了する。これに対して、始動口バッファ値が「１」であるときには（ステップＳ２１４；「１」）、始動口バッファをクリアして、その格納値を「０」に初期化してから（ステップＳ２１６）、ステップＳ２０４に進む。これにより、第１始動口スイッチ２２Ａと第２始動口スイッチ２２Ｂの双方が同時に有効な遊技球の始動入賞を検出した場合でも、確実に双方の有効な始動入賞の検出に基づく処理を完了できる。
【０１１０】
図５は、入賞時乱数値判定処理として、図４のステップＳ２１２にて実行される処理の一例を示すフローチャートである。この実施の形態において、特別図柄や飾り図柄の可変表示が開始されるときには、後述する特別図柄通常処理（図３のステップＳ１１０、図８）において、特図表示結果を「大当り」として大当り遊技状態に制御するか否かの決定や、変動パターンの決定などが行われる。他方、これらの決定とは別に、遊技球が始動入賞口（第１始動入賞口または第２始動入賞口）にて検出された始動入賞タイミングで、ＣＰＵ１０３がステップＳ２１２の入賞時乱数値判定処理を実行することにより、特図表示結果として大当り図柄を導出すると決定される乱数値ＭＲ１であるか否かの判定や、飾り図柄の可変表示状態をリーチ状態とする変動パターンに決定される乱数値ＭＲ３であるか否かの判定などを行う。これにより、始動入賞口を通過（進入）した遊技球の検出に基づく特別図柄や飾り図柄の可変表示が開始されるより前に、特図表示結果が「大当り」となるか否かや、飾り図柄の可変表示中にリーチ状態となるか否かを予測し、この予測結果に基づいて、演出制御基板１２の側で演出制御用ＣＰＵ１２０などにより、先読み演出となる予告演出を実行するか否かを、決定することができる。
【０１１１】
図５に示す入賞時乱数値判定処理において、ＣＰＵ１０３は、まず、例えばＲＡＭ１０２の所定領域（遊技制御フラグ設定部など）に設けられた時短フラグや確変フラグの状態を確認することなどにより、パチンコ遊技機１における現在の遊技状態を特定する（ステップＳ４０１）。より具体的には、確変フラグがオンであるときには遊技状態が確変状態であること、確変フラグがオフで時短フラグがオンであるときには遊技状態が時短状態であること、確変フラグと時短フラグがともにオフであるときには通常状態であることを、それぞれ特定すればよい。また、ＲＡＭ１０２の所定領域（遊技制御フラグ制御部など）に設けられた特図プロセスフラグの値を確認することなどにより、パチンコ遊技機１における現在の遊技状態が大当り遊技状態であるか否かを特定できればよい。
【０１１２】
ＣＰＵ１０３は、こうして特定された遊技状態が大当り遊技状態となっている大当り中であるか否かを判定する（ステップＳ４０２）。このとき、大当り中でないと判定された場合には、さらに確変状態や時短状態において時短制御に伴う高開放制御が行われている高ベース中であるか否かを判定する（ステップＳ４０３）。ステップＳ４０２にて大当り中であると判定されたときや（ステップＳ４０２；Ｙｅｓ）、ステップＳ４０３にて高ベース中であると判定されたときには（ステップＳ４０３；Ｙｅｓ）、始動口バッファ値が「２」であるか否かを判定する（ステップＳ４０４）。
【０１１３】
ステップＳ４０３にて高ベース中ではないと判定されたときや（ステップＳ４０３；Ｎｏ）、ステップＳ４０４にて始動口バッファ値が「２」であると判定されたときには（ステップＳ４０４；Ｙｅｓ）、図４に示されたステップＳ２０９で抽出した乱数値を用いて、各種の可変表示内容を判定する。この実施の形態において、始動入賞時に判定する可変表示内容には、「大当り」、「ハズレ時スーパーリーチ確定」、「ハズレ時リーチ確定」、「ハズレ時一般」がある。
【０１１４】
ＣＰＵ１０１は、可変表示内容が「大当り」であるか否かを判定するために、大当り判定範囲を設定する。例えば、予めＲＯＭ１０１の所定領域に記憶するなどして用意された特定表示結果決定テーブルから、現在の遊技状態に対応して特図表示結果の決定に用いられるデータ（特図表示結果決定用テーブルデータ）を選択する。この特図表示結果決定用テーブルデータにおいて、特図表示結果が「大当り」に割り当てられた決定値の範囲が、大当り判定範囲として設定されればよい。この大当り判定範囲は、ステップＳ２０９で抽出した特図表示結果決定用の乱数値ＭＲ１と比較される。このとき、乱数値ＭＲ１が大当り判定範囲の範囲内であれば、可変表示内容が「大当り」と判定される。
【０１１５】
乱数値ＭＲ１が大当り判定範囲の範囲外であることに対応して、可変表示内容が「大当り」ではないと判定された場合には、ハズレ時のスーパーリーチ確定範囲やリーチ確定範囲を設定する。ハズレ時のスーパーリーチ確定範囲やリーチ確定範囲は、特図保留記憶数にかかわらず、スーパーリーチあるいはノーマルリーチを含めたリーチ演出を伴う変動パターンに決定することができる乱数値（変動パターン決定用の乱数値ＭＲ３）の範囲として、予め定められていればよい。
【０１１６】
特別図柄や飾り図柄の可変表示が開始されるときには、変動パターン決定用の乱数値ＭＲ３と、予めＲＯＭ１０１の所定領域に記憶するなどして用意された変動パターン決定テーブルとを用いて、予め用意された複数の変動パターンのうちから、今回の可変表示で使用される変動パターンが決定される。変動パターン決定テーブルでは、変動パターン決定用の乱数値ＭＲ３と比較される数値（決定値）が、複数の変動パターンのいずれかに割り当てられている。ＣＰＵ１０３は、乱数値ＭＲ３と合致する決定値が割り当てられた変動パターンを、今回の可変表示で使用される変動パターンに決定する。例えば可変表示結果が「ハズレ」となるハズレ時に用いられる変動パターン決定テーブルでは、複数の変動パターンに対する決定値の割当てが、図１０（Ｂ１）および図１０（Ｂ２）に示すように、第１特図保留記憶数や第２特図保留記憶数に応じて異なっている。ただし、一部の決定値は、第１特図保留記憶数や第２特図保留記憶数にかかわらず同一（あるいは同一種）の変動パターンに割り当てられている。こうした変動パターン決定テーブルを構成するテーブルデータにおいて、スーパーリーチを伴う変動パターンに割り当てられた決定値のうちで、特図保留記憶数にかかわらずスーパーリーチを伴う変動パターンに割り当てられた決定値の範囲が、スーパーリーチ確定範囲として予め定められていればよい。また、変動パターン決定テーブルを構成するテーブルデータにおいて、ノーマルリーチを含めたリーチ演出を伴う変動パターンに割り当てられた決定値のうちで、特図保留記憶数にかかわらずリーチ演出を伴う変動パターンに割り当てられた決定値の範囲が、リーチ確定範囲として予め定められていればよい。
【０１１７】
図６は、可変表示結果が「ハズレ」となるハズレ時における変動パターンの判定例を示している。パチンコ遊技機１における遊技状態が時短制御のない通常状態である通常時には、図１０（Ｂ１）に示すような決定値が変動パターンに割り当てられた変動パターン決定テーブルが用いられる。この場合、変動パターン決定用の乱数値ＭＲ３が「２９５」〜「３００」の範囲内であれば、第１特図保留記憶数にかかわらずスーパーリーチを伴う変動パターンに決定されることが確定する。これに対し、変動パターン決定用の乱数値ＭＲ３が「２７１」〜「３００」の範囲内であれば、第１特図保留記憶数に応じてスーパーリーチを伴うか否かは不確定であるものの、少なくとも第１特図保留記憶数にかかわらずノーマルリーチを含めたリーチ演出を伴う変動パターンに決定されることが確定する。
【０１１８】
また、パチンコ遊技機１における遊技状態が時短制御を伴う確変状態や時短状態である時短中には、図１０（Ｂ２）に示すような決定値が変動パターンに割り当てられた変動パターン決定テーブルが用いられる。この場合、変動パターン決定用の乱数値ＭＲ３が「２９５」〜「３００」の範囲内であれば、第２特図保留記憶数にかかわらずスーパーリーチを伴う変動パターンに決定されることが確定する。これに対し、変動パターン決定用の乱数値ＭＲ３が「２８９」〜「３００」の範囲内であれば、第２特図保留記憶数にかかわらずノーマルリーチを伴う変動パターンに決定されることが確定する。
【０１１９】
始動入賞が発生したときの特図保留記憶数（第１特図保留記憶数、第２特図保留記憶数）は、実際に可変表示が開始されるときの特図保留記憶数と一致するとはかぎらず、始動入賞が発生した後に可変表示の実行や新たな始動入賞の発生により変化することがある。そのため、始動入賞時の判定結果と可変表示開始時における変動パターンの決定とで、特図保留記憶数の相違により選択されるテーブルデータが一致しない場合があり、始動入賞時に前もって特定の変動パターンに決定されるか否かを判定して予測することは一般に難しい。一方、この実施の形態における変動パターン決定テーブルでは、可変表示結果が「ハズレ」となる場合に少なくともスーパーリーチを伴う変動パターンあるいはノーマルリーチを含めたリーチ演出を伴う変動パターンに割り当てられた決定値は、特図保留記憶数にかかわらず共通の決定値を含んでいる。したがって、パチンコ遊技機１における始動入賞時あるいは可変表示開始時における特図保留記憶数にかかわらず、スーパーリーチを伴う変動パターンに決定されることが確定したか否かや、ノーマルリーチを含めたリーチ演出を伴う変動パターンに決定されることが確定したか否かを、判定することができる。
【０１２０】
時短制御が行われていない通常時において、可変表示結果が「ハズレ」となる場合には、変動パターン決定用の乱数値ＭＲ３が「２９５」〜「３００」の範囲内であれば、可変表示内容が「ハズレ時スーパーリーチ確定」であると判定し、変動パターン決定用の乱数値ＭＲ３が「２７１」〜「３００」の範囲内であれば、可変表示内容が「ハズレ時リーチ確定」であると判定する。時短制御が行われている時短中において、可変表示結果が「ハズレ」となる場合には、変動パターン決定用の乱数値ＭＲ３が「２９５」〜「３００」の範囲内であれば、可変表示内容が「ハズレ時スーパーリーチ確定」であると判定し、変動パターン決定用の乱数知ＭＲ３が「２８９」〜「３００」の範囲内であれば、可変表示内容が「ハズレ時リーチ確定」であると判定する。
【０１２１】
図５に示すステップＳ４０４にて始動口バッファ値が「２」ではなく「１」であると判定されたときには（ステップＳ４０４；Ｎｏ）、ステップＳ４０５における入賞時判定を制限するための設定を行う（ステップＳ４０６）。こうして、時短制御に伴う高開放制御が行われるときや、大当り遊技状態であるときには、第１始動入賞口を遊技球が通過（進入）したことによる始動入賞（第１始動入賞）の発生に基づく可変表示内容の判定が行われないように制限する。これにより、第２特図を用いた特図ゲームが第１特図を用いた特図ゲームよりも優先して実行される場合に、高開放制御中や大当り遊技状態であるときには、第１始動入賞に基づく先読み予告が実行されないように制限して、遊技の健全性を確保することができる。
【０１２２】
その後、ステップＳ４０５による判定結果やステップＳ４０６による設定に応じた始動入賞時の通知内容を設定する（ステップＳ４０７）。こうした通知内容に応じて、予め用意された入賞時判定結果コマンドを演出制御基板１２に対して送信するための設定を行ってから（ステップＳ４０８）、入賞時乱数値判定処理を終了する。
【０１２３】
図７（Ａ）は、始動口入賞指定コマンド（第１始動口入賞指定コマンドおよび第２始動口入賞指定コマンド）、保留記憶数通知コマンド（第１保留記憶数通知コマンドおよび第２保留記憶数通知コマンド）、入賞時判定結果コマンドの設定例を示している。この実施の形態では、始動口入賞指定コマンドとして、第１始動口入賞指定コマンドとなるコマンドＢ１００Ｈと、第２始動口入賞指定コマンドとなるコマンドＢ２００Ｈとが、予め用意されている。なお、添字Ｈは１６進数であることを示している。また、保留記憶数通知コマンドとして、第１保留記憶数通知コマンドとなるコマンドＣ１ＸＸＨと、第２保留記憶数通知コマンドとなるコマンドＣ２ＸＸＨとが、予め用意されている。なお、ＸＸＨは不特定の１６進数であることを示し、演出制御コマンドによる指示内容に応じて任意に設定される値であればよい。保留記憶数通知コマンドでは、特図保留記憶数に応じて、異なるＥＸＴデータ（例えば００Ｈ〜０４Ｈのいずれか）が設定される。さらに、入賞時判定結果コマンドとなるコマンドＣ４ＸＸＨが、予め用意されている。
【０１２４】
普通入賞球装置６Ａが形成する第１始動入賞口を通過（進入）した遊技球が第１始動口スイッチ２２Ａにより検出されて始動入賞（第１始動入賞）が発生したときには、図４に示すステップＳ２０２で第１特図保留記憶数が上限値に達していないと判定されることにより、第１始動条件が成立する。第１始動条件は、第１特別図柄表示装置４Ａによる第１特図を用いた特図ゲームを実行するための条件である。第１始動条件が成立したときには、図４に示すステップＳ２０３で始動口バッファ値を「１」に設定してからステップＳ２１１による送信設定を行うことで、主基板１１から演出制御基板１２に対して第１始動口入賞指定コマンドが送信される。また、図５に示すステップＳ４０８による送信設定を行うことで、主基板１１から演出制御基板１２に対して入賞時判定結果コマンドが送信される。さらに、始動口バッファ値が「１」であるときに図４に示すステップＳ２１３による送信設定を行うことで、主基板１１から演出制御基板１２に対して第１保留記憶数通知コマンドが送信される。
【０１２５】
普通可変入賞球装置６Ｂが形成する第２始動入賞口を通過（進入）した遊技球が第２始動口スイッチ２２Ｂにより検出されて始動入賞（第２始動入賞）が発生したときには、図４に示すステップＳ２０５で第２特図保留記憶数が上限値に達していないと判定されることにより、第２始動条件が成立する。第２始動条件は、第２特別図柄表示装置４Ｂによる第２特図を用いた特図ゲームを実行するための条件である。第２始動条件が成立したときには、図４に示すステップＳ２０６で始動口バッファ値を「２」に設定してからステップＳ２１１による送信設定を行うことで、主基板１１から演出制御基板１２に対して第２始動口入賞指定コマンドが送信される。また、図５に示すステップＳ４０８による送信設定を行うことで、主基板１１から演出制御基板１２に対して入賞時判定結果コマンドが送信される。さらに、始動口バッファ値が「２」であるときに図４に示すステップＳ２１３よる送信設定を行うことで、主基板１１から演出制御基板１２に対して第２保留記憶数通知コマンドが送信される。
【０１２６】
演出制御基板１２の側では、第１始動口入賞指定コマンドを受信することで第１始動条件の成立を検知でき、第２始動口入賞指定コマンドを受信することで第２始動条件の成立を検知できる。このように、第１始動口入賞指定コマンドは、第１始動条件の成立を通知する演出制御コマンドである。第２始動口入賞指定コマンドは、第２始動条件の成立を通知する演出制御コマンドである。入賞時判定結果コマンドは、第１始動入賞口を通過（進入）した遊技球の検出時である第１始動入賞時や、第２始動入賞口を通過（進入）した遊技球の検出時である第２始動入賞時に、乱数回路１０４等から抽出した遊技用乱数（特図表示結果決定用の乱数値ＭＲ１など）を用いた比較結果（入賞時判定結果）を、演出制御基板１２の側に対して通知する。第１保留記憶数通知コマンドは、第１特図保留記憶数を通知する。第２保留記憶数通知コマンドは、第２特図保留記憶数を通知する。この実施の形態において、第１保留記憶数通知コマンドや第２保留記憶数通知コマンドは、第１始動入賞口と第２始動入賞口とのいずれを遊技球が通過（進入）して始動入賞が発生したかを通知するとともに、第１特図保留記憶数と第２特図保留記憶数とのいずれが増加したかを指定する保留通知情報として送信される。
【０１２７】
なお、第１保留記憶数通知コマンドや第２保留記憶数通知コマンドは、第１開始条件と第２開始条件のいずれかが成立したときに、特図ゲームの実行が開始されることなどに対応して送信されるようにしてもよい。あるいは、保留記憶数が増加したときに、第１特図保留記憶数または第２特図保留記憶数が増加したことを示す保留記憶数加算指定コマンド（第１保留記憶数加算指定コマンドまたは第２保留記憶数加算指定コマンド）を送信する一方、保留記憶数が減少したときに、第１特図保留記憶数または第２特図保留記憶数が減少したことを示す保留記憶数減算指定コマンド（第１保留記憶数減算指定コマンドまたは第２保留記憶数減算指定コマンド）を送信するようにしてもよい。第１保留記憶数通知コマンドや第２保留記憶数通知コマンドに代えて、あるいは第１保留記憶数通知コマンドや第２保留記憶数通知コマンドとともに、合計保留記憶数を通知する合計保留記憶数通知コマンドを送信するようにしてもよい。すなわち、合計保留記憶数の増加（または減少）を通知するための合計保留記憶数通知コマンドが用いられてもよい。
【０１２８】
図７（Ｂ）は、入賞時判定結果コマンドによる通知内容を例示している。図７（Ｂ）に示す入賞時判定結果コマンドのうち、コマンドＣ４０２Ｈ、コマンドＣ４０３Ｈ、コマンドＣ４０４Ｈは、特図表示結果判定用の乱数値ＭＲ１が大当り判定範囲内ではない場合に送信されることがあり、可変表示結果が「ハズレ」に決定されて大当り遊技状態には制御されないとの入賞時判定結果を通知する。一方、コマンドＣ４０１Ｈは、特図表示結果判定用の乱数値ＭＲ１が大当り判定範囲内である場合に送信され、可変表示結果が「大当り」に決定されて大当り遊技状態に制御されるとの入賞時判定結果（可変表示内容が「大当り」）を通知する。なお、コマンドＣ４００Ｈは、入賞時判定が制限されていることを通知する。
【０１２９】
図７（Ｂ）に示すコマンドＣ４０２Ｈは、変動パターン決定用の乱数値ＭＲ３がハズレ時のスーパーリーチ確定範囲内である場合に送信され、ハズレ時にスーパーリーチを伴う変動パターンに決定されるとの入賞時判定結果（可変表示内容が「ハズレ時スーパーリーチ確定」）を通知する。これに対し、コマンドＣ４０３Ｈは、変動パターン決定用の乱数値ＭＲ３がハズレ時のリーチ確定範囲内である場合に送信され、ハズレ時にリーチ演出を伴う変動パターンに決定されるとの入賞時判定結果（可変表示内容が「ハズレ時リーチ確定」）を通知する。さらに、コマンドＣ４０４Ｈは、変動パターン決定用の乱数値ＭＲ３がハズレ時のスーパーリーチ確定範囲内でもリーチ確定範囲内でもない場合に送信され、リーチ演出を伴う変動パターンに決定されない可能性があるとの入賞時判定結果（可変表示内容が「ハズレ時一般」）を通知する。このように、入賞時判定結果コマンドは、始動入賞時に抽出された遊技用乱数を用いて、可変表示結果が「大当り」に決定されるか否かや特定の変動パターンに決定されるか否かの入賞時判定結果を通知する判定結果情報として送信される。
【０１３０】
図３に示すステップＳ１１０の特別図柄通常処理は、特図プロセスフラグの値が“０”のときに実行される。この特別図柄通常処理では、第１特図保留記憶部や第２特図保留記憶部といった、ＲＡＭ１０２の所定領域に記憶されている保留データの有無などに基づいて、第１特別図柄表示装置４Ａや第２特別図柄表示装置４Ｂによる特図ゲームを開始するか否かの判定が行われる。また、特別図柄通常処理では、特図表示結果決定用の乱数値ＭＲ１を示す数値データに基づき、特別図柄や飾り図柄の可変表示結果を「大当り」とするか否かを、その可変表示結果が導出表示される以前に決定（事前決定）する。このとき、可変表示結果が「大当り」に決定された場合には、大当り種別を複数種別のいずれかに決定する。大当り種別の決定結果を示すデータがＲＡＭ１０２の所定領域（例えば遊技制御バッファ設定部）に設けられた大当り種別バッファに格納されることにより、大当り種別が記憶される。さらに、特別図柄通常処理では、特図ゲームにおける特別図柄の可変表示結果に対応して、第１特別図柄表示装置４Ａや第２特別図柄表示装置４Ｂによる特図ゲームにおける確定特別図柄（大当り図柄、ハズレ図柄のいずれか）が設定される。特別図柄通常処理では、特別図柄や飾り図柄の可変表示結果を事前決定したときに、特図プロセスフラグの値が“１”に更新される。
【０１３１】
ステップＳ１１１の変動パターン設定処理は、特図プロセスフラグの値が“１”のときに実行される。この変動パターン設定処理には、可変表示結果を「大当り」とするか否かの事前決定結果などに基づいて、変動パターンを複数種類のいずれかに決定する処理などが含まれている。特別図柄や飾り図柄の可変表示時間は、変動パターンに対応して予め設定されている。したがって、変動パターン設定処理にて変動パターンを決定することにより、特別図柄の可変表示を開始してから可変表示結果となる確定特別図柄を導出するまでの可変表示時間が決定される。また、変動パターン設定処理は、可変表示結果が「ハズレ」となる場合に、飾り図柄の可変表示状態を「リーチ」とするか否かを決定する処理を含んでもよい。あるいは、変動パターン設定処理にて可変表示結果が「ハズレ」となる場合の変動パターンを所定割合で決定することにより、飾り図柄の可変表示状態を「リーチ」とするか否かが決定されてもよい。さらに、変動パターン設定処理は、特別図柄表示装置４において特別図柄の変動を開始させるための設定を行う処理を含んでもよい。変動パターン設定処理が実行されたときには、特図プロセスフラグの値が“２”に更新される。
【０１３２】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。そして、特別図柄の変動を開始してからの経過時間が特図変動時間に達したときには、特図プロセスフラグの値が“３”に更新される。
【０１３３】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の可変表示結果となる確定特別図柄を停止表示させるための設定を行う処理が含まれている。そして、ＲＡＭ１０２の所定領域（例えば遊技制御フラグ設定部）に設けられた大当りフラグがオンとなっているか否かの判定などが行われる。大当りフラグがオンである場合には、特図表示結果が「大当り」であることに基づく大当り遊技状態の開始を指定する当り開始指定コマンドの送信設定を行うとともに、特図プロセスフラグの値を“４”に更新する。大当りフラグがオフである場合には、特図プロセスフラグの値を“０”に更新する。
【０１３４】
ステップＳ１１４の大当り開放前処理は、特図プロセスフラグの値が“４”のときに実行される。この大当り開放前処理には、可変表示結果が「大当り」となったことなどに基づき、大当り遊技状態においてラウンド遊技の実行を開始して大入賞口を開放状態とするための設定を行う処理などが含まれている。大当り開放前処理が実行されたときには、特図プロセスフラグの値が“５”に更新される。
【０１３５】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻したときには、特図プロセスフラグの値が“６”に更新される。
【０１３６】
ステップＳ１１６の大当り開放後処理は、特図プロセスフラグの値が“６”のときに実行される。この大当り開放後処理には、大入賞口を開放状態とするラウンド遊技の実行回数が所定の上限回数（例えば大当り種別に応じた「２」または「１５」など）に達したか否かを判定する処理や、上限回数に達していない場合に次回のラウンド遊技が開始されるまで待機する処理などが含まれている。そして、次回のラウンド遊技が開始されるときには、特図プロセスフラグの値が“４”に更新される一方、ラウンド遊技の実行回数が上限回数に達したときには、特図プロセスフラグの値が“７”に更新される。
【０１３７】
ステップＳ１１７の大当り終了処理は、特図プロセスフラグの値が“７”のときに実行される。この大当り終了処理には、画像表示装置５やスピーカ８Ｌ、８Ｒ、遊技効果ランプ９などといった演出装置により、大当り遊技状態の終了を報知する演出動作としてのエンディング演出が実行される期間に対応した待ち時間が経過するまで待機する処理や、確変制御条件の成否に対応して確変状態や時短状態に制御するための各種の設定を行う処理などが含まれている。そして、確変状態や時短状態に制御するための設定が行われたときには、特図プロセスフラグの値が“０”に更新される。
【０１３８】
図８は、特別図柄通常処理として、図３のステップＳ１１０にて実行される処理の一例を示すフローチャートである。図８に示す特別図柄通常処理において、ＣＰＵ１０３は、まず、第２特図保留記憶数が「０」であるか否かを判定する（ステップＳ２３１）。第２特図保留記憶数は、第２特別図柄表示装置４Ｂによる第２特図を用いた特図ゲームの保留記憶数である。ＣＰＵ１０３は、第２保留記憶数カウント値を読み出し、その読出値が「０」であるか否かを判定すればよい。
【０１３９】
ステップＳ２３１にて第２特図保留記憶数が「０」以外であるときには（ステップＳ２３１；Ｎｏ）、第２特図保留記憶部の先頭領域（保留番号「１」に対応する記憶領域）に記憶されている保留データとして、所定の乱数値を示す数値データを読み出す（ステップＳ２３２）。これにより、図４に示す始動入賞判定処理のステップＳ２０９で第２始動入賞口における始動入賞（第２始動入賞）の発生に対応して抽出された遊技用乱数が読み出される。このとき読み出された数値データは、例えば変動用乱数バッファなどに格納されて、一時記憶されればよい。
【０１４０】
ステップＳ２３２に続いて、例えば第２保留記憶数カウント値を１減算して更新することなどにより、第２特図保留記憶数を１減算させるように更新するとともに、第２特図保留記憶部における記憶内容をシフトさせる（ステップＳ２３３）。例えば、第２特図保留記憶部にて保留番号「１」より下位の記憶領域（保留番号「２」〜「４」に対応する記憶領域）に記憶された保留データを、１エントリずつ上位にシフトする。また、ステップＳ２３３では、合計保留記憶数を１減算するように更新してもよい。そして、ＲＡＭ１０２の所定領域（遊技制御バッファ設定部など）に設けられた変動特図指定バッファの格納値である変動特図指定バッファ値を、「２」に更新する（ステップＳ２３４）。
【０１４１】
ステップＳ２３１にて第２特図保留記憶数が「０」であるときには（ステップＳ２３１；Ｙｅｓ）、第１特図保留記憶数が「０」であるか否かを判定する（ステップＳ２３５）。第１特図保留記憶数は、第１特別図柄表示装置４Ａによる第１特図を用いた特図ゲームの保留記憶数である。ＣＰＵ１０３は、第１保留記憶数カウント値を読み出し、その読出値が「０」であるか否かを判定すればよい。このように、ステップＳ２３５は、ステップＳ２３１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０１４２】
なお、第１始動入賞口であるか第２始動入賞口であるかにかかわらず、遊技球が始動入賞口を通過（進入）した順番で、特図ゲームが実行される場合には、第１始動入賞口と第２始動入賞口のいずれを遊技球が通過（進入）したかを示す始動口データを、保留データとともに、あるいは保留データとは別個に、保留番号と対応付けてＲＡＭ１０２の所定領域に記憶させておき、それぞれの保留データに対応する特図ゲームについて、始動条件が成立した順番を特定可能にすればよい。
【０１４３】
ステップＳ２３６に続いて、例えば第１保留記憶数カウント値を１減算して更新することなどにより、第１特図保留記憶数を１減算させるように更新するとともに、第１特図保留記憶部における記憶内容をシフトさせる（ステップＳ２３７）。例えば、第１特図保留記憶部にて保留番号「１」より下位の記憶領域（保留番号「２」〜「４」に対応する記憶領域）に記憶された保留データを、１エントリずつ上位にシフトする。また、ステップＳ２３７では、合計保留記憶数を１減算するように更新してもよい。そして、変動特図指定バッファ値を「１」に更新する（ステップＳ２３８）。
【０１４４】
ステップＳ２３４、Ｓ２３８のを実行した後には、特別図柄の可変表示結果である特図表示結果を、「大当り」と「ハズレ」のいずれかに決定する（ステップＳ２３９）。一例として、ステップＳ２３９では、予めＲＯＭ１０１の所定領域に記憶するなどして用意された特図表示結果決定テーブルを選択し、特図表示結果を決定するための使用テーブルに設定する。特図表示結果決定テーブルでは、特図表示結果決定用の乱数値ＭＲ１と比較される数値（決定値）が、特図表示結果を「大当り」と「ハズレ」のいずれとするかの決定結果に、割り当てられていればよい。ＣＰＵ１０３は、変動用乱数バッファから読み出した特図表示結果決定用の乱数値ＭＲ１を示す数値データに基づいて、特図表示結果決定テーブルを参照することにより、特図表示結果を決定すればよい。
【０１４５】
ステップＳ２３９において、パチンコ遊技機１の遊技状態が確変状態であり確変制御が行われているときには、通常状態や時短状態にて確変制御が行われていないときよりも高い割合で、特図表示結果が「大当り」に決定される。確変状態は、例えば図３に示すステップＳ１１７の大当り終了処理により、大当り種別が「確変」、「突確」のいずれかであった場合に対応して確変フラグがオン状態にセットされることで開始される。確変状態であるときには、通常状態や時短状態にて確変制御が行われていないときよりも、特図表示結果が「大当り」になりやすく、大当り遊技状態になりやすい。
【０１４６】
ＣＰＵ１０３は、ステップＳ２３９により決定された特図表示結果が「大当り」であるか否かを判定する（ステップＳ２４０）。特図表示結果が「大当り」に決定された場合には（ステップＳ２４０；Ｙｅｓ）、ＲＡＭ１０２の所定領域（遊技制御フラグ設定部など）に設けられた大当りフラグをオン状態にセットする（ステップＳ２４１）。また、大当り種別を複数種類のいずれかに決定する（ステップＳ２４２）。一例として、ステップＳ２４２では、予めＲＯＭ１０１の所定領域に記憶するなどして用意された大当り種別決定テーブルを選択し、大当り種別を決定するための使用テーブルに設定する。大当り種別決定テーブルでは、変動特図が第１特図と第２特図のいずれであるかに応じて、大当り種別決定用の乱数値と比較される数値（決定値）が、大当り種別を複数種類のいずれとするかの決定結果に、割り当てられていればよい。ＣＰＵ１０３は、変動用乱数バッファから読み出した大当り種別決定用の乱数値ＭＲ２を示す数値データに基づいて、大当り種別決定テーブルを参照することにより、大当り種別を決定すればよい。
【０１４７】
ステップＳ２４２の後には、大当り種別を記憶させる（ステップＳ２４３）。ＣＰＵ１０３は、ＲＡＭ１０２の所定領域（遊技制御バッファ設定部など）に設けられた大当り種別バッファに、大当り種別の決定結果を示すデータを格納することにより、大当り種別を記憶させればよい。
【０１４８】
ステップＳ２４０にて特図表示結果が「大当り」ではない場合や（ステップＳ２４０；Ｎｏ）、ステップＳ２４３の後には、特図ゲームにおける特別図柄の可変表示結果となる確定特別図柄を決定する（ステップＳ２４４）。一例として、ステップＳ２４０にて特図表示結果が「大当り」ではないと判定された場合には、ハズレ図柄として予め定められた特別図柄を確定特別図柄に決定する。一方、ステップＳ２４０にて特図表示結果が「大当り」であると判定された場合には、ステップＳ２４２における大当り種別の決定結果に応じて、複数種類の大当り図柄として予め定められた特別図柄のいずれかを確定特別図柄に決定すればよい。
【０１４９】
ステップＳ２４４の後には、特図プロセスフラグの値を“１”に更新してから（ステップＳ２４５）、特別図柄通常処理を終了する。ステップＳ２４５にて特図プロセスフラグの値が“１”に更新されることにより、次回のタイマ割込みが発生したときには、図３に示すステップＳ１１１の変動パターン設定処理が実行される。
【０１５０】
ステップＳ２３５にて第１特図を用いた特図ゲームの保留記憶数が「０」である場合には（ステップＳ２３５；Ｙｅｓ）、所定のデモ表示設定を行ってから（ステップＳ２４６）、特別図柄通常処理を終了する。このデモ表示設定では、例えば画像表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。
【０１５１】
図９（Ａ）は、変動パターン設定処理として、図３のステップＳ１１１にて実行される処理の一例を示すフローチャートである。図９（Ａ）に示す変動パターン設定処理において、ＣＰＵ１０３は、まず、大当りフラグがオンであるか否かを判定する（ステップＳ２６１）。そして、大当りフラグがオンである場合には（ステップＳ２６１；Ｙｅｓ）、特図表示結果が「大当り」となる大当り時に対応した変動パターンを決定する（ステップＳ２６２）。一方、大当りフラグがオフである場合には（ステップＳ２６１；Ｎｏ）、特図表示結果が「ハズレ」となるハズレ時に対応した変動パターンを決定する（ステップＳ２６３）。
【０１５２】
ステップＳ２６２では、例えばＲＯＭ１０１の所定領域に記憶するなどして用意された大当り変動パターン決定テーブルを用いて、大当り時の変動パターンが決定される。大当り変動パターン決定テーブルでは、変動パターン決定用の乱数値ＭＲ３と比較される数値（決定値）が、変動パターンの決定結果に、割り当てられていればよい。ＣＰＵ１０３は、変動用乱数バッファから読み出した変動パターン決定用の乱数値ＭＲ３を示す数値データに基づいて、大当り変動パターン決定テーブルを参照することにより、可変表示結果が「大当り」となる場合に対応した変動パターンを決定すればよい。また、ステップＳ２６３では、例えばＲＯＭ１０１の所定領域に記憶するなどして用意されたハズレ変動パターン決定テーブルを用いて、ハズレ時の変動パターンが決定される。ハズレ変動パターン決定テーブルでは、変動パターン決定用の乱数値ＭＲ３と比較される数値（決定値）が、変動パターンの決定結果に、割り当てられていればよい。ＣＰＵ１０３は、変動用乱数バッファから読み出した変動パターン決定用の乱数値ＭＲ３を示す数値データに基づいて、ハズレ変動パターン決定テーブルを参照することにより、可変表示結果が「ハズレ」となる場合に対応した変動パターンを決定すればよい。
【０１５３】
図９（Ｂ）は、この実施の形態における変動パターンを示している。この実施の形態では、可変表示結果（特図表示結果）が「ハズレ」となる場合のうち、飾り図柄の可変表示状態がリーチ状態にはならない「非リーチ」である場合とリーチ状態になる「リーチ」である場合のそれぞれに対応して、また、可変表示結果（特図表示結果）が「大当り」である場合などに対応して、複数の変動パターンが予め用意されている。可変表示内容が「非リーチ」である場合に対応した変動パターンは、非リーチ変動パターン（非リーチハズレ変動パターンともいう）と称され、可変表示内容が「リーチ」である場合に対応した変動パターンは、リーチ変動パターン（リーチハズレ変動パターンともいう）と称される。非リーチ変動パターンとリーチ変動パターンは、可変表示結果が「ハズレ」となる場合に対応したハズレ変動パターンに含まれる。可変表示結果が「大当り」である場合に対応した変動パターンは、大当り変動パターンと称される。大当り変動パターンやリーチ変動パターンには、ノーマルリーチにおけるリーチ演出が実行されるノーマルリーチ変動パターンと、スーパーリーチにおけるリーチ演出が実行されるスーパーリーチ変動パターンとがある。図９（Ｂ）に示すような複数の変動パターンに対応して、特別図柄の可変表示時間である特図変動時間が予め定められている。したがって、ステップＳ２６１、Ｓ２６２のいずれかで決定された変動パターンによる可変表示が実行される場合には、特図変動時間に対応する可変表示期間において、特別図柄などの可変表示が行われた後に、特図表示結果などの可変表示結果が導出表示される。
【０１５４】
図１０（Ａ）は、大当り変動パターンの決定例を示している。図９（Ａ）に示す変動パターン設定処理のステップＳ２６２では、例えば図１０（Ａ）に示すような決定値の設定に基づいて、大当り時の変動パターンが決定される。このときには、変動パターン決定用の乱数値ＭＲ３を示す数値データが、変動用乱数バッファから読み出される。乱数値ＭＲ３は、大当り変動パターン決定テーブルにおいて予め設定されている決定値と比較される。そして、図１０（Ａ）に示す決定値の範囲のうちで、いずれの範囲に乱数値ＭＲ３が含まれるかの判定結果に応じて、使用パターンが決定される。図１０（Ａ）に示す例では、変動パターンＰＡ３−１〜変動パターンＰＡ３−３のうちでいずれかの変動パターンが、大当り時の変動パターンとして決定される。
【０１５５】
図１０（Ｂ１）および図１０（Ｂ２）は、ハズレ変動パターンの決定例を示している。図９（Ａ）に示す変動パターン設定処理のステップＳ２６３では、時短制御が行われていない通常時であるときに、例えば図１０（Ｂ１）に示すような決定値の設定に基づいて、ハズレ時の変動パターンが決定される。これに対し、時短制御が行われている時短中であるときには、例えば図１０（Ｂ２）に示すような決定値の設定に基づいて、ハズレ時の変動パターンが決定される。ステップＳ２６３でもステップＳ２６２と同様に、変動パターン決定用の乱数値ＭＲ３を示すデータが、変動用乱数バッファから読み出される。乱数値ＭＲ３は、ハズレ変動パターン決定テーブルにおいて予め設定されている決定値と比較される。通常時である場合には、図１０（Ｂ１）に示す決定値の範囲のうちで、いずれの範囲に乱数値ＭＲ３が含まれるかの判定結果に応じて、使用パターンが決定される。時短中である場合には、図１０（Ｂ２）に示す決定値の範囲のうちで、いずれの範囲に乱数値ＭＲ３が含まれるかの判定結果に応じて、使用パターンが決定される。ステップＳ２６３においてハズレ時の変動パターンを決定することにより、可変表示結果が「ハズレ」となる場合に、飾り図柄の可変表示状態をリーチ状態とするか否かが決定される。なお、変動パターンの決定とは別個の処理により、可変表示結果が「ハズレ」となる場合にリーチ状態とするか否かが決定されてもよい。
【０１５６】
図１０（Ａ）に示す例では、変動パターンＰＡ３−２、ＰＡ３−３といった、スーパーリーチにおけるリーチ演出を伴う変動パターンに対して割り当てられた決定値が、変動パターンＰＡ３−１といった、ノーマルリーチにおけるリーチ演出を伴う変動パターンに対して割り当てられた決定値よりも多くなるように設定されている。一方、図１０（Ｂ１）や図１０（Ｂ２）に示す例では、変動パターンＰＡ２−１といった、ノーマルリーチにおけるリーチ演出を伴う変動パターンに対して割り当てられた決定値が、変動パターンＰＡ２−２、ＰＡ２−３といった、スーパーリーチにおけるリーチ演出を伴う変動パターンに割り当てられた決定値よりも多くなる（ただし図１０（Ｂ２）に示す第２特図保留記憶数が「２」以上の場合のみ同数になる）ように設定されている。これにより、スーパーリーチにおけるリーチ演出が実行されてから可変表示結果が導出されるときには、その可変表示結果が「大当り」となる可能性（大当り期待度）が高められる。
【０１５７】
ハズレ変動パターン決定テーブルでは、第１特図保留記憶数が０、１または２以上のうちで、いずれであるかに応じて異なる変動パターンに割り当てられる決定値が含まれていてもよい。具体的な一例として、「１５１」〜「１８０」の範囲の決定値は、第１特図保留記憶数が０であれば変動パターンＰＡ１−１に割り当てられ、第１特図保留記憶数が１であれば変動パターンＰＡ１−２に割り当てられ、第１特図保留記憶数が２以上であれば変動パターンＰＡ１−３に割り当てられてもよい。このような設定により、第１特図保留記憶数に応じて、特別図柄や飾り図柄の平均的な可変表示時間を異ならせることができる。特に、第１特図保留記憶数が所定値（例えば「２」）以上であるときには、第１特図保留記憶数が所定値未満であるときよりも、平均的な可変表示時間を短くすることができるように、各変動パターンに決定値が割り当てられていればよい。時短制御が行われない通常時には、第２始動入賞口を遊技球が通過（進入）しにくく、第２特図を用いた特図ゲームを実行する頻度が低い。そのため、第２特図を用いた特図ゲームの開始条件が成立したときには、第２特図保留記憶数にかかわらず、第１特図保留記憶数が所定値（例えば「０」）である場合と同様のテーブルデータを参照して、変動パターンの決定が行われてもよい。あるいは、第２特図を用いた特図ゲームの開始条件が成立したときの第２特図保留記憶数にかかわらず、その時点における第１特図保留記憶数に応じたテーブルデータを参照して、変動パターンの決定が行われてもよい。あるいは、第２特図を用いた特図ゲームが第１特図を用いた特図ゲームよりも優先して実行されることに対応して、第２特図保留記憶数にかかわらず図１０（Ｂ１）とは決定値の割当てが異なるテーブルデータを参照して、変動パターンの決定が行われてもよい。あるいは、第２特図を用いた特図ゲームの開始条件が成立したときには、図１０（Ｂ１）に示す「第１特図保留記憶数」を「第２特図保留記憶数」に読み替えて、第２特図保留記憶数に応じたテーブルデータを参照して、変動パターンの決定が行われてもよい。
【０１５８】
また、ハズレ変動パターン決定テーブルでは、第２特図保留記憶数が０、１または２以上のいずれであるかに応じて、異なる変動パターンに割り当てられる決定値が含まれてもよい。このような設定により、第２特図保留記憶数に応じて、特別図柄や飾り図柄の平均的な可変表示時間を異ならせることができる。特に、第２特図保留記憶数が所定値（例えば「２」）以上であるときには、第２特図保留記憶数が所定値未満であるときよりも、平均的な可変表示時間を短くすることができるように、各変動パターンに決定値が割り当てられていればよい。時短制御が行われている時短中には、第２始動入賞口を遊技球が通過（進入）しやすく、第２特図を用いた特図ゲームを実行する頻度が高い。第２特図を用いた特図ゲームが第１特図を用いた特図ゲームよりも優先して実行される場合には、時短中であれば第２特図を用いた特図ゲームが繰り返し実行される可能性が高く、第１特図を用いた特図ゲームを実行する頻度が低い。そして、第１特図を用いた特図ゲームの開始条件が成立するときには、第２特図保留記憶数が０になっている。そのため、第１特図を用いた特図ゲームの開始条件が成立したときには、第１特図保留記憶数にかかわらず、第２特図保留記憶数が所定値（例えば「０」）である場合と同様のテーブルデータを参照して、変動パターンの決定が行われてもよい。あるいは、第１特図保留記憶数にかかわらず図１０（Ｂ２）とは決定値の割当てが異なるテーブルデータを参照して、変動パターンの決定が行われてもよい。あるいは、第１特図を用いた特図ゲームの開始条件が成立したときには、図１０（Ｂ２）に示す「第２特図保留記憶数」を「第１特図保留記憶数」に読み替えて、第１特図保留記憶数に応じたテーブルデータを参照して、変動パターンの決定が行われてもよい。
【０１５９】
図９（Ａ）に示す変動パターン設定処理においてステップＳ２６２、Ｓ２６３のいずれかを実行した後には、特別図柄の可変表示時間である特図変動時間を設定する（ステップＳ２６４）。特別図柄の可変表示時間となる特図変動時間は、特図ゲームにおいて特別図柄の変動を開始してから可変表示結果（特図表示結果）となる確定特別図柄が導出表示されるまでの所要時間であり、可変表示期間の時間長を示している。特図変動時間は、図９（Ｂ）に示すように、予め用意された複数の変動パターンに対応して、予め定められている。したがって、ステップＳ２６２、Ｓ２６３にて変動パターンを決定することにより、特図変動時間に対応する可変表示期間が決定される。ＣＰＵ１０３は、特図変動時間を設定することにより、特別図柄や飾り図柄の可変表示結果が導出されるタイミングを設定できる。特に、可変表示結果が「大当り」となる場合には、その可変表示結果が導出表示されて大当り遊技状態に制御されるタイミングを設定することができる。
【０１６０】
ステップＳ２６５の後には、特別図柄の変動開始時におけるコマンドの送信設定が行われる（ステップＳ２６６）。例えば、変動特図指定バッファ値が「１」である場合に、ＣＰＵ１０３は、主基板１１から演出制御基板１２に対して第１変動開始コマンド、変動パターン指定コマンド、可変表示結果通知コマンド、第１保留記憶数通知コマンドを順次に送信するために、予め用意された第１変動開始用コマンドテーブルのＲＯＭ１０１における記憶アドレス（先頭アドレス）を指定する。他方、変動特図指定バッファ値が「２」である場合に、ＣＰＵ１０３は、主基板１１から演出制御基板１２に対して第２変動開始コマンド、変動パターン指定コマンド、可変表示結果通知コマンド、第２保留記憶数通知コマンドを順次に送信するために、予め用意された第２変動開始用コマンドテーブルのＲＯＭ１０１における記憶アドレスを指定する。
【０１６１】
第１変動開始コマンドや第２変動開始コマンドは、第１特別図柄表示装置４Ａにおける第１特図を用いた特図ゲームにおける変動開始や、第２特別図柄表示装置４Ｂにおける第２特図を用いた特図ゲームにおける変動開始を、指定する演出制御コマンドである。変動パターン指定コマンドは、特図ゲームにおける特別図柄の可変表示に対応して画像表示装置５における「左」、「中」、「右」の各飾り図柄表示エリア５Ｌ、５Ｃ、５Ｒで可変表示される飾り図柄などの変動パターンを指定する演出制御コマンドである。可変表示結果通知コマンドは、特別図柄や飾り図柄などの可変表示結果を指定する演出制御コマンドである。
【０１６２】
ステップＳ２６６の後には、特図プロセスフラグの値を“２”に更新してから（ステップＳ２６７）、変動パターン設定処理を終了する。ステップＳ２６７にて特図プロセスフラグの値が“２”に更新されることにより、次回のタイマ割込みが発生したときには、図３に示すステップＳ１１２の特別図柄変動処理が実行される。
【０１６３】
次に、演出制御基板１２における動作を説明する。
【０１６４】
演出制御基板１２では、電源基板等から電源電圧の供給を受けると、演出制御用ＣＰＵ１２０が起動して、所定の演出制御メイン処理を実行する。演出制御メイン処理を開始すると、演出制御用ＣＰＵ１２０は、まず、所定の初期化処理を実行して、ＲＡＭ１２２のクリアや各種初期値の設定、また演出制御基板１２に搭載されたＣＴＣ（カウンタ／タイマ回路）のレジスタ設定等を行う。その後、タイマ割込みフラグがオンとなっているか否かの判定を行う。タイマ割込みフラグは、例えばＣＴＣのレジスタ設定に基づき、所定時間（例えば２ミリ秒）が経過するごとにオン状態にセットされる。このとき、タイマ割込みフラグがオフであれば、待機する。
【０１６５】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えばＲＡＭ１２２に設けられた演出制御コマンド受信用バッファに格納する。その後、演出制御用ＣＰＵ１２０は、割込み許可に設定してから、コマンド受信割込み処理を終了する。
【０１６６】
タイマ割込みフラグがオンである場合には、タイマ割込みフラグをクリアしてオフ状態にするとともに、コマンド解析処理を実行する。コマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０１６７】
一例として、コマンド解析処理では、演出制御コマンド受信用バッファに格納された受信コマンドがある場合に、その受信コマンドのＭＯＤＥデータを確認することなどにより、いずれの演出制御コマンドを受信したかを判定する。このとき、第１始動口入賞指定コマンドとともに入賞時判定結果コマンドおよび第１保留記憶数通知コマンドを受信した場合には、ＲＡＭ１２２の所定領域（例えば演出制御バッファ設定部）などに設けられた第１始動入賞時コマンドバッファにおける空き領域のうちで、バッファ番号となる保留表示番号が最も小さい格納領域に、第１始動口入賞指定コマンドと第１保留記憶数通知コマンドを順番に記憶させる。一方、第２始動口入賞指定コマンドとともに第２保留記憶数通知コマンドを受信したときには、ＲＡＭ１２２の所定領域（例えば演出制御バッファ設定部）などに設けられた第２始動入賞時コマンドバッファにおける空き領域のうちで、バッファ番号となる保留表示番号が最も小さい格納領域に、第２始動口入賞指定コマンドと第２保留記憶数通知コマンドを順番に記憶させる。
【０１６８】
第１始動入賞時コマンドバッファには、第１始動入賞の発生に対応して送信された１セットの演出制御コマンド（第１始動口入賞指定コマンドおよび第１保留記憶数通知コマンド）を対応付けて記憶できるように、格納領域が確保されている。演出制御用ＣＰＵ１２０は、第１始動入賞が発生したときに受信した演出制御コマンドを、その受信順序に従って、第１始動入賞時コマンドバッファの保留表示番号「１」〜「４」に対応する格納領域における空き領域の先頭から順番に格納していく。第１始動入賞時コマンドバッファにおける保留表示番号は、第１特図保留記憶数に対応している。
【０１６９】
第２始動入賞時コマンドバッファには、第２始動入賞の発生に対応して送信された１セットの演出制御コマンド（第２始動口入賞指定コマンドおよび第２保留記憶数通知コマンド）を対応付けて記憶できるように、格納領域が確保されている。演出制御用ＣＰＵ１２０は、第２始動入賞が発生したときに受信した演出制御コマンドを、その受信順序に従って、第２始動入賞時コマンドバッファの保留表示番号「１」〜「４」に対応する格納領域における空き領域の先頭から順番に格納していく。第２始動入賞時コマンドバッファにおける保留表示番号は、第２特図保留記憶数に対応している。
【０１７０】
コマンド解析処理を実行した後には、演出制御プロセス処理を実行する。演出制御プロセス処理では、例えば画像表示装置５の画面上における演出画像の表示動作、スピーカ８Ｌ、８Ｒからの音声出力動作、遊技効果ランプ９および装飾用ＬＥＤなどの発光体における点灯動作といった、各種の演出装置を用いた演出動作の制御内容について、主基板１１から送信された演出制御コマンド等に応じた判定や決定、設定などが行われる。演出制御プロセス処理に続いて、演出用乱数更新処理が実行され、演出制御に用いる各種の乱数値として、ＲＡＭ１２２のランダムカウンタによってカウントされる演出用乱数を示す数値データを、ソフトウェアにより更新する。
【０１７１】
図１１は、演出制御プロセス処理の一例を示すフローチャートである。図１１に示す演出制御プロセス処理では、まず、保留表示設定処理を実行する（ステップＳ１６１）。保留表示設定処理は、第１始動入賞や第２始動入賞が発生した始動入賞時に、第１保留表示部５ＨＲでの第１保留表示や第２保留表示部５ＨＬでの第２保留表示を更新するための処理を含んでいる。また、保留表示設定処理は、例えばＲＡＭ１２１の所定領域に設けられた保留表示データ記憶部の記憶データなどを用いて、「保留表示変化」の先読み予告演出を実行するための決定処理や設定処理などを含んでいる。
【０１７２】
図１２は、保留表示データ記憶部の構成例を示している。保留表示データ記憶部は、第１特図を用いた特図ゲームの実行が保留されていることや、第２特図を用いた特図ゲームの実行が保留されていることに対応して、第１保留表示部５ＨＲにて第１保留表示を行うための各種データや、第２保留表示部５ＨＬにて第２保留表示を行うための各種データを、保留表示データとして記憶する。保留表示データ記憶部として、第１特図を用いた特図ゲームの保留記憶表示に対応する第１保留表示データ記憶部と、第２特図を用いた特図ゲームの保留記憶表示とに対応する第２保留表示データ記憶部とが設けられていればよい。保留表示データ記憶部には、例えば第１特図保留記憶部や第２特図保留記憶部と同様の保留番号に関連付けて、入賞時判定結果、保留表示画像、変化演出用カウンタの値を特定可能に示すデータを記憶するための格納領域が確保されている。入賞時判定結果は、入賞時判定結果コマンドに基づいて特定される可変表示の判定結果を示している。保留表示画像は、第１保留表示部５ＨＲや第２保留表示部５ＨＬに表示されることで、未だ開始されていない可変表示の有無や保留数を認識可能にする演出画像である。変化演出用カウンタの値は、保留表示変化演出が実行される可変表示よりも前に実行される可変表示の残り回数を示している。
【０１７３】
この実施の形態において、入賞時判定結果コマンドに基づいて特定される入賞時判定結果には、「大当り」、「ハズレ時スーパーリーチ確定」、「ハズレ時リーチ確定」、「ハズレ時一般」がある。入賞時判定結果コマンドにより「大当り」の入賞時判定結果が通知された場合には、判定対象とされた可変表示の表示結果を「大当り」とすることが特定される。入賞時判定結果コマンドにより「ハズレ時スーパーリーチ確定」、「ハズレ時リーチ確定」、「ハズレ時一般」のいずれかが通知された場合には、判定対象とされた可変表示の表示結果を「ハズレ」とすることが特定される。
【０１７４】
この実施の形態では、複数種類の保留表示画像として、保留表示画像ＨＧＷ、保留表示画像ＨＧＢ、保留表示画像ＨＧＧ、保留表示画像ＨＧＲ、保留表示画像ＨＧＳが、予め用意されている。保留表示画像ＨＧＷは、保留番号に対応する表示部位にて丸型無地の白色表示を行う演出画像である。保留表示画像ＨＧＢは、保留番号に対応する表示部位にて丸型無地の青色表示を行う演出画像である。保留表示画像ＨＧＧは、保留番号に対応する表示部位にて丸型無地の緑色表示を行う演出画像である。保留表示画像ＨＧＲは、保留番号に対応する表示部位にて丸型無地の赤色表示を行う演出画像である。保留表示画像ＨＧＳは、保留番号に対応する表示部位にて「秘」のメッセージを示す表示を行う演出画像である。第１保留表示や第２保留表示における通常の表示態様は、丸型無地の白色表示となっている。
【０１７５】
図１１に示すステップＳ１７０の可変表示開始待ち処理は、演出プロセスフラグの値が“０”のときに実行される処理である。この可変表示開始待ち処理は、主基板１１から伝送される第１変動開始コマンドあるいは第２変動開始コマンドなどを受信したか否かに基づき、画像表示装置５の画面上における飾り図柄の可変表示を開始するか否かを判定する処理などを含んでいる。第１変動開始コマンドは、第１特別図柄表示装置４Ａによる第１特図を用いた特図ゲームが開始されることを通知する演出制御コマンドである。第２変動開始コマンドは、第２特別図柄表示装置４Ｂによる第２特図を用いた特図ゲームが開始されることを通知する演出制御コマンドである。このような第１変動開始コマンドまたは第２変動開始コマンドのいずれかを受信したときには、演出プロセスフラグの値が“１”に更新される。
【０１７６】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５の画面上における飾り図柄の可変表示や、その他の各種演出動作を行うために、特別図柄の変動パターンや表示結果の種類などに応じた確定飾り図柄や各種の演出制御パターンを決定する処理などを含んでいる。可変表示開始設定処理が実行されたときには、演出プロセスフラグの値が“２”に更新される。
【０１７７】
ステップＳ１７２の可変表示中演出処理は、演出プロセスフラグの値が“２”のときに実行される処理である。この可変表示中演出処理において、演出制御用ＣＰＵ１２０は、ＲＡＭ１２２の所定領域（演出制御タイマ設定部など）に設けられた演出制御プロセスタイマにおけるタイマ値に対応して、演出制御パターンから各種の制御データを読み出し、飾り図柄の可変表示中における各種の演出制御を行うための処理が含まれている。また、可変表示中演出処理には、主基板１１から伝送される図柄確定コマンドを受信したことなどに対応して、飾り図柄の可変表示結果となる最終停止図柄としての確定飾り図柄を完全停止表示（導出表示）させる処理が含まれている。なお、所定の演出制御パターンから終了コードが読み出されたことに対応して、確定飾り図柄を完全停止表示（導出表示）させるようにしてもよい。この場合には、変動パターン指定コマンドにより指定された変動パターンに対応する可変表示時間が経過したときに、主基板１１からの演出制御コマンドによらなくても、演出制御基板１２の側で自律的に確定飾り図柄を導出表示して可変表示結果を確定させることができる。こうした演出制御などを行った後に、演出プロセスフラグの値が“３”に更新される。
【０１７８】
ステップＳ１７３の特図当り待ち処理は、演出プロセスフラグの値が“３”のときに実行される処理である。特図当り待ち処理は、可変表示結果通知コマンドにより通知された可変表示結果や、主基板１１から伝送された当り開始指定コマンドを受信したか否かの判定結果などに基づいて、大当り遊技状態に制御されるか否かを判定する処理を含んでいる。そして、可変表示結果が「大当り」に対応して大当り遊技状態に制御される場合には、演出プロセスフラグの値が“４”に更新される一方で、可変表示結果が「ハズレ」に対応して大当り遊技状態に制御されない場合には、演出プロセスフラグがクリアされて、その値が“０”に初期化される。
【０１７９】
ステップＳ１７４のアタッカー開放時演出処理は、演出プロセスフラグの値が“４”のときに実行される処理である。アタッカー開放時演出処理は、例えば大当り遊技状態での演出内容に対応した演出制御パターン等を設定し、その設定内容に基づく各種演出の実行を制御する処理を含んでいる。より具体的に、演出画像を画像表示装置５の表示領域に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯や消灯あるいは点滅させることといった、アタッカーとしての大入賞口扉が開放状態となる所定期間における演出を実行可能にする。アタッカー開放時演出処理では、例えば主基板１１からの当り終了指定コマンドを受信したことに対応して、演出プロセスフラグの値をエンディング演出処理に対応した値である“５”に更新する。
【０１８０】
ステップＳ１７５のエンディング演出処理は、演出プロセスフラグの値が“５”のときに実行される処理である。エンディング演出処理は、例えば大当り遊技状態の終了などに対応した演出制御パターン等を設定し、その設定内容に基づく各種演出の実行を制御する処理を含んでいる。より具体的に、演出画像を画像表示装置５の表示領域に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯や消灯あるいは点滅させることといった、大当り遊技状態の終了時における演出を実行可能にする。
【０１８１】
図１３は、保留表示設定処理として、図１１のステップＳ１６１にて実行される処理の一例を示すフローチャートである。図１３に示す保留表示設定処理において、演出制御用ＣＰＵ１２０は、まず、始動入賞時に伝送される演出制御コマンド（始動口入賞指定コマンド、入賞時判定結果コマンド、保留記憶数通知コマンドなど）の受信があったか否かを判定する（ステップＳ３０１）。ステップＳ３０１の処理では、例えば第１始動入賞時コマンドバッファや第２始動入賞時コマンドバッファに、始動口入賞指定コマンドや入賞時判定結果コマンド、保留記憶数通知コマンドが新たに格納されているか否かを確認することにより、始動入賞時におけるコマンド受信の有無を判定すればよい。
【０１８２】
ステップＳ３０１にてコマンド受信がない場合には（ステップＳ３０１；Ｎｏ）、保留表示設定処理を終了する。一方、コマンド受信があると判定された場合には（ステップＳ３０１；Ｙｅｓ）、受信したコマンドによる通知内容を特定する（ステップＳ３０２）。例えば、入賞時判定結果コマンドによる通知内容として、入賞時判定結果を特定する。このときには、「入賞時判定制限中」が特定されたか否かを判定する（ステップＳ３０３）。「入賞時判定制限中」以外である場合には（ステップＳ３０３；Ｎｏ）、保留表示変化演出の有無を決定する（ステップＳ３０４）。演出制御用ＣＰＵ１２０は、乱数回路１２４または演出用ランダムカウンタなどにより更新される保留表示変化演出実行決定用の乱数値を示す数値データを抽出し、ＲＯＭ１２１に予め記憶されて用意された保留表示変化演出実行決定テーブルを参照することなどにより、保留表示変化演出の有無として、保留表示変化演出を実行するか否かを決定すればよい。ステップＳ３０４では、保留表示変化演出を実行しない場合における「演出なし」、あるいは保留表示変化演出を実行する場合における「演出あり」のうちで、いずれかに決定される。
【０１８３】
ステップＳ３０４に続いて、変化演出用カウンタの初期値を決定する（ステップＳ３０５）。ステップＳ３０５では、ステップＳ３０４にて決定された保留表示変化演出の有無や、今回の始動入賞に対応して保留表示データが記憶される保留番号、入賞時判定結果などに応じて、変化演出用カウンタの初期値が決定されるようにすればよい。ステップＳ３０３にて「入賞時判定制限中」であると判定された場合や（ステップＳ３０３；Ｙｅｓ）、ステップＳ３０５にて変化演出用カウンタの初期値を決定した後には、保留表示画像を決定する（ステップＳ３０６）。ステップＳ３０６では、ステップＳ３０４にて決定された保留表示変化演出の有無と入賞時判定結果との一部または全部に応じて、保留表示画像が複数種類のいずれかに決定されるようにすればよい。なお、ステップＳ３０３にて「入賞時判定制限中」であると判定された場合には、保留表示画像ＨＧＷに決定して、保留番号に対応する表示部位が丸型無地の白色表示となるように設定すればよい。あるいは、ステップＳ３０３にて「入賞時判定制限中」であると判定された場合に対応する保留表示画像として、「入賞時判定制限中」以外であると判定された場合とは異なる表示を行う演出画像が用いられてもよい。
【０１８４】
ステップＳ３０３にて「入賞時判定制限中」である場合や（ステップＳ３０３；Ｙｅｓ）、ステップＳ３０６にて保留表示画像を決定した後には、始動入賞時における保留表示の更新設定を行ってから（ステップＳ３０７）、保留表示設定処理を終了する。ステップＳ３０７では、保留表示データ記憶部における記憶内容の更新が行われてもよい。このときには、保留表示データ記憶部における空き領域の先頭に、入賞時判定結果コマンドから特定された入賞時判定結果、ステップＳ３０６にて決定された保留表示画像、ステップＳ３０５にて決定された変化演出用カウンタの初期値をそれぞれ示す保留表示データを格納することで記憶させればよい。第１始動入賞口を遊技球が通過（進入）したことにより第１特図保留記憶数が１増加した場合には、ステップＳ３０７によって、第１保留表示部５ＨＲでの第１保留表示を１増加させるように、新たな第１保留表示を追加する。これに対し、第２始動入賞口を遊技球が通過（進入）したことにより第２特図保留記憶数が１増加した場合には、ステップＳ３０７によって、第２保留表示部５ＨＬでの第２保留表示を１増加させるように、新たな第２保留表示を追加する。ステップＳ３０７では、ステップＳ３０６にて決定された保留表示画像を直ちに表示して、通常の表示態様とは異なる表示態様での保留表示を可能にしてもよい。あるいは、ステップＳ３０７では、ステップＳ３０６での決定結果にかかわらず、まずは保留表示画像ＨＧＷを表示させることで、通常の表示態様となる丸型無地の白色表示が行われるようにしてもよい。その後、保留記憶の消化に伴う保留表示のシフトが行われることに対応して、ステップＳ３０６にて決定した保留表示画像の表示へと変更されてもよい。
【０１８５】
図１４は、保留表示変化演出の有無に関する決定例を示している。図１３に示すステップＳ３０４では、例えば図１４に示すような保留番号や入賞時判定結果に応じた割合で、保留表示変化演出の有無が決定される。この決定例において、保留番号が「２」〜「４」のいずれかである場合には、入賞時判定結果に応じて異なる割合で、保留表示変化演出を実行する「演出あり」に決定できる。これに対し、保留番号が「１」である場合には、保留表示変化演出を実行しない「演出なし」に決定される。したがって、始動入賞の発生に基づく可変表示よりも前に保留されている可変表示がない期間という時期的な限界を定めて、その期間内に発生した始動入賞に基づく保留表示については保留表示変化演出が実行されないように制限が設けられる。
【０１８６】
図１５は、変化演出用カウンタの初期値に関する決定例を示している。図１３に示すステップＳ３０４にて保留表示変化演出を実行する「演出あり」に決定された場合に、ステップＳ３０５では、例えば図１５に示すような保留番号や入賞時判定結果などに応じた割合で、変化演出用カウンタの初期値が「１」〜「３」のいずれかに決定される。これに対し、ステップＳ３０４にて保留表示変化演出を実行しない「演出なし」に決定された場合には、ステップＳ３０５にて変化演出用カウンタの初期値が「０」に決定される。したがって、変化演出用カウンタの値が「０」以外となる保留表示に対応して、保留表示変化演出が実行される。
【０１８７】
図１５に示す決定例では、「演出あり」で保留番号が「３」または「４」の場合に、入賞時判定結果が「大当り」であるか「大当り」以外であるかに応じて異なる割合で、変化演出用カウンタの初期値が決定される。これらの場合に、入賞時判定結果が「大当り」であれば、「大当り」以外であるよりも高い割合で、変化演出用カウンタの初期値が小さい値に決定される。このように、入賞時判定結果が「大当り」であるか否かに応じて、変化演出用カウンタの初期値について決定割合を異ならせてもよい。これにより、始動入賞の発生に基づき保留表示が開始されてから保留表示変化演出が実行されるまでの期間に応じて異なる割合で、保留表示変化演出の対象となった保留表示に対応する可変表示において可変表示結果が「大当り」となることを示唆できる。より一般的に、保留表示が開始されてから保留表示変化演出が実行されるまでの期間に応じて異なる割合で、有利状態としての大当り遊技状態に制御されることを示唆できればよい。なお、変化演出用カウンタの初期値は、既に保留表示データ記憶部に記憶されている変化演出用カウンタの値に基づいて決定されることがあってもよい。例えば、既に保留表示データ記憶部に記憶されている変化演出用カウンタの値のうちに、「１」以上となるものがある場合には、その値よりも大きい値となるように、今回の保留表示に対応する変化演出用カウンタの初期値が決定されてもよい。この場合でも、変化演出用カウンタの初期値は保留番号未満となるように決定することで、保留表示に対応する可変表示が開始されるまでに、保留表示変化演出の実行が可能となる。保留表示データ記憶部に記憶される変化演出用カウンタの値が「１」以上で重複しないようにすれば、複数の異なる保留表示を対象とした保留表示変化演出が、１回の可変表示において実行されてしまうことを防止して、煩雑な演出の実行を抑制することができる。
【０１８８】
図１６は、保留表示画像の決定例を示している。図１３に示すステップＳ３０４にて保留表示変化演出を実行しない「演出なし」に決定された場合に、ステップＳ３０６では、例えば図１６（Ａ）に示すような入賞時判定結果に応じた割合で、保留表示画像が複数種類のいずれかに決定される。ステップＳ３０４にて保留表示変化演出を実行する「演出あり」に決定された場合に、ステップＳ３０６では、例えば図１６（Ｂ）に示すような割合で、保留表示画像ＨＧＷまたは保留表示画像ＨＧＳに決定される。
【０１８９】
図１６（Ａ）に示す決定例では、入賞時判定結果に応じて、決定可能な保留表示画像や決定割合が異なっている。例えば、入賞時判定結果が「ハズレ時リーチ確定」、「ハズレ時スーパーリーチ確定」、「大当り」のいずれかである場合には、所定割合で保留表示画像ＨＧＧに決定可能となる一方、入賞時判定結果が「ハズレ時一般」である場合には、保留表示画像ＨＧＧに決定不可となる。入賞時判定結果が「ハズレ時スーパーリーチ確定」または「大当り」である場合には、所定割合で保留表示画像ＨＧＲに決定可能となる一方、入賞時判定結果が「ハズレ時一般」または「ハズレ時リーチ確定」である場合には、保留表示画像ＨＧＲに決定不可となる。また、例えば入賞時判定結果が「大当り」である場合には、入賞時判定結果が「ハズレ時スーパーリーチ確定」のいずれかである場合よりも高い割合で、保留表示画像ＨＧＲに決定される。このような設定により、保留表示画像を用いた保留表示が行われた場合に、その表示色に応じた所定割合で可変表示結果が「大当り」となり大当り遊技状態に制御されることを示唆できる。すなわち、保留表示の表示態様に応じて異なる大当り期待度を示唆できる。
【０１９０】
図１６（Ａ）および図１６（Ｂ）に示すような割合で保留表示画像が決定されることにより、保留表示画像ＨＧＳが表示されて「秘」のメッセージを示す保留表示の表示態様となった場合には、その保留表示に対応して、保留表示変化演出が実行される。このような「秘」のメッセージを示す保留表示画像ＨＧＳが表示されることにより、保留表示変化演出の実行を予め報知することができる。これに対し、保留表示画像ＨＧＷが表示されて保留表示の表示態様が丸型無地の白色表示となった場合には、その保留表示に対応して、所定割合で保留表示変化演出が実行される場合と実行されない場合とが含まれる。したがって、保留表示の表示態様が保留表示画像ＨＧＳの表示態様となった場合には、保留表示画像ＨＧＷの表示態様となった場合よりも高い割合で保留表示変化演出が実行されることを示唆できる。なお、図１３に示すステップＳ３０４にて「演出なし」に決定された場合でも、所定割合で保留表示画像ＨＧＳに決定されることがあるように設定されてもよい。
【０１９１】
図１７は、可変表示開始設定処理として、図１１のステップＳ１７１にて実行される処理の一例を示すフローチャートである。図１７に示す可変表示開始設定処理において、演出制御用ＣＰＵ１２０は、まず、飾り図柄の可変表示結果としての確定飾り図柄となる最終停止図柄などを決定する（ステップＳ３２１）。ステップＳ３２１の処理として、演出制御用ＣＰＵ１２０は、主基板１１から伝送された変動パターン指定コマンドで示された変動パターンや、可変表示結果通知コマンドで示された可変表示結果といった、可変表示内容に基づいて、最終停止図柄を決定する。一例として、変動パターンや可変表示結果の組合せに応じた可変表示内容には、「非リーチ（ハズレ）」、「リーチ（ハズレ）」、「非確変（大当り）」、「確変（大当り）」があればよい。
【０１９２】
可変表示内容が「非リーチ（ハズレ）」の場合には、飾り図柄の可変表示状態がリーチ状態にはならずに、非リーチ組合せの確定飾り図柄が停止表示されて、可変表示結果が「ハズレ」となる。可変表示内容が「リーチ（ハズレ）」の場合には、飾り図柄の可変表示状態がリーチ状態となった後に、リーチハズレ組合せの確定飾り図柄が停止表示されて、可変表示結果が「ハズレ」となる。可変表示内容が「非確変（大当り）」の場合には、可変表示結果が「大当り」となり、大当り遊技状態の終了後における遊技状態が時短状態となる。可変表示内容が「確変（大当り）」の場合には、可変表示結果が「大当り」となり、大当り遊技状態の終了後における遊技状態が確変状態となる。
【０１９３】
可変表示内容が「非リーチ（ハズレ）」である場合に、演出制御用ＣＰＵ１２０は、「左」及び「右」の飾り図柄表示エリア５Ｌ、５Ｒにて異なる（不一致の）飾り図柄を最終停止図柄に決定する。演出制御用ＣＰＵ１２０は、乱数回路１２４または演出用ランダムカウンタなどにより更新される左確定図柄決定用の乱数値を示す数値データを抽出し、ＲＯＭ１２１に予め記憶されて用意された左確定図柄決定テーブルを参照することなどにより、確定飾り図柄のうち画像表示装置５の画面上における「左」の飾り図柄表示エリア５Ｌに停止表示される左確定飾り図柄を決定する。次に、乱数回路１２４または演出用ランダムカウンタなどにより更新される右確定図柄決定用の乱数値を示す数値データを抽出し、ＲＯＭ１２１に予め記憶されて用意された右確定図柄決定テーブルを参照することなどにより、確定飾り図柄のうち画像表示装置５の画面上における「右」の飾り図柄表示エリア５Ｒに停止表示される右確定飾り図柄を決定する。このときには、右確定図柄決定テーブルにおける設定などにより、右確定飾り図柄の図柄番号が左確定飾り図柄の図柄番号とは異なるように、決定されるとよい。続いて、乱数回路１２４または演出用ランダムカウンタなどにより更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の画面上における「中」の飾り図柄表示エリア５Ｃに停止表示される中確定飾り図柄を決定する。
【０１９４】
可変表示内容が「リーチ（ハズレ）」である場合に、演出制御用ＣＰＵ１２０は、「左」及び「右」の飾り図柄表示エリア５Ｌ、５Ｒにて同一の（一致する）飾り図柄を最終停止図柄に決定する。演出制御用ＣＰＵ１２０は、乱数回路１２４または演出用ランダムカウンタなどにより更新される左右確定図柄決定用の乱数値を示す数値データを抽出し、ＲＯＭ１２１に予め記憶されて用意された左右確定図柄決定テーブルを参照することなどにより、確定飾り図柄のうち画像表示装置５の画面上における「左」と「右」の飾り図柄表示エリア５Ｌ、５Ｒにて揃って停止表示される図柄番号が同一の飾り図柄を決定する。さらに、乱数回路１２４または演出用ランダムカウンタなどにより更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の画面上における「中」の飾り図柄表示エリア５Ｃにて停止表示される中確定飾り図柄を決定する。ここで、例えば中確定飾り図柄の図柄番号が左確定飾り図柄及び右確定飾り図柄の図柄番号と同一になる場合のように、確定飾り図柄が大当り組合せとなってしまう場合には、任意の値（例えば「１」）を中確定飾り図柄の図柄番号に加算または減算することなどにより、確定飾り図柄が大当り組合せとはならずにリーチ組合せとなるようにすればよい。あるいは、中確定飾り図柄を決定するときには、左確定飾り図柄及び右確定飾り図柄の図柄番号との差分（図柄差）を決定し、その図柄差に対応する中確定飾り図柄を設定してもよい。
【０１９５】
可変表示内容が「非確変（大当り）」や「確変（大当り）」である場合に、演出制御用ＣＰＵ１２０は、「左」、「中」、「右」の飾り図柄表示エリア５Ｌ、５Ｃ、５Ｒにて同一の（一致する）飾り図柄を最終停止図柄に決定する。演出制御用ＣＰＵ１２０は、乱数回路１２４または演出用ランダムカウンタなどにより更新される大当り確定図柄決定用の乱数値を示す数値データを抽出する。続いて、ＲＯＭ１２１に予め記憶されて用意された大当り確定図柄決定テーブルを参照することなどにより、画像表示装置５の画面上における「左」、「中」、「右」の飾り図柄表示エリア５Ｌ、５Ｃ、５Ｒに揃って停止表示される図柄番号が同一の飾り図柄を決定する。このときには、可変表示内容が「非確変（大当り）」と「確変（大当り）」のいずれであるかや、大当り中昇格演出が実行されるか否かなどに応じて、通常図柄（例えば偶数を示す飾り図柄）と確変図柄（例えば奇数を示す飾り図柄）のいずれを確定飾り図柄とするかが決定されればよい。大当り中昇格演出は、画像表示装置５において大当りを想起させるが確変状態を想起させないような飾り図柄の組合せ（非確変大当り組合せ）が一旦は停止表示されてから、大当り遊技状態中や大当り遊技状態の終了時に確変状態となるか否かを報知する演出である。
【０１９６】
具体的な一例として、可変表示内容が「非確変（大当り）」である場合には、複数種類の通常図柄のうちから、確定飾り図柄となるものを決定する。また、可変表示内容が「確変（大当り）」で大当り中昇格演出を実行しないと決定されたときには、複数種類の確変図柄のうちから、確定飾り図柄となるものを決定する。これに対して、可変表示内容が「確変（大当り）」であっても大当り中昇格演出を実行すると決定されたときには、複数種類の通常図柄のうちから、確定飾り図柄となるものを決定する。これにより、確定飾り図柄として確変図柄が揃って導出表示されたにもかかわらず、大当り中昇格演出が実行されてしまうことを防止して、遊技者に不信感を与えないようにすればよい。
【０１９７】
可変表示内容が「非確変（大当り）」または「確変（大当り）」である場合には、ステップＳ３２１において、再抽選演出や大当り中昇格演出といった確変昇格演出を実行するか否かの決定が行われてもよい。再抽選演出では、飾り図柄の可変表示中に同一の通常図柄からなる非確変大当り組合せの飾り図柄が一旦表示されることによって、確変状態に制御されることを一旦は認識困難または認識不能とし、飾り図柄を再び可変表示（再変動）させて同一の確変図柄からなる確変大当り組合せの飾り図柄が停止表示されることによって確変状態に制御されることを遊技者が認識可能に報知できる。なお、再抽選演出にて飾り図柄を再変動させた後に非確変大当り組合せの飾り図柄が停止表示されることにより、確変状態に制御されることを報知しない場合もある。ステップＳ３２１の処理にて再抽選演出を実行すると決定された場合には、再抽選演出の実行前に仮停止表示する飾り図柄の組合せなどを決定すればよい。
【０１９８】
ステップＳ３２１にて最終停止図柄などを決定した後には、変化演出設定処理が実行される（ステップＳ３２２）。続いて、演出制御パターンを予め用意された複数パターンのいずれかに決定する（ステップＳ３２３）。例えば、演出制御用ＣＰＵ１２０は、変動パターン指定コマンドで示された変動パターンなどに対応して、複数用意された演出制御パターン（特図変動時演出制御パターン）のいずれかを選択し、使用パターンとしてセットする。また、演出制御用ＣＰＵ１２０は、ステップＳ３２２の変化演出設定処理による保留表示変化演出やアクティブ表示変化演出の実行設定に対応して、複数用意された演出制御パターン（保留表示変化演出制御パターンまたはアクティブ表示変化演出制御パターン）のいずれかを選択し、使用パターンとしてセットしてもよい。なお、特図変動時演出制御パターン、保留表示変化演出制御パターン、アクティブ表示変化演出制御パターンとして、別個の演出制御パターンをセットするものに限定されず、各演出の実行設定の組合せに対応した１の演出制御パターンをセットするものであってもよい。
【０１９９】
ステップＳ３２３により演出制御パターンが決定されると、例えば変動パターン指定コマンドにより指定された変動パターンに対応して、ＲＡＭ１２２の所定領域（演出制御タイマ設定部など）に設けられた演出制御プロセスタイマの初期値を設定する（ステップＳ３２４）。そして、画像表示装置５の画面上にて飾り図柄などの変動を開始させるための設定を行う（ステップＳ３２５）。このときには、例えばステップＳ３２３にて決定された演出制御パターン（特図変動時演出制御パターン）に含まれる表示制御データが指定する表示制御指令を表示制御部１２３のＶＤＰに対して伝送させることなどにより、画像表示装置５の画面上に設けられた「左」、「中」、「右」の各飾り図柄表示エリア５Ｌ、５Ｃ、５Ｒにて飾り図柄の変動を開始させればよい。
【０２００】
ステップＳ３２５にて変動開始の設定を行った後には、可変表示の開始に対応して、第１保留表示部５ＨＲにおける第１保留表示や第２保留表示部５ＨＬにおける第２保留表示といった、保留表示などを更新するための設定を行う（ステップＳ３２６）。例えば、第１特図を用いた特図ゲームが実行（開始）される場合には、第１保留表示部５ＨＲにおいて、保留番号が「１」に対応した表示部位（左端の表示部位）を消去（消化）するとともに、他の保留番号「２」〜「４」に対応した表示部位における第１保留表示を１つずつ左方向に移動（シフト）させる。一方、第２特図を用いた特図ゲームが実行（開始）される場合には、第２保留表示部５ＨＬにおいて、保留番号が「１」に対応した表示部位（右端の表示部位）を消去（消化）するとともに、他の保留番号「２」〜「４」に対応した表示部位における第２保留表示を１つずつ右方向に移動（シフト）させる。これにより、保留表示のシフトが行われる。
【０２０１】
なお、第１特図保留記憶数および第２特図保留記憶数がいずれも「０」であるときに、第１始動入賞や第２始動入賞の発生に基づいて直ちに可変表示が開始される場合には、第１保留表示や第２保留表示を更新することなく、アクティブ表示部ＡＨＡにおけるアクティブ表示を更新するための設定が行われてもよい。この場合、演出制御用ＣＰＵ１２０は、アクティブ表示における通常の表示態様として、丸形無地で白色のアクティブ表示を、アクティブ表示部ＡＨＡにて開始させればよい。ステップＳ３２６により保留表示などを更新した後には、演出プロセスフラグの値を可変表示中演出処理に対応した値である“２”に更新してから（ステップＳ３２７）、可変表示開始設定処理を終了する。
【０２０２】
図１８は、変化演出設定処理として、図１７のステップＳ３２２にて実行される処理の一例を示すフローチャートである。図１８に示す変化演出処理において、演出制御用ＣＰＵ１２０は、まず、保留表示データ記憶内容を確認する（ステップＳ５０１）。保留表示データ記憶内容は、例えば図１２に示すような保留表示データ記憶部において、各々の保留番号と関連付けて記憶されている入賞時判定結果、保留表示画像、変化演出用カウンタの値などを示すデータの内容である。そして、「０」以外の値になっている変化演出用カウンタがあるか否かを判定する（ステップＳ５０２）。変化演出用カウンタの値は、保留表示変化演出が未だ実行されていなければ、「０」以外になる。したがって、「０」以外の値になっている変化演出用カウンタの有無を判定することで、未だ実行されていない保留表示変化演出の設定があるか否かを判定できる。
【０２０３】
「０」以外の値になっている変化演出用カウンタがあると判定された場合には（ステップＳ５０２；Ｙｅｓ）、その変化演出用カウンタの値を１減算（デクリメント）するように更新する（ステップＳ５０３）。このような更新（減算更新）の結果として、変化演出用カウンタの値が「０」になったものがあるか否かを判定する（ステップＳ５０４）。ステップＳ５０３にて１減算された変化演出用カウンタの値が「０」になった場合には、今回の可変表示において保留表示変化演出を実行することになる。すなわち、ステップＳ５０４にて値が「０」になった変化演出用カウンタがあると判定された場合には（ステップＳ５０４；Ｙｅｓ）、今回変動の短縮有無を特定し（ステップＳ５０５）、その特定結果に基づいて、保留変化演出パターンを決定する（ステップＳ５０６）。
【０２０４】
ステップＳ５０５にて特定される今回変動の短縮有無は、変動パターン指定コマンドで示された変動パターンが、可変表示期間としての特図変動時間を短縮したものであるか否かに対応している。例えば図９（Ｂ）に示す複数の変動パターンのうちで、変動パターンＰＡ１−２、ＰＡ１−３、ＰＢ１−２、ＰＢ１−３のいずれかといった、短縮ありの変動パターンが指定された場合には、今回の可変表示において可変表示期間が短縮される「今回変動短縮あり」と特定すればよい。これらの変動パターンとは異なる変動パターンが指定された場合には、今回の可変表示において可変表示期間が短縮されない「今回変動短縮なし」と特定すればよい。
【０２０５】
図１９は、この実施の形態における保留変化演出パターンを示している。この実施の形態では、複数の保留変化演出パターンとして、保留変化演出パターンＺＨＰ１−０〜ＺＨＰ１−３、ＺＨＰ２−１〜ＺＨＰ２−３、ＺＨＰ３−１が、予め用意されている。各々の保留変化演出パターンに対応する変化前表示は、保留表示変化演出が実行される前に表示されている保留表示の表示態様を示している。各々の保留変化演出パターンに対応する演出実行時間は、保留表示変化演出の実行が開始されてから終了するまでの所要時間を示している。複数の保留変化演出パターンは、１回の保留表示変化演出によって保留表示の表示態様を１回変化可能または複数回変化可能な複数種類の演出態様に対応している。ただし、例えば保留変化演出パターンＺＨＰ１−０のように、保留表示変化演出が実行された後に表示される保留表示が保留表示画像ＨＧＷを用いた丸型無地の白色表示となる場合などには、その保留表示変化演出が実行される前に表示された保留表示の表示態様と同一になることがある。このような場合には、保留表示変化演出が実行されても保留表示の表示態様を変化させないことになり、保留表示変化演出のうちで保留表示変化失敗演出としての保留変化ガセ演出となる。
【０２０６】
図１９に示すような複数の保留変化演出パターンに応じて、保留表示の表示態様を変化させる回数や、保留表示変化演出が実行された後に表示される保留表示の最終的な表示態様が異なっている。図１９に示す複数の保留変化演出パターンのうちで、保留変化演出パターンＺＨＰ１−１〜ＺＨＰ１−３は１回の保留表示変化演出によって保留表示の表示態様を１回変化させ、保留変化演出パターンＺＨＰ２−１〜ＺＨＰ２−３は１回の保留表示変化演出によって保留表示の表示態様を２回変化させ、保留変化演出パターンＺＨＰ３−１は１回の保留表示変化演出によって保留表示の表示態様を３回変化させる。図１９に示す複数の保留変化演出パターンのうちで、保留変化演出パターンＺＨＰ１−０は保留表示の最終的な表示態様を保留表示画像ＨＧＷによる白色表示とし、保留変化演出パターンＺＨＰ１−１は保留表示の最終的な表示態様を保留表示画像ＨＧＢによる青色表示とし、保留変化演出パターンＺＨＰ１−２、ＺＨＰ２−１は保留表示の最終的な表示態様を保留表示画像ＨＧＧによる緑色表示とし、その他の保留変化演出パターンは保留表示の最終的な表示態様を保留表示画像ＨＧＲによる赤色表示とする。したがって、図１８に示すステップＳ５０６にて保留変化演出パターンを決定することで、１回の保留表示変化演出によって保留表示の表示態様を変化させる回数と、保留表示変化演出が実行された後に表示される保留表示の表示態様とが決定される。
【０２０７】
保留表示変化演出における演出実行時間は、保留変化演出パターンに対応して保留表示の表示態様を変化させる回数などに応じて、異なる時間が設定されている。図１９に示す複数の保留変化演出パターンのうちで、保留変化演出パターンＺＨＰ１−０〜ＺＨＰ１−３では演出実行時間がＴ０１となり、保留変化演出パターンＺＨＰ２−１〜ＺＨＰ２−３では演出実行時間がＴ０１よりも長いＴ０２となり、保留変化演出パターンＺＨＰ３−１では演出実行時間がＴ０２よりも長いＴ０３となる。このように、１回の保留表示変化演出によって保留表示の表示態様を変化させる回数が多い場合には、その回数が少ない場合よりも、保留表示変化演出における演出実行時間が長くなる。
【０２０８】
図２０および図２１は、保留変化演出パターンの決定例を示している。図２０は、図１８に示すステップＳ５０５にて「今回変動短縮なし」と特定された場合のステップＳ５０６における保留変化演出パターンの決定例を示している。図２１は、図１８に示すステップＳ５０５にて「今回変動短縮あり」と特定された場合のステップＳ５０６における保留変化演出パターンの決定例を示している。
【０２０９】
図１８に示すステップＳ５０５にて「今回変動短縮なし」と特定された場合に、ステップＳ５０６では、例えば図２０に示すような入賞時判定結果に応じた割合で、保留変化演出パターンが決定される。これに対し、図１８に示すステップＳ５０５にて「今回変動短縮あり」と特定された場合に、ステップＳ５０６では、例えば図２１に示すような入賞時判定結果に応じた割合で、保留変化演出パターンが決定される。図２０および図２１に示す決定例では、「今回変動短縮なし」の場合であるか「今回変動短縮あり」の場合であるかに応じて、決定可能な保留変化演出パターンが異なっている。例えば、図２０に示す「今回変動短縮なし」の場合には、入賞時判定結果が「ハズレ時スーパーリーチ確定」や「大当り」に対応して、保留変化演出パターンＺＨＰ２−１〜ＺＨＰ２−３、ＺＨＰ３−１を含めた複数の保留変化演出パターンのいずれかに、所定割合で決定可能となる。これに対し、図２１に示す「今回変動短縮あり」の場合には、入賞時判定結果が「ハズレ時スーパーリーチ確定」や「大当り」であっても、保留変化演出パターンＺＨＰ２−１〜ＺＨＰ２−３、ＺＨＰ３−１が決定不可となり、保留変化演出パターンＺＨＰ１−０〜ＺＨＰ１−３のいずれかに決定可能となるにすぎない。
【０２１０】
保留変化演出パターンＺＨＰ２−１〜ＺＨＰ２−３は、１回の保留表示変化演出によって保留表示の表示態様を２回変化させる演出態様に対応し、演出実行時間がＴ０２となり、保留変化演出パターンＺＨＰ１−０〜ＺＨＰ１−３における演出実行時間のＴ０１よりも長い時間が必要になる。保留変化演出パターンＺＨＰ３−１は、１回の保留表示変化演出によって保留表示の表示態様を３回変化させる演出態様に対応し、演出実行時間がＴ０２よりもさらに長いＴ０３となる。そのため、「今回変動短縮あり」と特定されて今回の可変表示における可変表示期間が比較的に短くなる場合には、その可変表示期間において保留表示変化演出が最後まで実行できずに中止されてしまうおそれがある。そこで、「今回変動短縮あり」の場合には、保留変化演出パターンＺＨＰ２−１〜ＺＨＰ２−３、ＺＨＰ３−１が決定されないように、テーブルデータなどの決定データを設定する。したがって、可変表示の可変表示期間が予め定められた基準時間長よりも短い場合という可変表示期間の限界を定めて、そのような短い可変表示期間において実行される保留表示変化演出では保留表示の表示態様を変化させる回数が比較的に少ない演出態様となるように制限が設けられる。これに対し、可変表示の可変表示期間が基準時間長以上である場合に実行される保留表示変化演出については、所定の決定割合で、保留表示の表示態様を変化させる回数が比較的に多い演出態様とすることができる。このように、保留表示変化演出が実行される１回の可変表示の可変表示期間に応じて、その１回の可変表示において保留表示の表示態様を変化させる回数を異ならせることができる。
【０２１１】
なお、図２０に示す決定例では、「今回変動短縮なし」に対応して、保留変化演出パターンＺＨＰ１−０〜ＺＨＰ１−３にも決定可能である。すなわち、保留表示変化演出が実行される１回の可変表示の可変表示期間が基準時間長以上である場合に、その１回の可変表示において保留表示の表示態様を変化させる回数は、可変表示期間が基準時間長よりも短い場合と同じ回数になることがあってもよいが、より多い回数になることができればよい。これに対し、「今回変動短縮なし」と特定する変動パターンの設定を変更することや、「今回変動短縮なし」と特定した場合に決定可能な保留変化演出パターンの設定を変更することにより、可変表示期間が基準時間長以上である場合に、その１回の可変表示において保留表示の表示態様を変化させる回数は、可変表示期間が基準時間長よりも短い場合と同じ回数になることがなく、より多い回数のみになることができるようにしてもよい。例えば「今回変動短縮なし」と特定された場合に、ステップＳ５０６では、保留変化演出パターンＺＨＰ２−１〜ＺＨＰ２−３、ＺＨＰ３−１のいずれかに決定可能となる一方、保留変化演出パターンＺＨＰ１−０〜ＺＨＰ１−３が決定不可となるようにしてもよい。
【０２１２】
図２０および図２１に示す決定例では、入賞時判定結果に応じて、決定可能な保留変化演出パターンや決定割合が異なっている。例えば、入賞時判定結果が「ハズレ時一般」である場合には、図２０に示す「今回変動短縮なし」の場合と図２１に示す「今回変動短縮あり」の場合のいずれであっても、保留変化演出パターンＺＨＰ１−０、ＺＨＰ１−１のいずれかに決定可能となり、その他の保留変化演出パターンに決定不可となる。図２０に示す「今回変動短縮なし」の場合において、入賞時判定結果が「大当り」または「ハズレ時スーパーリーチ確定」であれば、所定割合で保留変化演出パターンＺＨＰ２−２、ＺＨＰ２−３、ＺＨＰ３−１に決定可能となる一方、入賞時判定結果が「ハズレ時リーチ確定」または「ハズレ時一般」であれば、これらの保留変化演出パターンには決定不可となる。また、図２０に示す「今回変動短縮なし」の場合において、入賞時判定結果が「大当り」であれば、入賞時判定結果が「ハズレ時スーパーリーチ確定」のときよりも高い割合で、保留変化演出パターンＺＨＰ２−３、ＺＨＰ３−１などに決定される。このような設定により、保留表示変化演出が実行された場合に、１回の演出によって保留表示の表示態様を変化させる回数や保留表示変化演出が実行された後に表示される保留表示の表示態様に応じた所定割合で可変表示結果が「大当り」となり大当り遊技状態に制御されることを示唆できる。すなわち、保留表示変化演出の演出態様や変化後における保留表示の表示態様などに応じて異なる大当り期待度を示唆できる。
【０２１３】
図１８に示す変化演出設定処理では、ステップＳ５０２にて「０」以外の値になっている変化演出用カウンタがないと判定された場合や（ステップＳ５０２；Ｎｏ）、ステップＳ５０４にて変化演出用カウンタの値が「０」になったものがないと判定された場合（ステップＳ５０４；Ｎｏ）、あるいはステップＳ５０６にて保留変化演出パターンを決定した後には、アクティブ表示変化演出の有無を決定する（ステップＳ５０７）。演出制御用ＣＰＵ１２０は、乱数回路１２４または演出用ランダムカウンタなどにより更新されるアクティブ表示変化演出実行決定用の乱数値を示す数値データを抽出し、ＲＯＭ１２１に予め記憶されて用意されたアクティブ表示変化演出実行決定テーブルを参照することなどにより、アクティブ表示変化演出の有無として、アクティブ表示変化演出を実行するか否かを決定すればよい。ステップＳ５０７では、アクティブ表示変化演出を実行しない場合における「演出なし」、あるいはアクティブ表示変化演出を実行する場合における「演出あり」のうちで、いずれかに決定される。
【０２１４】
ステップＳ５０７の決定結果に基づいて、「演出なし」に決定されたか否かを判定する（ステップＳ５０８）。「演出なし」に決定された場合には（ステップＳ５０８；Ｙｅｓ）、変化演出設定処理を終了する。「演出あり」に決定された場合には（ステップＳ５０８；Ｎｏ）、アクティブ変化演出パターンを決定してから（ステップＳ５０９）、変化演出設定処理を終了する。
【０２１５】
図２２は、アクティブ表示変化演出の有無に関する決定例を示している。図１８に示すステップＳ５０６では、例えば図２２に示すような可変表示内容に応じた割合で、アクティブ表示変化演出の有無が決定される。図２２に示す決定例では、複数の可変表示内容のうちで、可変表示内容が「非確変（大当り）」または「確変（大当り）」となる場合のように、可変表示結果が「大当り」となる場合には、可変表示内容が「非リーチ（ハズレ）」または「リーチ（ハズレ）」となる場合のように、可変表示結果が「ハズレ」となる場合よりも高い割合で、アクティブ表示変化演出を実行する「演出あり」に決定される。このような設定により、アクティブ表示変化演出が実行された場合には、実行されない場合よりも高い割合で可変表示結果が「大当り」となることを示唆できる。より一般的に、アクティブ表示変化演出が実行されるか否かに応じて異なる割合で、有利状態としての大当り遊技状態に制御されることを示唆できればよい。なお、アクティブ表示変化演出が実行された場合に、その演出態様によっては、可変表示結果が「大当り」となる割合が高くなることがあってもよいし、可変表示結果が「大当り」となる割合が低くなることがあってもよい。すなわち、アクティブ表示変化演出が実行されるか否かだけでは、可変表示結果が「大当り」となる割合が高いか否かを、遊技者などが認識不可能または認識困難にしてもよい。
【０２１６】
図２３は、この実施の形態におけるアクティブ変化演出パターンを示している。この実施の形態では、複数のアクティブ変化演出パターンとして、アクティブ変化演出パターンＹＡＰ２−１〜ＹＡＰ２−３、ＹＡＰ３−１が、予め用意されている。各々のアクティブ変化演出パターンに対応する変化前表示は、アクティブ表示変化演出が実行される前に表示されているアクティブ表示の表示態様を示している。複数のアクティブ変化演出パターンは、１回のアクティブ表示変化演出によってアクティブ表示の表示態様を複数回変化可能な複数種類の演出態様に対応している。
【０２１７】
図２３に示すようなアクティブ変化演出パターンに応じて、アクティブ表示の表示態様を変化させる回数や、アクティブ表示変化演出が実行された後に表示されるアクティブ表示の最終的な表示態様が異なっている。図２３に示す複数のアクティブ変化演出パターンのうちで、アクティブ変化演出パターンＹＡＰ２−１〜ＹＡＰ２−３は１回のアクティブ表示変化演出によってアクティブ表示の表示態様を２回変化させ、アクティブ変化演出パターンＹＡＰ３は１回のアクティブ表示変化演出によってアクティブ表示の表示態様を３回変化させる。図２３に示す複数のアクティブ変化演出パターンのうちで、アクティブ変化演出パターンＹＡＰ２−１はアクティブ表示の最終的な表示態様を「チャンス」のメッセージを報知するアイコンとし、アクティブ変化演出パターンＹＡＰ２−２、ＹＡＰ２−３、ＹＡＰ３−１はアクティブ表示の最終的な表示態様を「激熱」のメッセージを報知するアイコンとする。したがって、図１８に示すステップＳ５０９にてアクティブ変化演出パターンを決定することで、１回のアクティブ表示変化演出によってアクティブ表示の表示態様を変化させる回数と、アクティブ表示変化演出が実行された後に表示されるアクティブ表示の表示態様とが決定される。
【０２１８】
図２４は、アクティブ変化演出パターンの決定例を示している。図１８に示すステップＳ５０９では、例えば図２４に示すような可変表示内容に応じた割合で、アクティブ変化演出パターンが決定される。図２４に示す決定例では、可変表示内容に応じて、決定可能なアクティブ変化演出パターンや決定割合が異なっている。例えば、可変表示内容が「非リーチ（ハズレ）」である場合には、アクティブ変化演出パターンＹＡＰ２−１にのみ決定可能となり、その他のアクティブ変化演出パターンＹＡＰ２−２、ＹＡＰ２−３、ＹＡＰ３−１に決定不可となる。可変表示内容が「非確変（大当り）」または「確変（大当り）」である場合には、所定割合でアクティブ変化演出パターンＹＡＰ３−１に決定可能となる一方、可変表示内容が「非リーチ（ハズレ）」または「リーチ（ハズレ）」である場合には、アクティブ変化演出パターンＹＡＰ３−１に決定不可となる。また、例えば可変表示内容が「非確変（大当り）」または「確変（大当り）」である場合には、可変表示内容が「非リーチ（ハズレ）」または「リーチ（ハズレ）」である場合よりも高い割合で、アクティブ変化演出パターンＹＡＰ２−３に決定される。このような設定により、アクティブ表示変化演出が実行された場合に、１回の演出によってアクティブ表示の表示態様を変化させる回数やアクティブ表示変化演出が実行された後に表示されるアクティブ表示の表示態様に応じた所定割合で可変表示結果が「大当り」となり大当り遊技状態に制御されることを示唆できる。すなわち、アクティブ表示変化演出の演出態様や変化後におけるアクティブ表示の表示態様などに応じて異なる大当り期待度を示唆できる。
【０２１９】
図２５は、可変表示中演出処理として、図１１のステップＳ１７２にて実行される処理の一例を示すフローチャートである。図２５に示す可変表示中演出処理において、演出制御用ＣＰＵ１２０は、まず、例えば演出制御プロセスタイマのタイマ値などに基づいて、変動パターンに対応した可変表示時間が経過したか否かを判定する（ステップＳ３４１）。一例として、ステップＳ３４１の処理では、演出制御プロセスタイマのタイマ値を更新（例えば１減算）し、更新後の演出制御プロセスタイマ値に対応して演出制御パターンから終了コードが読み出されたときなどに、可変表示時間が経過したと判定すればよい。
【０２２０】
ステップＳ３４１にて可変表示時間が経過していない場合には（ステップＳ３４１；Ｎｏ）、保留表示変化演出を実行するための保留表示変化演出期間であるか否かを判定する（ステップＳ３４２）。保留表示変化演出期間は、例えば図１７に示すステップＳ３２３の処理にて決定された演出制御パターン（保留表示変化演出制御パターンなど）において、予め定められていればよい。保留表示変化演出期間である場合には（ステップＳ３４２；Ｙｅｓ）、保留表示変化演出を実行するための制御が行われる（ステップＳ３４３）。ステップＳ３４３の処理では、保留表示変化演出制御パターンの設定に基づいて作成した各種指令を、表示制御部１２３や音声制御基板１３、ランプ制御基板１４などに対して伝送させる。これにより、画像表示装置５の画面上に所定の演出画像を表示させることや、スピーカ８Ｌ、８Ｒから所定の効果音を出力させること、遊技効果ランプ９および装飾用ＬＥＤを点灯や消灯や点滅させること、あるいは、これらの一部または全部を組み合わせることで、所定の演出装置にて保留表示変化演出を実行できればよい。
【０２２１】
ステップＳ３４２にて保留表示変化演出期間ではないと判定された場合や（ステップＳ３４２；Ｎｏ）、ステップＳ３４３による制御を行った後には、アクティブ表示変化演出を実行するためのアクティブ表示変化演出期間であるか否かを判定する（ステップＳ３４４）。アクティブ表示変化演出期間は、例えば図１７に示すステップＳ３２３の処理にて決定された演出制御パターン（アクティブ表示変化演出制御パターンなど）において、予め定められていればよい。アクティブ表示変化演出期間である場合には（ステップＳ３４４；Ｙｅｓ）、アクティブ表示変化演出を実行するための制御が行われる（ステップＳ３４５）。なお、保留表示変化演出とアクティブ表示変化演出は、共通の演出制御を行うことにより実行されてもよい。この場合、ステップＳ３４２〜Ｓ３４５の処理に代えて、保留表示変化演出とアクティブ表示変化演出に共通する表示変化演出期間であるか否かを判定し、表示変化演出期間であると判定された場合には、表示変化演出制御パターンに従って保留表示変化演出やアクティブ表示変化演出を実行するための制御が行われればよい。
【０２２２】
ステップＳ３４４にてアクティブ表示変化演出期間ではないと判定されたときや（ステップＳ３４４；Ｎｏ）、ステップＳ３４５による制御を行った後には、リーチ演出を実行するためのリーチ演出期間であるか否かを判定する（ステップＳ３４６）。リーチ演出期間は、例えば変動パターンに応じて決定された演出制御パターンにおいて、予め定められていればよい。ステップＳ３４６にてリーチ演出期間であると判定されたときには（ステップＳ３４６；Ｙｅｓ）、リーチ演出を実行するための制御が行われる（ステップＳ３４７）。
【０２２３】
ステップＳ３４６にてリーチ演出期間ではないと判定されたときや（ステップＳ３４６；Ｎｏ）、ステップＳ３４７による制御を行った後には、例えば変動パターンに対応して決定された演出制御パターンにおける設定などに基づいて、その他、飾り図柄の可変表示動作を含めた可変表示中における演出を実行するための制御を行ってから（ステップＳ３４８）、可変表示中演出処理を終了する。
【０２２４】
ステップＳ３４１にて可変表示時間が経過した場合には（ステップＳ３４１；Ｙｅｓ）、主基板１１から伝送される図柄確定コマンドの受信があったか否かを判定する（ステップＳ３４９）。このとき、図柄確定コマンドの受信がなければ（ステップＳ３４９；Ｎｏ）、可変表示中演出処理を終了して待機する。なお、可変表示時間が経過した後、図柄確定コマンドを受信することなく所定時間が経過した場合には、図柄確定コマンドを正常に受信できなかったことに対応して、所定のエラー処理が実行されるようにしてもよい。
【０２２５】
ステップＳ３４９にて図柄確定コマンドの受信があった場合には（ステップＳ３４９；Ｙｅｓ）、例えば表示制御部１２３のＶＤＰ等に対して所定の表示制御指令を伝送させることといった、飾り図柄の可変表示において表示結果となる最終停止図柄（確定飾り図柄）を導出表示させる制御を行う（ステップＳ３５０）。続いて、当り開始指定コマンド受信待ち時間として予め定められた一定時間を設定する（ステップＳ３５１）。また、演出プロセスフラグの値を特図当り待ち処理に対応した値である“３”に更新してから（ステップＳ３５２）、可変表示中演出処理を終了する。
【０２２６】
以下、パチンコ遊技機１における具体的な制御の一例について説明する。
【０２２７】
パチンコ遊技機１では、例えば遊技領域に打ち込まれた遊技球が第１始動入賞口や第２始動入賞口を通過（進入）して第１始動入賞や第２始動入賞といった始動入賞が発生した後、特別図柄や飾り図柄の可変表示の開始を許容する開始条件の成立に基づいて、第１特別図柄表示装置４Ａや第２特別図柄表示装置４Ｂによる特図ゲームにおいて特別図柄の可変表示が開始される。画像表示装置５の画面上では、特別図柄の可変表示に同期して、飾り図柄の可変表示が行われる。
【０２２８】
遊技球が第１始動入賞口を通過（進入）したことによる第１始動入賞の発生に基づいて第１始動条件が成立したときには、図４に示す始動入賞判定処理のステップＳ２０３、Ｓ２０７により、第１特図保留記憶数が１加算される。遊技球が第２始動入賞口を通過（進入）したことによる第２始動入賞の発生に基づいて第２始動条件が成立したときには、図４に示す始動入賞判定処理のステップＳ２０６、Ｓ２０７により、第２特図保留記憶数が１加算される。このときには、ステップＳ２０９にて特図表示結果決定用の乱数値ＭＲ１、大当り種別決定用の乱数値ＭＲ２、変動パターン決定用の乱数値ＭＲ３を示す数値データが抽出される。そして、ステップＳ２１２では図５に示すような入賞時乱数値判定処理を実行することにより、可変表示結果が「大当り」になるか否かなどの可変表示内容を判定して、入賞時判定結果を示す入賞時判定結果コマンドが、主基板１１から演出制御基板１２に対して伝送される。
【０２２９】
図１３に示す保留表示設定処理のステップＳ３０１では、入賞時判定結果コマンドを含めた始動入賞時に伝送される演出制御コマンドの受信があったか否かが判定される。そして、コマンド受信があると判定された場合には、ステップＳ３０２にて特定した通知内容に含まれる入賞時判定結果に基づいて、ステップＳ３０４により保留表示変化演出の有無が決定される。ステップＳ３０５で決定される変化演出用カウンタの初期値は、保留表示変化演出を実行する決定結果に対応して「０」以外の値となり、保留表示変化演出を実行しない決定結果に対応して「０」となる。その後、ステップＳ３０６における保留表示画像の決定結果などに基づいて、ステップＳ３０７により始動入賞の発生に対応した保留表示の更新が行われる。
【０２３０】
開始条件の成立に基づいて特図ゲームや飾り図柄の可変表示が開始されるときには、図３に示すステップＳ１１１にて図９（Ａ）に示すような変動パターン設定処理を実行する。これにより、図９（Ｂ）に示すような複数の変動パターンのいずれかを決定して、決定された変動パターンを特定可能に示す変動パターン指定コマンドが、主基板１１から演出制御基板１２に対して伝送される。
【０２３１】
図１７に示す可変表示開始設定処理では、ステップＳ３２１において、変動パターン指定コマンドに示された変動パターンなどに基づいて最終停止図柄などが決定される。続いて、ステップＳ３２２の変化演出設定処理として、図１８に示すような処理が実行される。変化演出設定処理では、ステップＳ５０３により変化演出用カウンタの値を減算更新した結果として、ステップＳ５０４にて「０」になった変化演出用カウンタがあると判定されたときに、保留表示変化演出を実行するための設定が行われる。このときには、ステップＳ５０５にて特定された今回変動の短縮有無に応じて、ステップＳ５０６により保留変化演出パターンが決定される。その後、ステップＳ５０７にてアクティブ表示変化演出の有無が決定され、「演出あり」に決定された場合には、ステップＳ５０９によりアクティブ変化演出パターンが決定される。図１７に示す可変表示開始設定処理では、ステップＳ３２２にて変化演出設定処理を実行した後に、ステップＳ３２６での設定により、アクティブ表示部ＡＨＡにて、実行中の可変表示に対応するアクティブ表示が行われる。こうして保留変化演出パターンやアクティブ変化演出パターンが決定されたことに基づいて、図２５に示す可変表示中演出処理では、ステップＳ３４３での制御により保留表示変化演出を実行可能となり、ステップＳ３４５での制御によりアクティブ表示変化演出を実行可能となる。
【０２３２】
図２６および図２７は、保留表示変化演出の実行例を示している。この場合、例えば図２６（Ａ）および図２７（Ａ１）に示すように、画像表示装置５の画面上では、飾り図柄の可変表示が行われているときに、第２保留表示部５ＨＬにおいて保留番号「１」〜「３」に対応した保留表示（第２保留表示）が行われているとともに、アクティブ表示部ＡＨＡにおいて実行中の可変表示に対応するアクティブ表示が行われている。ここで、保留番号が「３」に対応した第２保留表示は、図２６（Ａ）および図２７（Ａ１）に示された可変表示よりも１回前の可変表示を実行中に発生した始動入賞に基づいて、保留番号が「４」に対応した第２保留表示として開始され、図２６（Ａ）および図２７（Ａ１）に示された可変表示の実行が開始されることに伴い、保留番号が「３」の表示部位へとシフトしたものであればよい。この第２保留表示が開始されるときに、図１３に示すステップＳ３０４により保留表示変化演出を実行する「演出あり」に決定され、ステップＳ３０５により変化演出用カウンタの初期値が「１」に決定される。また、ステップＳ３０６にて決定された保留表示画像ＨＧＳを表示することで、「秘」のメッセージを示す保留表示が行われる。図１８に示す変化演出設定処理では、ステップＳ５０６により図１９に示すような複数の保留変化演出パターンＺＨＰ１−０〜ＺＨＰ１−３、ＺＨＰ２−１〜ＺＨＰ２−３、ＺＨＰ３−１のいずれかに決定される。
【０２３３】
こうした保留変化演出パターンの決定結果などに基づいて、例えば図２６（Ｂ）および図２７（Ａ２）に示すような保留表示変化演出が開始され、まずは、保留表示変化共通演出が実行される。この保留表示変化共通演出は、図２６（Ｂ）および図２７（Ａ２）に示すキャラクタの演出画像が第２保留表示部５ＨＬにおける第２保留表示（保留番号が「３」に対応する保留表示）に作用するような作用演出を含んでいる。保留表示変化共通演出は、保留変化演出パターンの決定結果にかかわらず、保留表示変化演出の実行が開始されてからの所定期間にて実行されればよい。すなわち、保留表示変化演出は、１回の演出によって保留表示の表示態様を変化させる回数にかかわらず、少なくとも一部が共通の演出態様を含んでいる。
【０２３４】
保留変化演出パターンＺＨＰ１−０による保留表示変化演出では、図２６（Ｃ）に示すような保留表示画像ＨＧＷを表示させることで、保留表示の表示態様が白色表示となる。これにより、通常の表示態様と同一の表示態様となる保留表示変化失敗演出（保留変化ガセ演出）が実行される。保留変化演出パターンＺＨＰ１−１による保留表示変化演出では、図２６（Ｄ）に示すような保留表示画像ＨＧＢの表示により、保留表示の表示態様を青色表示に変化させる。保留変化演出パターンＺＨＰ１−２による保留表示変化演出では、図２６（Ｅ）に示すような保留表示画像ＨＧＧの表示により、保留表示の表示態様を緑色表示に変化させる。保留変化演出パターンＺＨＰ１−３による保留表示変化演出では、図２６（Ｆ）に示すような保留表示画像ＨＧＲの表示により、保留表示の表示態様を赤色表示に変化させる。図２６（Ｄ）〜（Ｆ）に示すような保留表示画像が表示される場合には、保留表示変化成功演出が実行されて、保留表示の表示態様を、通常の表示態様とは異なる表示態様に変化させることができる。こうして、少なくとも保留変化演出パターンＺＨＰ１−１〜ＺＨＰ１−３のいずれかによる保留表示変化演出が実行される場合に、１回の可変表示において保留表示の表示態様を１回変化させることができる。
【０２３５】
保留変化演出パターンＺＨＰ２−１による保留表示変化演出では、保留表示画像ＨＧＢの表示により図２７（Ｂ１）に示すような青色表示に変化させた後、続けて図２７（Ｂ２）に示すような作用演出が実行され、保留表示の最終的な表示態様として、保留表示画像ＨＧＧの表示により図２７（Ｂ３）に示すような緑色表示に変化させる。保留変化演出パターンＺＨＰ２−２による保留表示変化演出では、保留表示画像ＨＧＢの表示により図２７（Ｃ１）に示すような青色表示に変化させた後、続けて図２７（Ｃ２）に示すような作用演出が実行され、保留表示の最終的な表示態様として、保留表示画像ＨＧＲの表示により図２７（Ｃ３）に示すような赤色表示に変化させる。保留変化演出パターンＺＨＰ２−３による保留表示変化演出では、保留表示画像ＨＧＧの表示により図２７（Ｄ１）に示すような緑色表示に変化させた後、続けて図２７（Ｄ２）に示すような作用演出が実行され、保留表示の最終的な表示態様として、保留表示画像ＨＧＲの表示により図２７（Ｄ３）に示すような赤色表示に変化させる。保留変化演出パターンＺＨＰ３−１による保留表示変化演出では、保留変化演出パターンＺＨＰ２−１の場合と同様に、図２７（Ｂ３）の緑色表示まで変化させた後、さらに続けて図２７（Ｂ４）に示すような作用演出が実行され、保留表示の最終的な表示態様として、保留表示画像ＨＧＲの表示により図２７（Ｂ５）に示すような赤色表示に変化させる。こうして、保留変化演出パターンＺＨＰ２−１〜ＺＨＰ２−３のいずれかによる保留表示変化演出が実行される場合に、１回の可変表示において保留表示の表示態様を２回変化させることができる。保留変化演出パターンＺＨＰ３−１による保留表示変化演出が実行される場合には、１回の可変表示において保留表示の表示態様を３回変化させることができる。
【０２３６】
図２８は、アクティブ表示変化演出の実行例を示している。この場合、例えば図２８（Ａ１）に示す飾り図柄の可変表示が開始されるときに、図１８に示す変化演出設定処理では、ステップＳ５０７によりアクティブ表示変化演出を実行する「演出あり」に決定され、ステップＳ５０９により図２３に示すような複数のアクティブ変化演出パターンＹＡＰ２−１〜ＹＡＰ２−３、ＹＡＰ３−１のいずれかに決定される。
【０２３７】
こうしたアクティブ変化演出パターンの決定結果などに基づいて、例えば図２８（Ａ２）に示すようなアクティブ表示変化演出が開始され、まずは、アクティブ表示変化共通演出が実行される。このアクティブ表示変化共通演出においても、保留表示変化共通演出と同様に、図２８（Ａ２）に示すキャラクタの演出画像が表示される。アクティブ表示変化共通演出は、こうしたキャラクタの演出画像がアクティブ表示部ＡＨＡにおけるアクティブ表示に作用する作用演出を含んでいる。
【０２３８】
アクティブ変化演出パターンＹＡＰ２−１によるアクティブ表示変化演出では、保留表示の表示態様を、図２８（Ｂ１）のような「？」のメッセージを示すアイコン表示に変化させた後、続けて図２８（Ｂ２）に示すような作用演出が実行され、保留表示の最終的な表示態様として、図２８（Ｂ３）のような「チャンス」のメッセージを示すアイコン表示に変化させる。アクティブ変化演出パターンＹＡＰ２−２によるアクティブ表示変化演出では、保留表示の表示態様を、図２８（Ｃ１）のような「？」のメッセージを示すアイコン表示に変化させた後、続けて図２８（Ｃ２）に示すような作用演出が実行され、保留表示の最終的な表示態様として、図２８（Ｃ３）のような「激熱」のメッセージを示すアイコン表示に変化させる。アクティブ変化演出パターンＹＡＰ２−３によるアクティブ表示変化演出では、保留表示の表示態様を、図２８（Ｄ１）のような「チャンス」のメッセージを示すアイコン表示に変化させた後、続けて図２８（Ｄ２）に示すような作用演出が実行され、保留表示の最終的な表示態様として、図２８（Ｄ３）のような「激熱」のメッセージを示すアイコン表示に変化させる。アクティブ変化演出パターンＹＡＰ３−１によるアクティブ表示変化演出では、アクティブ変化演出パターンＹＡＰ２−１の場合と同様に、図２８（Ｂ３）のような「チャンス」のメッセージを示すアイコン表示まで変化させた後、さらに続けて図２８（Ｂ４）に示すような作用演出が実行され、アクティブ表示の最終的な表示態様として、図２８（Ｂ５）のような「激熱」のメッセージを示すアイコン表示に変化させる。こうして、アクティブ変化演出パターンＹＡＰ２−１〜ＹＡＰ２−３のいずれかによるアクティブ表示変化演出が実行される場合に、１回の可変表示においてアクティブ表示の表示態様を２回変化させることができる。アクティブ変化演出パターンＹＡＰ３−１によるアクティブ表示変化演出が実行される場合には、１回の可変表示においてアクティブ表示の表示態様を３回変化させることができる。
【０２３９】
図２９は、第２保留表示部５ＨＬにて保留番号が「４」に対応する第２保留表示が開始されたときに、変化演出用カウンタの初期値が「２」に決定され、その後に保留変化演出パターンＺＨＰ３−１に決定された場合における保留表示変化演出の具体的な実行例を示している。この場合、例えば図２９（Ａ）に示すように、画像表示装置５の画面上で飾り図柄の可変表示が行われているときに、第２始動入賞の発生に基づき第２保留表示部５ＨＬにおいて保留番号「４」に対応した保留表示（第２保留表示）が開始される。このとき、図１３に示すステップＳ３０４では保留表示変化演出を実行する「演出あり」に決定され、ステップＳ３０５では変化演出用カウンタの初期値が「２」に決定される。また、ステップＳ３０６では保留表示画像ＨＧＳに決定される。ステップＳ３０７での設定により保留表示が更新されるときには、保留番号が「４」に対応する第２保留表示として、まずは保留表示画像ＨＧＷの表示による白色表示が行われる。
【０２４０】
その後、図２９（Ｂ）では、画像表示装置５の画面上において飾り図柄の最終停止図柄が停止表示されることで、可変表示が終了している。これに続いて図２９（Ｃ）では飾り図柄の可変表示が開始されている。このとき、第２保留表示部５ＨＬにおける第２保留表示がシフトされるとともに、アクティブ表示部ＡＨＡにおけるアクティブ表示が更新される。第２保留表示のシフトに応じて、保留番号が「３」に対応する第２保留表示は、先に決定された保留表示画像ＨＧＳの表示により「秘」のメッセージを示す表示態様へと変更されている。図１８に示す変化演出設定処理では、保留番号が「４」から「３」へとシフトする保留表示データに示される変化演出用カウンタの値が「２」であることから、ステップＳ５０３によって変化演出用カウンタの値が１減算されて「１」となるように更新される。ステップＳ５０４では、更新結果が「１」であると判定されるので、ステップＳ５０５、Ｓ５０６をスキップしてステップＳ５０７に進む。そのため、今回の可変表示では保留表示変化演出が実行されない。次に、図２９（Ｄ）では、画像表示装置５の画面上において飾り図柄の最終停止図柄が停止表示されることで、可変表示が終了している。
【０２４１】
図２９（Ｄ）に示した可変表示の終了に続いて、図２９（Ｅ）では飾り図柄の可変表示が開始されている。このとき、図１８に示す変化演出設定処理では、保留番号が「３」から「２」へとシフトする保留表示データに示される変化演出用カウンタの値が「１」であることから、ステップＳ５０３によって変化演出用カウンタの値が１減算されて「０」となるように更新される。ステップＳ５０４では更新結果が「０」であると判定され、ステップＳ５０５により特定された今回変動の短縮有無に基づいて、ステップＳ５０６にて保留変化演出パターンＺＨＰ３−１に決定される。こうした決定結果などに基づいて、今回の可変表示では保留表示変化演出が実行される。
【０２４２】
図２９（Ｅ）に示した可変表示の開始に続いて、保留表示変化演出の実行が開始され、図２９（Ｆ）に示すように、保留番号が「２」の第２保留表示を対象とする作用演出が実行される。次に、作用演出の対象とされた第２保留表示を、保留表示画像ＨＧＢの表示により図２９（Ｇ）に示すような青色表示に変化させた後、続けて図２９（Ｈ）に示すような作用演出が実行され、保留表示画像ＨＧＧの表示により図２９（Ｉ）に示すような緑色表示に変化させる。さらに続けて図２９（Ｊ）に示すような作用演出が実行され、保留表示画像ＨＧＲの表示により図２９（Ｋ）に示すような赤色表示に変化させる。こうした保留表示変化演出は、図２９（Ｅ）に示す飾り図柄の可変表示が開始された後、図２９（Ｌ）に示すような「左」の飾り図柄表示エリア５Ｌにて飾り図柄が仮停止表示（第１停止表示）されるまでの期間内にて実行されるようにすればよい。なお、第１停止表示されるまでの期間に限定されず、「右」の飾り図柄表示エリア５Ｒにて飾り図柄が仮停止表示（第２停止表示）されるまでの期間内にて保留表示変化演出が実行されてもよいし、可変表示状態がリーチ状態となった後にリーチ演出の実行を伴う期間内にて保留表示変化演出の一部または全部を実行可能にしてもよい。
【０２４３】
このように、未だ開始されていない可変表示に対応する保留表示の表示態様を変化させる変化演出として、保留表示変化演出を実行することができる。図１８に示す変化演出設定処理では、ステップＳ５０５により特定された今回変動の短縮有無に応じて、ステップＳ５０６により保留変化演出パターンが決定される。そして、ステップＳ５０５により「今回変動短縮なし」と特定された場合には、例えば図２０に示すような決定割合に従って保留変化演出パターンが決定される。これに対し、ステップＳ５０５により「今回変動短縮あり」と特定された場合には、例えば図２１に示すような決定割合に従って保留変化演出パターンが決定される。したがって、保留表示変化演出が実行される場合には、その保留表示変化演出の実行対象として表示態様を変化させる保留表示に対応する可変表示よりも前に実行される１回の可変表示の可変表示期間に応じて、その１回の可変表示において保留表示の表示態様を変化させる回数を異ならせることができる。こうして、１回の可変表示において保留表示の表示態様を変化させる回数が相違する複数態様の保留表示変化演出のうちでいずれかを実行可能とすることにより、保留表示の表示態様を変化させる演出の多様性を高めて、遊技興趣を向上させることができる。
【０２４４】
また、実行中の可変表示に対応するアクティブ表示の表示態様を変化させる特定演出として、アクティブ表示変化演出を実行することができる。ここで、１回の可変表示において保留表示変化演出の一部または全部が実行された後には、図１９に示すような保留変化演出パターンに応じて、保留表示画像ＨＧＢ、ＨＧＧ、ＨＧＲのいずれかを表示することにより、保留表示の表示態様としての表示色を、通常の表示態様となる白色表示から変化させることができる。これに対し、１回の可変表示においてアクティブ表示変化演出の一部または全部が実行された後には、図２３に示すようなアクティブ変化演出パターンに応じたアクティブ表示の表示態様として、「？」、「チャンス」、「激熱」のメッセージのいずれかを示すアイコン表示へと変化させることができる。このように、保留表示変化演出が実行された後に表示される保留表示の表示態様は、アクティブ表示変化演出が実行された後に表示されるアクティブ表示の表示態様として表示されない第１特殊態様となる表示色の変化を含んでいる。また、アクティブ表示変化演出が実行された後に表示されるアクティブ表示の表示態様は、保留表示変化演出が実行された後に表示される保留表示の表示態様として表示されない第２特殊態様となるアイコン表示への変化を含んでいる。こうして、保留表示変化演出が実行された場合とアクティブ表示変化演出が実行された場合とでは、互いに異なる表示態様に変化させることを可能にして、保留表示やアクティブ表示の表示態様を変化させる演出の多様性を高めて、遊技興趣を向上させることができる。
【０２４５】
図１９に示す複数の保留変化演出パターンのうちで、保留変化演出パターンＺＨＰ１−１〜ＺＨＰ１−３は保留表示の表示態様を１回変化させ、保留変化演出パターンＺＨＰ２−１〜ＺＨＰ２−３は保留表示の表示態様を２回変化させ、保留変化演出パターンＺＨＰ３−１は保留表示の表示態様を３回変化させる。保留表示変化演出の実行が開始されてからの所定期間では、保留変化演出パターンの決定結果にかかわらず、保留表示変化共通演出が実行される。したがって、保留表示変化演出は、保留変化演出パターンの決定結果に応じて保留表示の表示態様を変化させる回数にかかわらず、少なくとも一部が共通の演出態様を含んでいる。これにより、保留表示の表示態様を変化させる演出が開始されることを、遊技者が認識しやすくなる一方で、保留表示の最終的な表示態様は認識不可能または認識困難になることで、保留表示変化演出に対する遊技者の注目を高めて、遊技興趣を向上させることができる。
【０２４６】
図２３に示す複数のアクティブ変化演出パターンのうちで、アクティブ変化演出パターンＹＡＰ２−１〜ＹＡＰ２−３はアクティブ表示の表示態様を２回変化させ、アクティブ変化演出パターンＹＡＰ３−１はアクティブ表示の表示態様を３回変化させる。したがって、アクティブ表示変化演出は、１回の演出においてアクティブ表示の表示態様を複数回変化させる演出態様によって実行可能である。例えば図２２に示すような決定割合でアクティブ表示変化演出を実行するか否かを決定する場合には、アクティブ表示変化演出が実行されると、飾り図柄の可変表示状態がリーチ状態となる可能性が高くなる。一般的に、リーチ変動パターンや大当り変動パターンは、非リーチ変動パターンよりも可変表示期間が長くなりやすく、アクティブ表示変化演出を実行可能な演出実行期間として、保留表示変化演出を実行可能な演出実行期間よりも長い時間を確保しやすい。そこで、アクティブ表示変化演出ではアクティブ表示の表示態様を複数回変化させることができるようにして、適切な演出により遊技興趣を向上させることができる。
【０２４７】
上記実施の形態では、図１８に示すステップＳ５０５にて「今回変動短縮あり」と特定された場合に、ステップＳ５０６では図２１に示すような割合で保留変化演出パターンが決定される。これにより、保留変化演出パターンＺＨＰ２−１〜ＺＨＰ２−３、ＺＨＰ３−１が決定不可となることで、可変表示期間の限界を定めて、短い可変表示期間において保留表示の表示態様を変化させる回数が多くても１回となり、２回あるいは３回といった複数回にはならないように制限が設けられる。これに対し、図１８に示すステップＳ５０６では、ステップＳ５０５により「今回変動短縮あり」と特定された場合でも、所定割合で保留変化演出パターンＺＨＰ２−１〜ＺＨＰ２−３、ＺＨＰ３−１のいずれかに決定可能となるようにしてもよい。この場合には、「今回変動短縮あり」に対応して保留変化演出パターンＺＨＰ２−１〜ＺＨＰ２−３、ＺＨＰ３−１のいずれかに決定される割合を、「今回変動短縮なし」に対応して保留変化演出パターンＺＨＰ２−１〜ＺＨＰ２−３、ＺＨＰ３−１のいずれかに決定される割合よりも、十分に低くなるように設定すればよい。このような設定によれば、可変表示期間の限界を定めて、短い可変表示期間において保留表示の表示態様を変化させる回数が２回あるいは３回といった複数回になる割合を、長い可変表示期間における割合よりも低下させるように制限することができる。
【０２４８】
また、図１８に示すステップＳ５０５にて「今回変動短縮なし」と特定された場合に、ステップＳ５０６では図２０に示すような割合で保留変化演出パターンが決定される。これにより、保留変化演出パターンＺＨＰ１−０〜ＺＨＰ１−３の平均的な決定割合が低下することで、可変表示期間の限界を定めて、長い可変表示期間において保留表示の表示態様を変化させる回数が１回となる割合を、短い可変表示期間における割合よりも低下させるように制限が設けられる。これに対し、図１８に示すステップＳ５０６では、ステップＳ５０５により「今回変動短縮なし」と特定された場合に、保留変化演出パターンＺＨＰ１−０〜ＺＨＰ１−３が決定不可となるように設定してもよい。このような設定によれば、可変表示期間の限界を定めて、長い可変表示期間において保留表示の表示態様を変化させる回数が１回にはならないように制限することができる。
【０２４９】
上記実施の形態では、図１８に示す変化演出設定処理において、ステップＳ５０６により保留変化演出パターンを決定することで、１回の保留表示変化演出によって保留表示の表示態様を変化させる回数と、保留表示変化演出が実行された後に表示される保留表示の表示態様とが決定されるものとして説明した。これに対し、１回の保留表示変化演出によって保留表示の表示態様を変化させる回数と、保留表示変化演出が実行された後に表示される保留表示の表示態様とのうち、一方または双方が、図１３に示す保留表示設定処理において決定されてもよい。例えば図１３に示すステップＳ３０４にて保留表示変化演出を実行すると決定された場合には、その保留表示変化演出が実行された後に表示される保留表示の最終的な表示態様を、入賞時判定結果に応じて異なる割合で決定しておく。図１２に示す保留表示データ記憶部に記憶される保留表示データには、保留表示の最終的な表示態様を示すデータが含まれるようにすればよい。その後、保留表示変化演出の実行対象の保留表示に対応する可変表示よりも前の可変表示が開始されるごとに、その可変表示において保留表示変化演出を実行するか否かが決定されてもよい。この場合には、実行が開始される可変表示の可変表示期間に応じて、１回の可変表示において保留表示の表示態様を変化させる回数などが決定されてもよい。１回の可変表示において変化させる保留表示の表示態様は、保留表示データに示される保留表示の最終的な表示態様であってもよいし、それとは異なる表示態様であってもよい。例えば保留表示データに示される保留表示の最終的な表示態様として、保留表示画像ＨＧＲの表示による赤色表示が指定されている場合でも、１回の可変表示において変化させる保留表示の表示態様は、保留表示画像ＨＧＢの表示による青色表示または保留表示画像ＨＧＧの表示による緑色表示に決定されてもよい。この場合には、保留表示が青色表示または緑色表示に変化した可変表示よりも後の可変表示において保留表示変化演出を実行可能にして、保留表示の最終的な表示態様である赤色表示に変化させることができるようにしてもよい。
【０２５０】
また、図１３に示す保留表示設定処理において保留表示変化演出に関する決定や設定が行われる場合には、保留表示変化演出の実行対象となる１の保留表示に対応して、保留表示変化演出が実行される回数を、１回または複数回に決定できるようにしてもよい。この場合には、保留変化演出パターンとして、始動入賞の発生に基づいて開始される保留表示の保留番号ごとに、保留表示変化演出の実行回数と、各々の保留表示変化演出において保留表示の表示態様を変化させる回数と、変化後における保留表示の表示態様とのうちで、一部または全部を組み合わせた複数の保留変化演出パターンが、予め用意されてもよい。図１３に示す保留表示設定処理では、始動入賞の発生に基づいて、保留表示変化演出の実行対象の保留表示ごとに、保留表示変化演出の実行回数と、各々の保留表示変化演出において保留表示の表示態様を変化させる回数と、変化後における保留表示の表示態様とのうちで、一部分のみを決定しておき、実行対象の保留表示に対応する可変表示よりも前に可変表示が実行されるときに、残りの部分を決定するようにしてもよい。
【０２５１】
上記実施の形態において、図１８に示す変化演出設定処理のステップＳ５０６では、図２０または図２１に示すような決定割合で保留変化演出パターンを決定することにより、１回の可変表示の可変表示期間に応じて、その１回の可変表示において保留表示の表示態様を変化させる回数を異ならせることができる。これに対し、実行中の可変表示に対応するアクティブ表示の表示態様を変化させる場合に、その実行中の可変表示の可変表示期間に応じて、アクティブ表示の表示態様を変化させる回数を異ならせることができるようにしてもよい。例えば図１８に示すステップＳ５０８でアクティブ表示変化演出を実行する「演出あり」と判定された場合に、今回変動の短縮有無を特定し、その特定結果に応じて決定可能なアクティブ変化演出パターンを異ならせたりアクティブ変化演出パターンの決定割合を異ならせたりしてもよい。これにより、実行中の可変表示について可変表示期間の限界を定めて、短い可変表示期間においてアクティブ表示の表示態様を変化させる回数が、所定回数以上にはならないように、あるいは所定回数以上になる割合を長い可変表示期間において所定回数以上になる割合よりも低下させるように、制限が設けられてもよい。また、実行中の可変表示について可変表示期間の限界を定めて、長い可変表示期間においてアクティブ表示の表示態様を変化させる回数が、所定回数未満にはならないように、あるいは所定回数未満になる割合を短い可変表示期間において所定回数未満になる割合よりも低下させるように、制限が設けられてもよい。
【０２５２】
さらに、未だ開始されていない可変表示に対応する任意の先読み予告演出について、その先読み予告演出による予告対象となる可変表示よりも前に実行される１回の可変表示の可変表示期間に応じて、その１回の可変表示において先読み予告演出の演出態様を変化させる回数を異ならせることができるようにしてもよい。このような先読み予告演出の一例として、「モード移行」の先読み予告演出が実行されてもよい。「モード移行」の先読み予告演出は、パチンコ遊技機１における演出状態を通常時における演出モードとは異なる先読み予告モードに移行させることにより、所定割合で予告対象となる可変表示において「大当り」となることを示唆する。一例として、予告対象となる可変表示よりも前に実行される可変表示において画像表示装置５の画面上における背景画像を、通常時の背景画像とは異なる特定表示態様の背景画像に変化させることにより、通常時よりも高い割合で可変表示結果が「大当り」となり大当り遊技状態に制御されることを示唆できればよい。この場合、図１８に示すステップＳ５０５と同様に今回変動の短縮有無を特定し、その特定結果に応じて決定可能なモード移行演出パターンを異ならせたりモード移行演出パターンの決定割合を異ならせたりしてもよい。複数のモード移行演出パターンとして、「モード移行」の先読み予告演出によって背景画像の表示態様を変化させて演出モードを移行させる回数と、その先読み予告演出が実行された後における最終的な演出モードとに応じて、異なるモード移行演出パターンが予め用意されていればよい。これにより、可変表示期間の限界を定めて、その可変表示期間よりも短い可変表示期間において演出モードを移行させる回数が、所定回数以上にはならないように、あるいは所定回数以上になる割合を長い可変表示期間において所定回数以上になる割合よりも低下させるように、制限が設けられてもよい。また、可変表示期間に限界を定めて、その可変表示期間よりも長い可変表示期間において演出モードを移行させる回数が、所定回数未満にはならないように、あるいは所定回数未満になる割合を短い可変表示期間において所定回数未満になる割合よりも低下させるように、制限が設けられてもよい。
【０２５３】
より一般的に、１回の可変表示の可変表示期間に応じて、その１回の可変表示において任意の演出の演出態様を変化させる回数を異ならせることができるようにしてもよい。例えば図１８に示すステップＳ５０５と同様に今回変動の短縮有無を特定した結果に応じて、複数の演出パターンのうちで、決定可能な演出パターンを異ならせたり各演出パターンの決定割合を異ならせたりしてもよい。これにより、可変表示期間の限界を定めて、短い可変表示期間において演出態様を変化させる回数が、所定回数以上にはならないように、あるいは所定回数以上になる割合を長い可変表示期間において所定回数以上になる割合よりも低下させるように、制限が設けられてもよい。また、可変表示期間の限界を定めて、長い可変表示期間において演出態様を変化させる回数が、所定回数未満にはならないように、あるいは所定回数未満になる割合を短い可変表示期間において所定回数未満になる割合よりも低下させるように、制限が設けられてもよい。
【０２５４】
保留表示やアクティブ表示の表示態様を変化させる回数に限定されず、例えば保留表示やアクティブ表示の最終的な表示態様を、１回の可変表示の可変表示期間に応じて異ならせてもよい。例えば図１８に示すステップＳ５０５にて「今回変動短縮あり」と特定された場合に、ステップＳ５０６では、図１９に示す複数の保留変化演出パターンのうちで、保留変化演出パターンＺＨＰ１−３、ＺＨＰ２−２、ＺＨＰ２−３、ＺＨＰ３−１が決定不可となるようにしてもよい。これらの保留変化演出パターンでは、保留表示の最終的な表示態様が保留表示画像ＨＧＲの表示による赤色表示となる。これにより、可変表示期間の限界を定めて、短い可変表示期間において保留表示の最終的な表示態様は青色表示や緑色表示には変化可能となる一方、赤色表示には変化しないように制限が設けられる。また、「今回変動短縮あり」に対応して保留変化演出パターンＺＨＰ１−３、ＺＨＰ２−２、ＺＨＰ２−３、ＺＨＰ３−１のいずれかに決定される割合を、「今回変動短縮なし」に対応して保留変化演出パターンＺＨＰ１−３、ＺＨＰ２−２、ＺＨＰ２−３、ＺＨＰ３−１のいずれかに決定される割合よりも、十分に低くなるように設定してもよい。このような設定によれば、可変表示期間の限界を定めて、短い可変表示期間において保留表示の最終的な表示態様が赤色表示に変化する割合を、長い可変表示期間における割合よりも低下させるように制限が設けられる。このように、可変表示期間の限界を定めて、短い可変表示期間において保留表示の最終的な表示態様が、特定態様には変化しないように、あるいは特定態様に変化する割合を長い可変表示期間において特定態様に変化する割合よりも低下させるように、制限が設けられてもよい。また、可変表示期間の限界を定めて、長い可変表示期間において保留表示の最終的な表示態様が、特定態様には変化しないように、あるいは特定態様に変化する割合を短い可変表示期間において特定態様に変化する割合よりも低下させるように、制限が設けられてもよい。アクティブ表示についても保留表示と同様に、可変表示期間の限界を定めて、短い可変表示期間においてアクティブ表示の最終的な表示態様が、特定態様には変化しないように、あるいは特定態様に変化する割合を長い可変表示期間において特定態様に変化する割合よりも低下させるように、制限が設けられてもよい。また、可変表示期間の限界を定めて、長い可変表示期間においてアクティブ表示の最終的な表示態様が、特定態様には変化しないように、あるいは特定態様に変化する割合を長い可変表示期間において特定態様に変化する割合よりも低下させるように、制限が設けられてもよい。
【０２５５】
上記実施の形態では、図１８に示すステップＳ５０５にて「今回変動短縮なし」および「今回変動短縮あり」のうちでいずれが特定されたかに応じて、ステップＳ５０６では図２０または図２１に示すような割合で保留変化演出パターンを決定する。これにより、１回の可変表示の全体における可変表示期間に応じて、その１回の可変表示において保留表示の表示態様を変化させる回数を異ならせる。これに対し、例えば１回の可変表示に含まれる特定の可変表示期間といった、１回の可変表示の一部における可変表示期間に応じて、その１回の可変表示において保留表示の表示態様を変化させる回数を異ならせてもよい。より具体的に、図１８に示すステップＳ５０５では、変動パターン指定コマンドで示された変動パターンなどに対応して、飾り図柄の可変表示が開始されてから特定の飾り図柄表示エリアにて飾り図柄が仮停止表示されるまでの特定停止前期間が、予め定められた基準時間長よりも短いか否かを特定してもよい。特定停止前期間は、例えば「左」、「中」」、「右」の飾り図柄表示エリア５Ｌ、５Ｃ、５Ｒの全部にて飾り図柄の可変表示が開始されてから、「左」の飾り図柄表示エリア５Ｌにて飾り図柄が仮停止表示（第１停止表示）されるまでの期間でもよいし、「右」の飾り図柄表示エリア５Ｒにて飾り図柄が仮停止表示（第２停止表示）されるまでの期間であってもよい。特定停止前期間は、飾り図柄の可変表示が開始されるタイミングからの期間であってもよいし、可変表示が開始されてから表示結果が導出表示される前の任意のタイミングからの期間であってもよい。また、例えば飾り図柄の可変表示状態がリーチ状態となった後にリーチ演出が実行されるまでの期間、あるいはリーチ演出が実行される期間の一部または全部が、特定停止前期間とされてもよい。ステップＳ５０５にて特定停止前期間が基準時間長以上であると特定された場合には、図２０と同様の割合で保留変化演出パターンを決定すればよい。ステップＳ５０５にて特定停止前期間が基準時間長よりも短いと特定された場合には、図２１と同様の割合で保留変化演出パターンを決定すればよい。
【０２５６】
また、複数回の可変表示の可変表示期間に応じて、１回または複数回の可変表示において保留表示の表示態様を変化させる回数を異ならせてもよい。より具体的に、図１８のステップＳ５０５では、変動パターン指定コマンドで指定された変動パターンだけでなく、保留表示データ記憶部に記憶されている入賞時判定結果などにも基づいて、複数回の可変表示における可変表示期間が、予め定められた基準時間長よりも短いか否かを特定してもよい。１の保留表示を実行対象とする保留表示変化演出は、１回の可変表示において実行されて保留表示の表示態様を変化させてもよいし、複数回の可変表示にわたって実行されて保留表示の表示態様を変化させてもよい。
【０２５７】
さらに、可変表示が実行される可変表示期間の一部または全部に応じて、保留表示の表示態様を変化させる回数を異ならせるものに限定されず、パチンコ遊技機１における遊技または演出の進行に関して予め定められた任意の遊技実行期間または演出実行期間に応じて、保留表示の表示態様を変化させる回数を異ならせるものであってもよい。一例として、大当り遊技状態といった有利状態に制御される期間の一部または全部となる特定状態期間に応じて、その特定状態期間において保留表示の表示態様を変化させる回数を異ならせてもよい。特定状態期間は、例えば大当り遊技状態において予め定められたラウンド遊技が実行される期間（第７ラウンドの上限時間など）であってもよいし、大当り遊技状態において最終のラウンド遊技が実行された後のインターバル期間となる大当り終了待ち期間（大当り終了演出の実行時間など）であってもよい。特定状態期間を大当り終了待ち期間とした場合には、図１１に示すステップＳ１７５のエンディング演出処理を開始するときに、特定状態期間としての大当り終了待ち期間が基準時間長よりも短いか否かを特定する。そして、大当り終了待ち期間が基準時間長以上であると特定された場合には、図２０と同様の割合で保留変化演出パターンを決定して、大当り終了演出の実行期間において保留表示変化演出が実行されるようにしてもよい。これに対し、大当り終了待ち期間が基準時間長よりも短いと特定された場合には、図２１と同様の割合で保留変化演出パターンを決定して、大当り終了演出の実行期間において保留表示変化演出が実行されるようにしてもよい。
【０２５８】
その他にも、この発明は上記実施の形態に限定されず、様々な変形及び応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。
【０２５９】
上記実施の形態では、図１９に示すように、保留変化演出パターンによる保留表示変化演出において保留表示の表示態様を変化させる回数に応じて、保留表示変化演出が実行される演出実行時間を異ならせるものとして説明した。しかしながら、この発明はこれに限定されず、保留表示の表示態様を変化させる回数にかかわらず、共通の演出実行時間が設定されたものでもよい。
【０２６０】
上記実施の形態では、図１８に示すステップＳ５０７において、保留表示変化演出が実行されるか否かにかかわらず、図２２に示すような決定割合でアクティブ表示変化演出を実行するか否かが決定されるものとして説明した。この場合、１回の可変表示において保留表示変化演出とアクティブ表示変化演出との双方が実行される場合には、図２５に示すステップＳ３４２にて保留表示変化演出期間であると判定される期間と、ステップＳ３４４にてアクティブ表示変化演出期間であると判定される期間とが重複しないように、それぞれの変化演出期間が設定されてもよい。あるいは、保留表示変化演出とアクティブ表示変化演出とを組み合わせた演出として、第１保留表示部５ＨＲと第２保留表示部５ＨＬとアクティブ表示部ＡＨＡよりも前方側の重複する位置に隠蔽画像を表示させる隠蔽表示演出が実行されてもよい。このような隠蔽表示演出により保留表示やアクティブ表示を視認不可能または視認困難とした後、隠蔽表示演出の終了にあわせて保留表示やアクティブ表示の表示態様を一括して変化させることができるようにしてもよい。隠蔽画像の表示により視認不可能または視認困難とするものに限定されず、例えば演出用の可動部材を保留表示やアクティブ表示の前面側における重複する位置に進出させることにより視認不可能または視認困難とするものであってもよい。
【０２６１】
また、図１８に示すステップＳ５０７では、今回の可変表示において保留表示変化演出が実行されるか否かの判定を行い、実行されると判定した場合にはアクティブ表示変化演出を実行しないようにしてもよい。このように、アクティブ表示変化演出とは異なる演出の有無に限界を設けて、保留表示変化演出が実行される場合には、アクティブ表示変化演出が実行されないように、あるいは保留表示変化演出が実行されない場合よりもアクティブ表示変化演出が実行されにくいように、制限が設けられてもよい。図１８に示すステップＳ５０７では、図２２に示すような決定割合でアクティブ表示変化演出を実行するか否かを決定し、実行すると決定された場合には、保留表示変化演出の実行に制限が設けられてもよい。例えば保留番号が「２」以上の保留表示を実行対象とする保留表示変化演出の場合には、次回以降の可変表示において保留表示変化演出を実行するように調整してもよい。あるいは、アクティブ表示変化演出が実行される場合には、実行されない場合よりも認識しにくい実行態様で保留表示変化演出が実行されるようにしてもよい。このように、保留表示変化演出とは異なる演出に限界を設けて、アクティブ表示変化演出が実行される場合には、保留表示変化演出が実行されないように、あるいはアクティブ表示変化演出が実行されない場合よりも保留表示変化演出が実行されにくいように、制限が設けられてもよい。
【０２６２】
保留変化演出パターンは、図１９に示されたものに限定されず、例えば保留表示変化演出を実行した後に表示させる保留表示の表示態様として、保留表示画像ＨＧＳの表示により「秘」のメッセージを示す演出態様となるものが含まれてもよい。また、保留表示変化演出を実行した後に表示させる保留表示の表示態様のうちで、一部または全部の表示態様として、アクティブ表示変化演出を実行した後に表示可能なアクティブ表示の表示態様における一部または全部が含まれてもよい。アクティブ表示変化演出を実行した後に表示させるアクティブ表示の表示態様のうちで、一部または全部の表示態様として、保留表示変化演出を実行した後に表示可能な保留表示の表示態様における一部または全部が含まれてもよい。
【０２６３】
上記実施の形態では、遊技者にとって有利な有利状態として、可変表示結果が「大当り」となったことに基づいて大当り遊技状態に制御されるものとして説明した。しかしながら、この発明はこれに限定されず、確変状態などの特別遊技状態を有利状態としてもよいし、複数の大当り遊技状態のうちで実行可能なラウンドの上限回数が第２ラウンド数（例えば「７」）よりも多い第１ラウンド数（例えば「１５」）となる大当り遊技状態を有利状態としてもよい。あるいは、複数の時短状態のうちで実行可能な可変表示の上限回数が第２回数（例えば「５０」）よりも多い第１回数（例えば「１００」）となる時短状態を有利状態としてもよいし、複数の確変状態のうち大当り確率が第２確率（例えば１／５０）よりも高い第１確率（例えば１／２０）となる確変状態を有利状態としてもよい。その他、遊技者にとって有利な任意の遊技状態を有利状態としたものであればよい。
【０２６４】
上記実施の形態において、各種の決定が行われる「割合」や「確率」は、例えば７０：３０といった、各決定結果となる可能性が０％（決定されることがない）や１００％（必ず決定される）にはならないように設定されてもよいし、少なくともいずれかの決定結果となる可能性が０％（決定されることがない）や１００％（必ず決定される）となるように設定されてもよい。例えば、各種の決定を行う場合において、複数の決定結果のうちいずれか１の決定結果とする割合が、他の決定結果とする割合よりも高くなることには、１の決定結果とする割合が１００％となることが含まれてもよいし、他の決定結果とする割合が０％となることが含まれてもよい。１の決定結果とする割合が１００％となるときには、他の決定結果とする割合が０％となる。また、他の決定結果とする割合が０％となるときには、１の決定結果とする割合が１００％以外でも０％でない所定割合であれば、１の決定結果とする割合が、他の決定結果とする割合よりも高くなる。
【０２６５】
上記実施の形態では、例えば図４に示すステップＳ２１２にて図５に示すような入賞時乱数値判定処理が実行される。これにより、主基板１１に搭載された遊技制御用マイクロコンピュータ１００のＣＰＵ１０３が乱数値を用いて可変表示内容の判定を行い、その判定結果を示す演出制御コマンド（入賞時判定結果コマンド）が演出制御基板１２の側に送信されて、演出制御基板１２に搭載された演出制御用ＣＰＵ１２０などにより先読み予告演出を実行可能にするものとして説明した。これに対し、例えば主基板１１の側では、遊技制御用マイクロコンピュータ１００のＣＰＵ１０３が乱数値を示す演出制御コマンドを演出制御基板１２に対して送信するための設定を行い、演出制御基板１２の側では、主基板１１からの演出制御コマンドに示された乱数値を用いて大当り判定などを行い、その判定結果に基づいて先読み予告演出が実行できるようにしてもよい。このように、始動入賞が発生した始動入賞時などのように、大当り遊技状態などの有利状態に制御するか否かを決定するより前に有利状態に制御されるか否かを判定する処理は、主基板１１の側で実行されるものに限定されず、演出制御基板１２の側で実行されるようにしてもよい。
【０２６６】
上記実施の形態では、可変表示時間や飾り図柄の可変表示態様などを示す変動パターンを演出制御基板１２の側に通知するために、可変表示を開始するときに１つの変動パターン指定コマンドを送信する例を示したが、２つ乃至それ以上のコマンドにより変動パターンを演出制御基板１２の側に通知してもよい。具体的には、２つのコマンドにより通知する場合、遊技制御用マイクロコンピュータ１００のＣＰＵ１０３は、１つ目のコマンドでは擬似連変動の有無、滑り演出の有無等、リーチとなる以前（リーチとならない場合には、いわゆる第２停止表示の前）の可変表示時間や可変表示態様を示すコマンドを送信し、２つ目のコマンドではリーチの種類や再抽選演出の有無等、リーチとなった以降（リーチとならない場合には、いわゆる第２停止表示の後）の可変表示時間や可変表示態様を示すコマンドを送信してもよい。この場合、演出制御基板１２では、例えば演出制御用ＣＰＵ１２０が２つのコマンドの組合せから導かれる可変表示時間に基づいて可変表示における演出制御を行うようにすればよい。なお、遊技制御用マイクロコンピュータ１００の方では２つのコマンドのそれぞれにより可変表示時間を通知し、それぞれのタイミングで実行される具体的な可変表示態様については演出制御用ＣＰＵ１２０の方で選択を行うようにしてもよい。２つのコマンドを送る場合、同一のタイマ割込内で２つのコマンドを送信してもよいし、１つ目のコマンドを送信した後、所定期間が経過してから（例えば次のタイマ割込において）２つ目のコマンドを送信してもよい。なお、それぞれのコマンドで示される可変表示態様はこの例に限定されるわけではなく、送信する順序についても適宜変更可能である。このように２つ乃至それ以上のコマンドにより変動パターンを通知することで、変動パターン指定コマンドとして記憶しておかなければならないデータ量を削減することができる。 
【０２６７】
上記実施の形態では、図８に示すステップＳ２４２により決定される大当り種別に「確変」が含まれており、大当り種別の決定結果が「確変」であることに基づいて確変制御条件が成立し、大当り遊技状態の終了後には確変状態に制御可能になるものとして説明した。しかしながら、この発明はこれに限定されず、遊技領域における所定位置に設けられた確変アタッカーにおいて大入賞口（第２大入賞口）に入賞（進入）した遊技球が確変検出スイッチによって検出されたことに基づいて確変制御条件が成立し、大当り遊技状態の終了後における遊技状態を確変状態に制御してもよい。確変アタッカーの大入賞口（第２大入賞口）は、大当り遊技状態におけるラウンド遊技の実行回数が所定回数（例えば「１６」）であるときに、閉鎖状態から開放状態に変化可能であり、ラウンド遊技の実行回数が所定回数以外であるときには、閉鎖状態のまま開放状態には変化不能であるとしてもよい。このように、パチンコ遊技機１は、遊技領域に設けられた特別可変入賞装置の一例となるアタッカー内にて遊技球が特定領域を通過したことに基づいて、確変制御条件を成立させることが可能となるように構成されてもよい。
【０２６８】
その他にも、遊技機の装置構成やデータ構成、フローチャートで示した処理、画像表示装置における画像表示動作やスピーカにおける音声出力動作さらには発光体ユニットや遊技効果ランプおよび装飾用ＬＥＤにおける点灯動作を含めた各種の演出動作などは、本発明の趣旨を逸脱しない範囲で、任意に変更および修正が可能である。加えて、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。
【０２６９】
本発明を実現するためのプログラムおよびデータは、例えばパチンコ遊技機１やスロットマシンといった、遊技機に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラムおよびデータは、通信処理部を設けておくことにより、通信回線等を介して接続されたネットワーク上の、他の機器からダウンロードすることによって配布する形態を採っても構わない。
【０２７０】
そして、ゲームの実行形態も、着脱自在の記録媒体を装着することにより実行するものだけではなく、通信回線等を介してダウンロードしたプログラムおよびデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０２７１】
以上説明したように、本願に係るパチンコ遊技機１では、第１保留表示部５ＨＲや第２保留表示部５ＨＬに表示される保留表示の表示態様を変化させる保留表示変化演出が実行される場合に、図１８に示すステップＳ５０５での特定結果に基づいてステップＳ５０６では図２０または図２１に示すような決定割合で保留変化演出パターンを決定する。こうして決定された保留変化演出パターンによる保留表示変化演出が実行されることで、保留表示に対応する可変表示よりも前に実行される１回の可変表示の可変表示期間に応じて、その１回の可変表示において保留表示の表示態様を変化させる回数を異ならせる。これにより、演出の多様性を高めて遊技興趣を向上させることができる。
【０２７２】
また、保留表示変化演出の他に、実行中の可変表示に対応してアクティブ表示部ＡＨＡに表示されるアクティブ表示の表示態様を変化させるアクティブ表示変化演出を実行可能である。このように、保留表示変化演出とアクティブ表示変化演出とを実行可能にして遊技興趣を向上させることができる。
【０２７３】
図１９に示すような保留変化演出パターンに応じた保留表示変化演出には、保留表示の表示態様を１回変化させるものと、保留表示の表示態様を複数回変化させるものとが含まれる。いずれの保留変化演出パターンによる保留表示変化演出が実行される場合でも、少なくとも一部が共通の演出態様として、例えば図２６（Ｂ）および図２７（Ａ２）に示されるような作用演出といった、保留表示変化共通演出が実行される。これにより、保留表示変化演出に対する注目を高めて遊技興趣を向上させることができる。
【０２７４】
図２３に示すようなアクティブ変化演出パターンに応じたアクティブ表示変化演出は、１回の演出によりアクティブ表示の表示態様を複数回変化させる演出態様によって実行可能である。こうして、適切な演出により遊技興趣を向上させることができる。
【符号の説明】
【０２７５】
１  …  パチンコ遊技機
５  …  画像表示装置
５ＨＲ  …  第１保留表示部
５ＨＬ  …  第２保留表示部
１１  …  主基板
１２  …  演出制御基板
１００  …  遊技制御用マイクロコンピュータ
１０３  …  ＣＰＵ
１２０  …  演出制御用ＣＰＵ
１２３  …  表示制御部
ＡＨＡ  …  アクティブ表示部
【図１】
0006655952.tif 000002
【図２】
0006655952.tif 000003
【図３】
0006655952.tif 000004
【図４】
0006655952.tif 000005
【図５】
0006655952.tif 000006
【図６】
0006655952.tif 000007
【図７】
0006655952.tif 000008
【図８】
0006655952.tif 000009
【図９】
0006655952.tif 000010
【図１０】
0006655952.tif 000011
【図１１】
0006655952.tif 000012
【図１２】
0006655952.tif 000013
【図１３】
0006655952.tif 000014
【図１４】
0006655952.tif 000015
【図１５】
0006655952.tif 000016
【図１６】
0006655952.tif 000017
【図１７】
0006655952.tif 000018
【図１８】
0006655952.tif 000019
【図１９】
0006655952.tif 000020
【図２０】
0006655952.tif 000021
【図２１】
0006655952.tif 000022
【図２２】
0006655952.tif 000023
【図２３】
0006655952.tif 000024
【図２４】
0006655952.tif 000025
【図２５】
0006655952.tif 000026
【図２６】
0006655952.tif 000027
【図２７】
0006655952.tif 000028
【図２８】
0006655952.tif 000029
【図２９】
0006655952.tif 000030